(57)【要約】      （修正有）【課題】本発明は、組織が、その構成員等の秘匿番号をデータベースに登録・管理するためのマイナンバー（登録商標）登録票、チェック票及び、これを用いたマイナンバー登録・確認方法を提供する。【解決手段】本発明に係る秘匿番号登録票、用紙対型の秘匿番号登録票は、第１チェック票と第２チェック票とを作成して、Ａ．（第２仮登録番号又は第１仮登録番号、秘匿番号記載カードに記載された秘匿番号）及び、Ｂ．（上記第１仮登録番号又は上記第２仮登録番号、上記秘匿番号記載カードに記載されたカード氏名、上記カードセット欄又は上記個人情報欄に予め表記されたデータ氏名）の２つの情報の組を、それぞれ上記各構成員等について確認することができる。【選択図】図１
2017121799.tif 000002
【特許請求の範囲】
【請求項１】
秘匿番号を組織Ｘのデータベースに登録しようとする構成員等（該組織Ｘに関連して、該データベースに、自己及び／又はその関係者の該秘匿番号と個人情報を登録しようとする者）の氏名が表面のカード氏名記載位置に、秘匿番号が表面の秘匿番号記載位置に、それぞれ記載された秘匿番号記載カードを用いて、
秘匿番号管理者を有する該組織Ｘが、該組織Ｘの構成員等の氏名を含む個人情報を管理するデータベースに、該構成員等の秘匿番号を該構成員等の該個人情報と紐づけて確実に登録し、該秘匿番号に関する機密を保持しながら第三者に該登録の確実性をチェックさせ得る冊子型の秘匿番号登録票であって、
前記秘匿番号登録票は、複数の窓が配置された第１確認欄と個人情報欄と秘匿番号記載カードセット欄（以下、「カードセット欄」ともいう。）と複数の窓が配置された第２確認欄と、を順に有する１又は複数の用紙からなり、
前記カードセット欄の左端又は右端で折り返すことにより、前記第１確認欄が該カードセット欄と重なり合う第１重ね状態、および、前記第２確認欄が前記個人情報欄及び／又は該カードセット欄と重なり合う第２重ね状態を得るように構成され、
前記個人情報欄には、
少なくとも、前記データベースに登録された前記構成員等の氏名（以下、「データ氏名」という。）を含む個人情報が予め表記されており、
前記個人情報欄に隣接する前記カードセット欄には、
少なくとも、該個人情報欄に表記された前記構成員等の前記個人情報に左右対応して、該構成員等の秘匿番号記載カードをセットするためのセット手段が設けられており、
前記組織Ｘの構成員に対応する固有の第１仮登録番号および該第１仮登録番号と紐づけられた第２仮登録番号が、前記カードセット欄又は前記個人情報欄に予め表記されており、
前記カードセット欄に前記秘匿番号記載カードを、その表面が露出するようにセットして、該カードセット欄の左端又は右端で折り返し、
前記第１重ね状態及び前記第２重ね状態において、前記第１確認欄及び前記第２確認欄に予め設けたそれぞれの前記複数の窓から、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方ずつのみの情報を、前記各構成員等について確認し得るように、前記第１確認欄及び前記第２確認欄に予め設けたそれぞれの前記複数の窓が配置された、秘匿番号と氏名が共に表面に記載された秘匿番号記載カード用の冊子型の秘匿番号登録票。
【請求項２】
秘匿番号を組織Ｘのデータベースに登録しようとする構成員等の氏名が表面のカード氏名記載位置に、秘匿番号が表面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る用紙対型の秘匿番号登録票であって、
前記用紙対型の秘匿番号登録票は、
個人情報欄とカードセット欄とが表面の左右に表示されるセット用紙と、
複数の窓を共有する第１確認欄と第２確認欄とが表裏面又は表面のみに表示される確認用紙と、
の２枚１組の用紙対であり、
前記セット用紙の表面に、前記確認用紙の前記第１確認欄が表面となるように重ね合わせて第１重ね状態を得、
前記セット用紙の表面に、前記確認用紙の前記第２確認欄が表面となるように重ね合わせて第２重ね状態を得るように構成され、
前記セット用紙の前記個人情報欄には、
少なくとも、前記データベースに登録された前記構成員等のデータ氏名を含む個人情報が予め表記されており、
前記セット用紙の前記カードセット欄には、
少なくとも、該個人情報欄の構成員等の個人情報に左右対応して、該構成員等の秘匿番号記載カードをセットするためのセット手段が設けられており、
また、前記組織Ｘの構成員に対応する固有の第１仮登録番号および該第１仮登録番号と紐づけられた第２仮登録番号が、前記セット用紙の前記カードセット欄又は前記個人情報欄に予め表記されており、
前記カードセット欄に前記秘匿番号記載カードを、その表面が露出するようにセットして、
前記第１重ね状態及び前記第２重ね状態において、前記第１確認欄及び前記第２確認欄に予め設けたそれぞれの前記複数の窓から、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方ずつのみの情報を、前記各構成員等について確認し得るように前記第１確認欄及び前記第２確認欄に予め設けたそれぞれの前記複数の窓が配置された、秘匿番号と氏名が共に表面に記載された秘匿番号記載カード用の用紙対型の秘匿番号登録票。
【請求項３】
秘匿番号を組織Ｘのデータベースに登録しようとする構成員等の氏名が表面のカード氏名記載位置に、秘匿番号が裏面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る単独型の秘匿番号登録票であって、
前記単独型の秘匿番号登録票は、１枚のセット用紙により単独で構成され、
該セット用紙の表面が、左右に延びる上部折返し線により上端帯部とその下方部とに画されると共に、該下方部には、個人情報欄と１又は複数の秘匿番号確認窓が設けられたカードセット欄とが表面の左右に表示され、該セット用紙の表面を第１確認欄と、該セット用紙の裏面を第２確認欄とする構成であり、
前記セット用紙の表面に表示された上部折返し線を境界にして前記上端帯部を裏面側に折り返し、該セット用紙を表面にして第１重ね状態を得、
前記上部折返し線を境界にして前記上端帯部を裏面側に折り返し、該セット用紙を裏面にして第２重ね状態を得ることができ、
前記セット用紙の前記カードセット欄の前記上端帯部には、
前記組織Ｘの構成員に対応する固有の第１仮登録番号が上下逆にして表記されており、
前記セット用紙の前記折返し線の下方部には、
前記第１仮登録番号と紐づけられた第２仮登録番号が表記されていると共に、
該下方部における前記個人情報欄には、
前記データベースに登録された前記構成員等のデータ氏名を含む個人情報が予め表記されており、
該下方部における前記カードセット欄には、
該個人情報欄の構成員等の個人情報に左右対応して、該構成員等の秘匿番号記載カードの表面を露出させてセットするためのセット手段が設けられており、
前記カードセット欄に前記秘匿番号記載カードを、その表面が露出するようにセットして、
前記第１重ね状態において、前記セット用紙の表面（前記第１確認欄）の表記から、
Ｂ．（前記第２仮登録番号、前記秘匿番号記載カードの表面に記載されたカード氏名、前記個人情報欄に予め表記されたデータ氏名）を、
前記第２重ね状態において、前記折り返した上端帯部の表記及び前記セット用紙に予め設けた１又は複数のマイナンバー確認窓から、
Ａ．（前記第１仮登録番号、前記秘匿番号記載カードの裏面に記載された秘匿番号）
の情報を、前記各構成員等について確認し得るように前記セット用紙に前記１又は複数の秘匿番号確認窓が配置された、氏名が表面に、秘匿番号が裏面に記載された秘匿番号記載カード用の単独型の秘匿番号登録票。
【請求項４】
請求項３に記載のセット用紙において、前記個人情報欄に表記された前記構成員等のデータ氏名以外の個人情報を秘匿化し得る、該セット用紙を用いた用紙対型の秘匿番号登録票であって、
前記用紙対型の秘匿番号登録票は、
前記カードセット欄に１又は複数の秘匿番号確認窓が設けられ、裏面を第２確認欄とする前記セット用紙と、
複数の窓が設けられ、表面を第１確認欄とする確認用紙と、
の２枚１組の用紙対であり、
前記セット用紙の表面に表示された前記上部折返し線を境界にして前記上端帯部を裏面側に折ったセット用紙を表面にして、前記確認用紙の前記第１確認欄が表面となるように重ね合わせて第１重ね状態を得、
前記上部折返し線を境界にして前記上端帯部を裏面側に折ったセット用紙を裏面にして第２重ね状態を得ることができ、
前記カードセット欄に前記秘匿番号記載カードを、その表面が露出するようにセットして、
前記第１重ね状態において、前記確認用紙の表面の第１確認欄に設けた複数の窓から、
Ｂ．（前記第２仮登録番号、前記秘匿番号記載カードの表面に記載されたカード氏名、前記個人情報欄に予め表記されたデータ氏名）の情報を、
前記第２重ね状態において、前記折り返した上端帯部の表記及び前記セット用紙に予め設けた１又は複数のマイナンバー確認窓から、
Ａ．（前記第１仮登録番号、前記秘匿番号記載カードの裏面に記載された秘匿番号）
の情報を、前記各構成員等について確認し得るように、前記セット用紙の前記１又は複数の秘匿番号確認窓及び前記確認用紙の前記複数の窓が配置された、氏名が表面に、秘匿番号が裏面に記載された秘匿番号記載カード用の用紙対型の秘匿番号登録票。
【請求項５】
秘匿番号を組織Ｘのデータベースに登録しようとする構成員等の氏名が裏面のカード氏名記載位置に、秘匿番号が裏面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る用紙対型の秘匿番号登録票であって、
前記用紙対型の秘匿番号登録票は、
個人情報欄とカードセット欄とが表面の左右に表示されたセット用紙と、
確認欄が表面に表示される、複数の窓が配置された確認用紙と、
の２枚１組の用紙対であり、
前記カードセット欄に前記秘匿番号記載カードの裏面が前記セット用紙の表面に露出するようにセットして、
（１）前記セット用紙の表面に前記確認用紙の確認欄が表面となるように重ね合わせて第１重ね状態を得、
（２）前記セット用紙の表面に前記確認用紙の確認欄を、前記第１重ね状態から該セット用紙に対して上方又は下方にずらせて第２重ね状態を得るように構成され、
前記セット用紙の前記個人情報欄には、
前記組織Ｘの構成員に対応する固有の第１仮登録番号が表記されていると共に、前記データベースに登録された前記構成員等のデータ氏名を含む個人情報が予め表記されており、
前記セット用紙の前記カードセット欄には、
前記第１仮登録番号と紐づけられた第２仮登録番号が表記されていると共に、前記個人情報欄の構成員等の個人情報に左右対応して、該構成員等の秘匿番号記載カードの裏面をセットするためのセット手段が設けられており、
前記第１重ね状態及び前記第２重ね状態において、前記確認欄に予め設けた前記複数の窓から、
Ｂ．（前記第１仮登録番号又は前記第２仮登録番号、前記秘匿番号記載カードの裏面に記載されたカード氏名、前記個人情報欄に予め表記されたデータ氏名）
Ａ．（前記第２仮登録番号又は前記第１仮登録番号、前記秘匿番号記載カードの裏面に記載された秘匿番号）
の何れか一方ずつのみの情報を、前記各構成員等について確認し得るように前記確認欄に予め設けたそれぞれの前記複数の窓が配置された、秘匿番号と氏名が共に裏面に記載された秘匿番号記載カード用の用紙対ずらし型の秘匿番号登録票。
【請求項６】
少なくとも、氏名を含む個人情報が記載されている身分証明書を利用する請求項１乃至請求項５のいずれか１項に記載の秘匿番号登録票であって、
前記個人情報欄に、前記構成員等の身分証明書をセットするためのセット手段が設けられており、
該セット手段を用いて、該構成員等の身分証明書を該個人情報欄にセットし、該身分証明書に記載された該構成員の氏名をデータ氏名として、前記第１確認欄又は前記第２確認欄に予め設けたそれぞれの前記複数の窓から、該データ氏名を確認し得る秘匿番号登録票。
【請求項７】
前記第１確認欄に予め設けた複数の窓から、
前記
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方の情報の組を確認できる、請求項１乃至請求項６のいずれか１項に記載の第１重ね状態で、
該第１確認欄を複写して作成した第１チェック票。
【請求項８】
請求項７に記載の第１確認欄の複数の窓から確認できる前記Ａ又は前記Ｂの何れか一方の情報の組とは他方の情報の組を確認できる、請求項１乃至請求項５のいずれか１項に記載の第２重ね状態で、
前記第２確認欄を複写して作成した第２チェック票。
【請求項９】
前記秘匿番号は、重複しないユニークな１２桁の個人番号である、日本政府が国民各個人に付与するマイナンバーであり、
前記秘匿番号記載カードは、マイナンバー通知カード（以下、「通知カード」ともいう。）である、請求項１又は２に記載の秘匿番号登録票。
【請求項１０】
前記秘匿番号は、重複しないユニークな１２桁の個人番号である、日本政府が国民各個人に付与するマイナンバーであり、
前記秘匿番号記載カードは、個人番号カード（以下、「マイナンバーカード」ともいう。）である、請求項１乃至請求項５のいずれか１項に記載の秘匿番号登録票。
【請求項１１】
国民の氏名とマイナンバーが、共に表面のカード氏名記載位置とマイナンバー記載位置とに記載された通知カードを用いて、マイナンバー管理者を有する組織Ｘが、該組織Ｘの構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る通知カード用の冊子型のマイナンバー登録票（以下、「冊子型の第１マイナンバー登録票」ともいう。）であって、
前記通知カード用のマイナンバー登録票は、同一形状の第１確認欄と個人情報欄と通知カードセット欄（以下、「カードセット欄」ともいう。）と第２確認欄と、を有する１又は複数の用紙からなり、
同一用紙の左右に隣接した前記個人情報欄と前記カードセット欄との境界線（以下、「第１境界線」という。）で前記通知カード用のマイナンバー登録票の該個人情報欄を折返すと、前記第１確認欄が該カードセット欄に重なり合い（以下、「第１重ね状態」という。）、
該カードセット欄の右端の境界線（以下、「第２境界線」という。）で該通知カード用のマイナンバー登録票を折返すと、前記第２確認欄が該カードセット欄に重なり合う（以下、「第２重ね状態」という。）ように構成され、
前記個人情報欄には、前記データベースに登録された前記構成員等の氏名（以下、「データ氏名」ともいう。）を含む個人情報が予め表記されており、
前記個人情報欄に隣接する前記カードセット欄には、
前記組織Ｘの構成員に対応する固有の第１仮登録番号及び／又は前記データ氏名と、該第１仮登録番号と紐づけられた第２仮登録番号と、が予め表記されていると共に、構成員等の通知カードをセットするためのセット手段が、該個人情報欄の個人情報に左右対応して設けられており、
前記第１確認欄には、前記第１重ね状態で、
前記カードセット欄に表記された第２仮登録番号の位置に、第２仮登録番号確認窓が、
前記セット手段により該カードセット欄にセットされた通知カードのマイナンバー記載位置に対応する位置に、マイナンバー確認窓が、
それぞれ設けられ、
前記第２確認欄には、前記第２重ね状態で、
前記カードセット欄に表記された第１仮登録番号及びデータ氏名の位置に、第１仮登録番号確認窓及びデータ氏名確認窓が、
前記セット手段により該カードセット欄にセットされた通知カードのカード氏名記載位置に対応する位置に、カード氏名確認窓が、
それぞれ設けられている、通知カード用の冊子型のマイナンバー登録票。
【請求項１２】
国民の氏名とマイナンバーが、共に表面のカード氏名記載位置とマイナンバー記載位置とに記載された通知カードを用いて、
マイナンバー管理者を有する組織Ｘが、該組織Ｘの構成員等の氏名を含む個人情報を管理するデータベースに、該構成員等のマイナンバーを該構成員等の個人情報と紐づけて確実に登録し、該マイナンバーに関する機密を保持しながら第三者に該登録の確実性をチェックさせ得る通知カード用の用紙対型のマイナンバー登録票（以下、「用紙対型の第１マイナンバー登録票」ともいう。）であって、
前記用紙対型の第１マイナンバー登録票は、
個人情報欄とカードセット欄とが表面の左右に表示されるセット用紙と、
第１確認欄と第２確認欄とが表裏面又は表面のみに表示される、複数の窓が配置された確認用紙と、
の２枚１組の用紙対であり、
前記セット用紙の表面に、前記確認用紙の前記第１確認欄が表面となるように重ね合わせて第１重ね状態を得、
前記セット用紙の表面に、前記確認用紙の前記第２確認欄が表面となるように重ね合わせて第２重ね状態を得るように構成され、
前記セット用紙の前記個人情報欄には、
前記組織Ｘの構成員に対応する固有の第１仮登録番号と紐づけられた第２仮登録番号が表記されていると共に、前記データベースに登録された前記構成員等のデータ氏名を含む個人情報が予め表記されており、
前記セット用紙の前記カードセット欄には、
前記第１仮登録番号が表記されていると共に、前記個人情報欄の構成員等の個人情報に左右対応して、該構成員等の通知カードをセットするためのセット手段が設けられており、
前記カードセット欄に前記通知カードを、その表面が露出するようにセットして、
前記第１重ね状態において、前記第１確認欄に予め設けた前記複数の窓から、
Ａ．（前記第１仮登録番号又は前記第２仮登録番号、前記通知カード表面に記載されたマイナンバー）
前記第２重ね状態において、前記第２確認欄に予め設けた前記複数の窓から、
Ｂ．（前記第２仮登録番号又は前記第１仮登録番号、前記通知カード表面に記載されたカード氏名、前記個人情報欄に予め表記されたデータ氏名）
の何れか一方ずつのみの情報を、各前記各構成員等について確認し得るように、前記第１確認欄及び前記第２確認欄に予め設けたそれぞれの前記複数の窓が配置された、通知カード用の用紙対型のマイナンバー登録票。
【請求項１３】
国民の氏名が表面のカード氏名記載位置に、マイナンバーが裏面のマイナンバー記載位置に、それぞれ記載された個人番号カード（マイナンバーカード）を用いて、
マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の冊子型のマイナンバー登録票（以下、「冊子型の第２マイナンバー登録票」ともいう。）であって、
前記冊子型の第２マイナンバー登録票は、同一形状の第１確認欄と個人情報欄とマイナンバーカードセット欄（以下、「カードセット欄」ともいう。）と第２確認欄と、を順に有する１又は複数の用紙からなり、
左右に隣接した前記個人情報欄と前記カードセット欄との境界線で前記冊子型の第２マイナンバー登録票の該個人情報欄を折返すと、前記第１確認欄が該カードセット欄に重なり合うと同時に、前記第２確認欄が該個人情報欄に重なり合う（以下、「重ね状態」という。）ように構成され、
前記個人情報欄には、前記組織Ｘの構成員に対応する固有の第１仮登録番号又はこれと紐づけられた第２仮登録番号、及び、前記データベースに登録された前記構成員等のデータ氏名を含む個人情報が予め表記されており、
前記個人情報欄に隣接する前記カードセット欄には、
前記第２仮登録番号又は前記第１仮登録番号及びデータ氏名が予め表記されていると共に、構成員等のマイナンバーカードをセットするためのセット手段が、該個人情報欄の個人情報に左右対応して設けられており、
前記第１確認欄には、前記重ね状態で、
前記マイナンバーカードセット欄に表記された前記第２仮登録番号又は前記第１仮登録番号及びデータ氏名の位置に、第２仮登録番号確認窓又は前記第１仮登録番号確認窓及びデータ氏名確認窓が、
前記セット手段により該マイナンバーカードセット欄にセットされたマイナンバーカードの表面のカード氏名記載位置に対応する位置に、カード氏名確認窓が、
それぞれ一致するように設けられ、
前記第２確認欄には、
前記セット手段により該マイナンバーカードセット欄にセットされたマイナンバーカード裏側のマイナンバー記載位置に対応する位置に、マイナンバー確認窓が、
および、
前記重ね状態で、前記個人情報欄に表記された前記第１仮登録番号又は前記第２仮登録番号の位置に、第１仮登録番号確認窓又は前記第２仮登録番号確認窓が、
それぞれ一致するように配置されている、個人番号カード用の冊子型のマイナンバー登録票。
【請求項１４】
前記第２確認欄に、第２仮登録番号が予め表記された、請求項１３に記載の個人番号カード用の冊子型のマイナンバー登録票。
【請求項１５】
国民の氏名が表面のカード氏名記載位置に、マイナンバーが裏面のマイナンバー記載位置に、それぞれ記載された個人番号カード（マイナンバーカード）を用いて、
マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の単独型のマイナンバー登録票（以下、「単独型の第２マイナンバー登録票」ともいう。）であって、
前記単独型の第２マイナンバー登録票は、１枚のセット用紙により単独で構成され、
該セット用紙の表面が、左右に延びる上部折返し線により上端帯部とその下方部とに画されると共に、該下方部には、個人情報欄と１又は複数の秘匿番号確認窓が設けられたカードセット欄とが表面の左右に表示され、該セット用紙の表面を第１確認欄と、該セット用紙の裏面を第２確認欄とする構成であり、
前記セット用紙の表面に表示された上部折返し線を境界にして前記上端帯部を裏面側に折り返し、該セット用紙を表面にして第１重ね状態を得、
前記上部折返し線を境界にして前記上端帯部を裏面側に折り返し、該セット用紙を裏面にして第２重ね状態を得ることができ、
前記セット用紙の前記カードセット欄の前記上端帯部には、
前記組織Ｘの構成員に対応する固有の第１仮登録番号が上下逆にして表記されており、
前記セット用紙の前記折返し線の下方部には、
前記第１仮登録番号と紐づけられた第２仮登録番号が表記されていると共に、
該下方部における前記個人情報欄には、
前記データベースに登録された前記構成員等のデータ氏名を含む個人情報が予め表記されており、
該下方部における前記カードセット欄には、
該個人情報欄の構成員等の個人情報に左右対応して、該構成員等の個人番号カードの表面を露出させてセットするためのセット手段が設けられており、
前記カードセット欄に前記個人番号カードの表面が露出するようにセットして、
前記第１重ね状態において、前記セット用紙の表面（前記第１確認欄）の表記及び前記個人番号カードの表面の記載から、
Ｂ．（前記第２仮登録番号、前記個人番号カードの表面に記載されたカード氏名、前記個人情報欄に予め表記されたデータ氏名）の情報を、
前記第２重ね状態において、前記折り返した上端帯部の表記及び前記確認用紙に予め設けた１又は複数のマイナンバー確認窓から、
Ａ．（前記第１仮登録番号、前記個人番号カードの裏面に記載されたマイナンバー）
の情報を、前記各構成員等について確認し得るように前記セット用紙に前記１又は複数のマイナンバー確認窓が配置された、個人番号カード用の単独型のマイナンバー登録票。
【請求項１６】
請求項１５に記載のセット用紙において、前記個人情報欄に表記された前記構成員等のデータ氏名以外の個人情報を秘匿化し得る、該セット用紙を用いた個人番号カード用の用紙対型のマイナンバー登録票（以下、「用紙対型の第２マイナンバー登録票」ともいう。）であって、
前記用紙対型の第２マイナンバー登録票は、
前記カードセット欄に１又は複数のマイナンバー確認窓が設けられ、裏面を第２確認欄とする前記セット用紙と、
複数の窓が設けられ、表面を第１確認欄とする確認用紙と、
の２枚１組の用紙対であり、
前記セット用紙の表面に表示された上部折返し線を境界にして前記上端帯部を裏面側に折ったセット用紙を表面にして、前記確認用紙の前記第１確認欄が表面となるように重ね合わせて第１重ね状態を得、
前記上部折返し線を境界にして前記上端帯部を裏面側に折ったセット用紙を裏面にして第２重ね状態を得ることができ、
前記カードセット欄に前記個人番号カードの表面が露出するようにセットして、
前記第１重ね状態において、前記確認用紙の表面の第１確認欄に設けた複数の窓から、
Ｂ．（前記第２仮登録番号、前記個人番号カードの表面に記載されたカード氏名、前記個人情報欄に予め表記されたデータ氏名）の情報を、
前記第２重ね状態において、前記折り返した上端帯部の表記及び前記セット用紙に予め設けた１又は複数のマイナンバー確認窓から、
Ａ．（前記第１仮登録番号、前記個人番号カードの裏面に記載されたマイナンバー）
の情報を、前記各構成員等について確認し得るように前記セット用紙の前記１又は複数のマイナンバー確認窓及び前記確認用紙の前記複数の窓が配置された、個人番号カード用の用紙対型のマイナンバー登録票。
【請求項１７】
国民の氏名及びマイナンバーが、裏面のカード氏名記載位置及びマイナンバー記載位置に、それぞれ記載された個人番号カード（マイナンバーカード）を用いて、
マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の用紙対型のマイナンバー登録票（以下、「用紙対ずらし型の第２マイナンバー登録票」ともいう。）であって、
前記用紙対ずらし型の第２マイナンバー登録票は、
個人情報欄とカードセット欄とが表面の左右に表示されたセット用紙と、
確認欄が表面に表示される、複数の窓が配置された確認用紙と、
の２枚１組の用紙対であり、
前記カードセット欄に前記個人番号カードの裏面が前記セット用紙の表面に露出するようにセットして、
（１）前記セット用紙の表面に前記確認用紙の確認欄が表面となるように重ね合わせて第１重ね状態を得、
（２）前記セット用紙の表面に前記確認用紙の確認欄を、前記第１重ね状態から該セット用紙に対して上方又は下方にずらせて第２重ね状態を得るように構成され、
前記セット用紙の前記個人情報欄には、
前記組織Ｘの構成員に対応する固有の第１仮登録番号が表記されていると共に、前記データベースに登録された前記構成員等のデータ氏名を含む個人情報が予め表記されており、
前記セット用紙の前記カードセット欄には、
前記第１仮登録番号と紐づけられた第２仮登録番号が表記されていると共に、前記個人情報欄の構成員等の個人情報に左右対応して、該構成員等のマイナンバーカードの裏面をセットするためのセット手段が設けられており、
前記第１重ね状態及び前記第２重ね状態において、前記確認欄に予め設けた前記複数の窓から、
Ｂ．（前記第１仮登録番号、前記個人番号カードの裏面に記載されたカード氏名、前記個人情報欄に予め表記されたデータ氏名）
Ａ．（前記第２仮登録番号、前記個人番号カードの裏面に記載されたマイナンバー）
の何れか一方ずつのみの情報を、前記各構成員等について確認し得るように前記確認欄に予め設けたそれぞれの前記複数の窓が配置された、個人番号カードの裏面をセットする用紙対ずらし型のマイナンバー登録票。
【請求項１８】
少なくとも、氏名を含む個人情報が記載されている身分証明書を利用する請求項１１乃至請求項１７のいずれか１項に記載のマイナンバー登録票であって、
前記個人情報欄に、前記構成員等の身分証明書をセットするためのセット手段が設けられており、
該セット手段を用いて、該構成員等の身分証明書を該個人情報欄にセットし、該身分証明書に記載された該構成員の氏名をデータ氏名として、前記第１確認欄に予め設けた前記複数の窓から、該データ氏名を確認し得る、マイナンバー登録票。
【請求項１９】
秘匿番号を組織Ｘのデータベースに登録しようとする構成員等の氏名が表面のカード氏名記載位置に、秘匿番号が表面の秘匿番号記載位置に、それぞれ記載された上記秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る秘匿番号登録・確認方法であって、
（ステップ１）前記秘匿番号管理者が、
少なくとも、前記データベースに登録された前記構成員等のデータ氏名を含む個人情報が予め表記された個人情報欄、
少なくとも、該個人情報欄の構成員等の個人情報に左右対応して、該構成員等の秘匿番号記載カードをセットするためのセット手段が設けられたカードセット欄、
および、それぞれ１又は複数の窓を設けた第１確認欄と第２確認欄、
を有する秘匿番号登録票を準備するステップと、
（ステップ２）前記組織Ｘの構成員等が、該組織Ｘから受け取った前記秘匿番号登録票の前記個人情報欄に表記された個人情報に対応させて、前記カードセット欄に、該構成員等それぞれの前記秘匿番号記載カードを、前記セット手段を用いてセットするステップと、
（ステップ３）前記第１確認欄及び前記第２確認欄に設けた前記１又は複数の窓を用いて、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の２つの情報の組を、それぞれ前記各構成員等について確認し得るように、該第１確認欄を前記カードセット欄及び／又は前記個人情報欄と重なり合わせる第１重ね状態と、該第２確認欄を該個人情報欄及び／又は該カードセット欄と重なり合わせる第２重ね状態とを形成するステップと、
（ステップ４）前記第１重ね状態及び前記第２重ね状態で、前記第１確認欄及び前記第２確認欄を複写して、それぞれ第１チェック票及び第２チェック票を作成するステップと、
（ステップ５）前記組織Ｘの構成員等が、前記第１チェック票と前記第２チェック票とを、
該組織Ｘに提出するステップと、
を含む、秘匿番号登録・確認方法。
【請求項２０】
さらに、
（ステップ６）前記第１チェック票を前記構成員等から回収した前記組織Ｘの管理者が、該第１チェック票を第三者に引き渡すステップと、
（ステップ７）前記第三者に、前記１又は複数の窓を介して前記第１チェック票に複写された秘匿番号を、同じく該第１チェック票に複写された前記第２仮登録番号又は前記第１仮登録番号に対応させて、前記データベースに入力・登録させるステップと、
を含む、請求項１９に記載の秘匿番号登録・確認方法。
【請求項２１】
さらに、
（ステップ８）前記第２チェック票を前記構成員等から回収した前記組織Ｘの管理者が、該第２チェック票を第三者に引き渡すステップと、
（ステップ９）前記第三者に、前記１又は複数の窓を介して、前記第１仮登録番号又は前記第２仮登録番号と共に前記第２チェック票に複写された、前記データベースに記憶された前記データ氏名が、同じく該第２チェック票に前記秘匿番号記載カードから複写されたカード氏名に一致するかを確認させるステップと、
を含む、請求項２０に記載の秘匿番号登録・確認方法。
【請求項２２】
前記秘匿番号は、重複しないユニークな１２桁の個人番号である、日本政府が国民各個人に付与するマイナンバーであり、
前記秘匿番号記載カードは、マイナンバー通知カード（通知カード）、又は、個人番号カード（マイナンバーカード）である、請求項１９に記載の秘匿番号登録票。
【発明の詳細な説明】
【技術分野】
【０００１】
本発明は、組織Ｘが、その構成員およびその扶養家族のマイナンバーをデータベースに登録・管理するためのマイナンバー登録票、及び、マイナンバー登録票を作成するための通知カードセット用紙とプレ登録票、及びマイナンバー登録票を用いたチェック票、および、これらの登録票や用紙、チェック票を用いたマイナンバー登録・確認方法に関する。
【背景技術】
【０００２】
通称「マイナンバー」とは、日本政府が国民各個人に付与する、重複しないユニークな１２桁の個人番号である。マイナンバーは、各個人の氏名・住所・生年月日・性別・所属市町村などの個人情報と紐づけられており、例えば、年金や保険料、所得税などの行政サービスを担当する行政機関が、それぞれのサーバーやデータベースで管理する。
【０００３】
このような行政事務の効率化を図る通称マイナンバー制度は、日本国において、２０１３年５月に関連法が国会で成立し、２０１６年１月からマイナンバー制度の利用が開始される。
【０００４】
構成員を有する各種法人、商店等の組織は、各組織に所属する構成員及びその扶養者（以下、「構成員等」ともいう。）の年金・健康保険・労働保険を管理し、各担当の行政機関に対して必要な手続きを行うが、マイナンバーを利用することで手続きが簡素化され、労力も軽減される。
【０００５】
しかし、上述のように、マイナンバーには個人情報が紐づけられて管理されるため、法律によりマイナンバーの利用には厳格な制限が課せられており、マイナンバーに係る個人情報漏洩などの管理ミスや違反に対しては、重い罰則規定が設けられている。したがって、構成員等のマイナンバーを管理する組織は、個人情報の秘匿を含めたマイナンバー管理の大きな負担を負わなければならない。
【０００６】
このような課題を解決するために、特許文献１は、マイナンバーに紐づけた仮番号を利用した個人番号管理装置および個人番号管理方法を開示し、組織に対してマイナンバー管理の負担を軽減化する提案を提供している。
【０００７】
【特許文献１】特開２０１５−７９４０６号公報
【発明の概要】
【発明が解決しようとする課題】
【０００８】
上述のような個人情報の秘匿を含めたマイナンバー管理負担に加えて、構成員等のマイナンバーを管理する組織は、マイナンバー制度の導入に当たって、当該組織が管理するデータベースに、構成員等のマイナンバーを正確に入力・登録しなければならないという負担を負う。一度登録すれば、上述のように、以後の年金・健康保険・労働保険などの行政機関に対しする手続きは、非常に負担が軽減されるが、大量の構成員等を有する組織は、構成員等の個人情報漏洩を防止しつつ、大量のマイナンバーを正確にデータベースに入力・登録しなければならない。
【０００９】
そこで本発明は、組織Ｘが、その構成員およびその扶養家族のマイナンバーをデータベースに登録・管理するためのマイナンバー登録票、チェック票、および、これらの登録票やチェック票を用いたマイナンバー登録・確認方法を提供することを目的とする。
【課題を解決するための手段】
【００１０】
本発明に係る秘匿番号と氏名が共に表面に記載された秘匿番号記載カード用の冊子型の秘匿番号登録票は、秘匿番号を組織Ｘのデータベースに登録しようとする構成員等（該組織Ｘに関連して、該データベースに、自己及び／又はその関係者の該秘匿番号と個人情報を登録しようとする者）の氏名が表面のカード氏名記載位置に、秘匿番号が表面の秘匿番号記載位置に、それぞれ記載された秘匿番号記載カードを用いて、
秘匿番号管理者を有する該組織Ｘが、該組織Ｘの構成員等の氏名を含む個人情報を管理するデータベースに、該構成員等の秘匿番号を該構成員等の該個人情報と紐づけて確実に登録し、該秘匿番号に関する機密を保持しながら第三者に該登録の確実性をチェックさせ得る冊子型の秘匿番号登録票であって、
前記秘匿番号登録票は、複数の窓が配置された第１確認欄と個人情報欄と秘匿番号記載カードセット欄（以下、「カードセット欄」ともいう。）と複数の窓が配置された第２確認欄と、を順に有する１又は複数の用紙からなり、
前記カードセット欄の左端又は右端で折り返すことにより、前記第１確認欄が該カードセット欄と重なり合う第１重ね状態、および、前記第２確認欄が前記個人情報欄及び／又は該カードセット欄と重なり合う第２重ね状態を得るように構成され、
前記個人情報欄には、少なくとも、前記データベースに登録された前記構成員等の氏名（以下、「データ氏名」という。）を含む個人情報が予め表記されており、
前記個人情報欄に隣接する前記カードセット欄には、少なくとも、該個人情報欄に表記された前記構成員等の前記個人情報に左右対応して、該構成員等の秘匿番号記載カードをセットするためのセット手段が設けられており、
前記組織Ｘの構成員に対応する固有の第１仮登録番号および該第１仮登録番号と紐づけられた第２仮登録番号が、前記カードセット欄又は前記個人情報欄に予め表記されており、
前記カードセット欄に前記秘匿番号記載カードを、その表面が露出するようにセットして、該カードセット欄の左端又は右端で折り返し、前記第１重ね状態及び前記第２重ね状態において、前記第１確認欄及び前記第２確認欄に予め設けたそれぞれの前記複数の窓から、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方ずつのみの情報を、前記各構成員等について確認し得るように、前記第１確認欄及び前記第２確認欄に予め設けたそれぞれの前記複数の窓が配置される。
【００１１】
本発明に係る秘匿番号と氏名が共に表面に記載された秘匿番号記載カード用の冊子型の秘匿番号登録票は、秘匿番号を組織Ｘのデータベースに登録しようとする構成員等の氏名が表面のカード氏名記載位置に、秘匿番号が表面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る用紙対型の秘匿番号登録票であって、
前記用紙対型の秘匿番号登録票は、個人情報欄とカードセット欄とが表面の左右に表示されるセット用紙と、複数の窓を共有する第１確認欄と第２確認欄とが表裏面又は表面のみに表示される確認用紙と、の２枚１組の用紙対であり、
前記セット用紙の表面に、前記確認用紙の前記第１確認欄が表面となるように重ね合わせて第１重ね状態を得、前記セット用紙の表面に、前記確認用紙の前記第２確認欄が表面となるように重ね合わせて第２重ね状態を得るように構成され、
前記セット用紙の前記個人情報欄には、少なくとも、前記データベースに登録された前記構成員等のデータ氏名を含む個人情報が予め表記されており、
前記セット用紙の前記カードセット欄には、少なくとも、該個人情報欄の構成員等の個人情報に左右対応して、該構成員等の秘匿番号記載カードをセットするためのセット手段が設けられており、また、前記組織Ｘの構成員に対応する固有の第１仮登録番号および該第１仮登録番号と紐づけられた第２仮登録番号が、前記セット用紙の前記カードセット欄又は前記個人情報欄に予め表記されており、
前記カードセット欄に前記秘匿番号記載カードを、その表面が露出するようにセットして、
前記第１重ね状態及び前記第２重ね状態において、前記第１確認欄及び前記第２確認欄に予め設けたそれぞれの前記複数の窓から、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方ずつのみの情報を、前記各構成員等について確認し得るように前記第１確認欄及び前記第２確認欄に予め設けたそれぞれの前記複数の窓が配置される。
【００１２】
本発明に係る、氏名が表面に、秘匿番号が裏面に記載された秘匿番号記載カード用の単独型の秘匿番号登録票は、秘匿番号を組織Ｘのデータベースに登録しようとする構成員等の氏名が表面のカード氏名記載位置に、秘匿番号が裏面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る単独型の秘匿番号登録票であって、
前記単独型の秘匿番号登録票は、１枚のセット用紙により単独で構成され、該セット用紙の表面が、左右に延びる上部折返し線により上端帯部とその下方部とに画されると共に、該下方部には、個人情報欄と１又は複数の秘匿番号確認窓が設けられたカードセット欄とが表面の左右に表示され、該セット用紙の表面を第１確認欄と、該セット用紙の裏面を第２確認欄とする構成であり、
前記セット用紙の表面に表示された上部折返し線を境界にして前記上端帯部を裏面側に折り返し、該セット用紙を表面にして第１重ね状態を得、
前記上部折返し線を境界にして前記上端帯部を裏面側に折り返し、該セット用紙を裏面にして第２重ね状態を得ることができ、
前記セット用紙の前記カードセット欄の前記上端帯部には、前記組織Ｘの構成員に対応する固有の第１仮登録番号が上下逆にして表記されており、前記セット用紙の前記折返し線の下方部には、前記第１仮登録番号と紐づけられた第２仮登録番号が表記されていると共に、該下方部における前記個人情報欄には、前記データベースに登録された前記構成員等のデータ氏名を含む個人情報が予め表記されており、
該下方部における前記カードセット欄には、該個人情報欄の構成員等の個人情報に左右対応して、該構成員等の秘匿番号記載カードの表面を露出させてセットするためのセット手段が設けられており、
前記カードセット欄に前記秘匿番号記載カードを、その表面が露出するようにセットして、
前記第１重ね状態において、前記セット用紙の表面（前記第１確認欄）の表記から、
Ｂ．（前記第２仮登録番号、前記秘匿番号記載カードの表面に記載されたカード氏名、前記個人情報欄に予め表記されたデータ氏名）を、
前記第２重ね状態において、前記折り返した上端帯部の表記及び前記セット用紙に予め設けた１又は複数のマイナンバー確認窓から、
Ａ．（前記第１仮登録番号、前記秘匿番号記載カードの裏面に記載された秘匿番号）
の情報を、前記各構成員等について確認し得るように前記セット用紙に前記１又は複数の秘匿番号確認窓が配置される。
【００１３】
本発明に係る、氏名が表面に、秘匿番号が裏面に記載された秘匿番号記載カード用の用紙対型の秘匿番号登録票は、上記のセット用紙において、前記個人情報欄に表記された前記構成員等のデータ氏名以外の個人情報を秘匿化し得る、該セット用紙を用いた用紙対型の秘匿番号登録票であって、
前記用紙対型の秘匿番号登録票は、前記カードセット欄に１又は複数の秘匿番号確認窓が設けられ、裏面を第２確認欄とする前記セット用紙と、複数の窓が設けられ、表面を第１確認欄とする確認用紙との２枚１組の用紙対であり、
前記セット用紙の表面に表示された前記上部折返し線を境界にして前記上端帯部を裏面側に折ったセット用紙を表面にして、前記確認用紙の前記第１確認欄が表面となるように重ね合わせて第１重ね状態を得、前記上部折返し線を境界にして前記上端帯部を裏面側に折ったセット用紙を裏面にして第２重ね状態を得ることができ、
前記カードセット欄に前記秘匿番号記載カードを、その表面が露出するようにセットして、
前記第１重ね状態において、前記確認用紙の表面の第１確認欄に設けた複数の窓から、
Ｂ．（前記第２仮登録番号、前記秘匿番号記載カードの表面に記載されたカード氏名、前記個人情報欄に予め表記されたデータ氏名）の情報を、
前記第２重ね状態において、前記折り返した上端帯部の表記及び前記セット用紙に予め設けた１又は複数のマイナンバー確認窓から、
Ａ．（前記第１仮登録番号、前記秘匿番号記載カードの裏面に記載された秘匿番号）
の情報を、前記各構成員等について確認し得るように、前記セット用紙の前記１又は複数の秘匿番号確認窓及び前記確認用紙の前記複数の窓が配置される。
【００１４】
本発明に係る秘匿番号と氏名が共に裏面に記載された秘匿番号記載カード用の用紙対ずらし型の秘匿番号登録票（用紙対ずらし型の秘匿番号登録票）は、秘匿番号を組織Ｘのデータベースに登録しようとする構成員等の氏名が裏面のカード氏名記載位置に、秘匿番号が裏面の秘匿番号記載位置に、それぞれ記載された秘匿番号記載カードを用いて、
秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る用紙対型の秘匿番号登録票であって、
前記用紙対型の秘匿番号登録票は、個人情報欄とカードセット欄とが表面の左右に表示されたセット用紙と、確認欄が表面に表示される、複数の窓が配置された確認用紙と、
の２枚１組の用紙対であり、
前記カードセット欄に前記秘匿番号記載カードの裏面が前記セット用紙の表面に露出するようにセットして、
（１）前記セット用紙の表面に前記確認用紙の確認欄が表面となるように重ね合わせて第１重ね状態を得、
（２）前記セット用紙の表面に前記確認用紙の確認欄を、前記第１重ね状態から該セット用紙に対して上方又は下方にずらせて第２重ね状態を得るように構成され、
前記セット用紙の前記個人情報欄には、前記組織Ｘの構成員に対応する固有の第１仮登録番号が表記されていると共に、前記データベースに登録された前記構成員等のデータ氏名を含む個人情報が予め表記されており、前記セット用紙の前記カードセット欄には、前記第１仮登録番号と紐づけられた第２仮登録番号が表記されていると共に、前記個人情報欄の構成員等の個人情報に左右対応して、該構成員等の秘匿番号記載カードの裏面をセットするためのセット手段が設けられており、
前記第１重ね状態及び前記第２重ね状態において、前記確認欄に予め設けた前記複数の窓から、
Ｂ．（前記第１仮登録番号又は前記第２仮登録番号、前記秘匿番号記載カードの裏面に記載されたカード氏名、前記個人情報欄に予め表記されたデータ氏名）
Ａ．（前記第２仮登録番号又は前記第１仮登録番号、前記秘匿番号記載カードの裏面に記載された秘匿番号）
の何れか一方ずつのみの情報を、前記各構成員等について確認し得るように前記確認欄に予め設けたそれぞれの前記複数の窓が配置される。
【００１５】
本発明に係る秘匿番号登録票は、少なくとも、氏名を含む個人情報が記載されている身分証明書を利用する上記秘匿番号登録票であって、
前記個人情報欄に、前記構成員等の身分証明書をセットするためのセット手段が設けられており、該セット手段を用いて、該構成員等の身分証明書を該個人情報欄にセットし、該身分証明書に記載された該構成員の氏名をデータ氏名として、前記第１確認欄又は前記第２確認欄に予め設けたそれぞれの前記複数の窓から、該データ氏名を確認し得る。
【００１６】
本発明に係る第１チェック票は、前記第１確認欄に予め設けた複数の窓から、前記
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の何れか一方の情報の組を確認できる上記第１重ね状態で、該第１確認欄を複写して作成する。
【００１７】
本発明に係る第２チェック票は、前記第１確認欄の複数の窓から確認できる前記Ａ又は前記Ｂの何れか一方の情報の組とは他方の情報の組を確認できる、上記第２重ね状態で、前記第２確認欄を複写して作成する。
【００１８】
本発明に係る秘匿番号登録票において、前記秘匿番号は、重複しないユニークな１２桁の個人番号である、日本政府が国民各個人に付与するマイナンバーであり、前記秘匿番号記載カードは、マイナンバー通知カード（以下、「通知カード」ともいう。）であってよい。
【００１９】
本発明に係る秘匿番号登録票において、前記秘匿番号は、重複しないユニークな１２桁の個人番号である、日本政府が国民各個人に付与するマイナンバーであり、前記秘匿番号記載カードは、個人番号カード（以下、「マイナンバーカード」ともいう。）であってもよい。
【００２０】
本発明に係る通知カード用の冊子型のマイナンバー登録票は、国民の氏名とマイナンバーが、共に表面のカード氏名記載位置とマイナンバー記載位置とに記載された通知カードを用いて、マイナンバー管理者を有する組織Ｘが、該組織Ｘの構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る通知カード用の冊子型のマイナンバー登録票（以下、「冊子型の第１マイナンバー登録票」ともいう。）であって、
前記通知カード用のマイナンバー登録票は、同一形状の第１確認欄と個人情報欄と通知カードセット欄（以下、「カードセット欄」ともいう。）と第２確認欄と、を有する１又は複数の用紙からなり、
同一用紙の左右に隣接した前記個人情報欄と前記カードセット欄との境界線（以下、「第１境界線」という。）で前記通知カード用のマイナンバー登録票の該個人情報欄を折返すと、前記第１確認欄が該カードセット欄に重なり合い（以下、「第１重ね状態」という。）、
該カードセット欄の右端の境界線（以下、「第２境界線」という。）で該通知カード用のマイナンバー登録票を折返すと、前記第２確認欄が該カードセット欄に重なり合う（以下、「第２重ね状態」という。）ように構成され、
前記個人情報欄には、前記データベースに登録された前記構成員等の氏名（以下、「データ氏名」ともいう。）を含む個人情報が予め表記されており、前記個人情報欄に隣接する前記カードセット欄には、前記組織Ｘの構成員に対応する固有の第１仮登録番号及び／又は前記データ氏名と、該第１仮登録番号と紐づけられた第２仮登録番号と、が予め表記されていると共に、構成員等の通知カードをセットするためのセット手段が、該個人情報欄の個人情報に左右対応して設けられており、
前記第１確認欄には、前記第１重ね状態で、前記カードセット欄に表記された第２仮登録番号の位置に、第２仮登録番号確認窓が、
前記セット手段により該カードセット欄にセットされた通知カードのマイナンバー記載位置に対応する位置に、マイナンバー確認窓が、それぞれ設けられ、
前記第２確認欄には、前記第２重ね状態で、前記カードセット欄に表記された第１仮登録番号及びデータ氏名の位置に、第１仮登録番号確認窓及びデータ氏名確認窓が、
前記セット手段により該カードセット欄にセットされた通知カードのカード氏名記載位置に対応する位置に、カード氏名確認窓が、
それぞれ設けられている。
【００２１】
本発明に係る通知カード用の用紙対型のマイナンバー登録票は、国民の氏名とマイナンバーが、共に表面のカード氏名記載位置とマイナンバー記載位置とに記載された通知カードを用いて、マイナンバー管理者を有する組織Ｘが、該組織Ｘの構成員等の氏名を含む個人情報を管理するデータベースに、該構成員等のマイナンバーを該構成員等の個人情報と紐づけて確実に登録し、該マイナンバーに関する機密を保持しながら第三者に該登録の確実性をチェックさせ得る通知カード用の用紙対型のマイナンバー登録票（以下、「用紙対型の第１マイナンバー登録票」ともいう。）であって、
前記用紙対型の第１マイナンバー登録票は、個人情報欄とカードセット欄とが表面の左右に表示されるセット用紙と、第１確認欄と第２確認欄とが表裏面又は表面のみに表示される、複数の窓が配置された確認用紙と、の２枚１組の用紙対であり、
前記セット用紙の表面に、前記確認用紙の前記第１確認欄が表面となるように重ね合わせて第１重ね状態を得、前記セット用紙の表面に、前記確認用紙の前記第２確認欄が表面となるように重ね合わせて第２重ね状態を得るように構成され、
前記セット用紙の前記個人情報欄には、前記組織Ｘの構成員に対応する固有の第１仮登録番号と紐づけられた第２仮登録番号が表記されていると共に、前記データベースに登録された前記構成員等のデータ氏名を含む個人情報が予め表記されており、
前記セット用紙の前記カードセット欄には、前記第１仮登録番号が表記されていると共に、前記個人情報欄の構成員等の個人情報に左右対応して、該構成員等の通知カードをセットするためのセット手段が設けられており、
前記カードセット欄に前記通知カードを、その表面が露出するようにセットして、前記第１重ね状態において、前記第１確認欄に予め設けた前記複数の窓から、
Ａ．（前記第１仮登録番号又は前記第２仮登録番号、前記通知カード表面に記載されたマイナンバー）
前記第２重ね状態において、前記第２確認欄に予め設けた前記複数の窓から、
Ｂ．（前記第２仮登録番号又は前記第１仮登録番号、前記通知カード表面に記載されたカード氏名、前記個人情報欄に予め表記されたデータ氏名）
の何れか一方ずつのみの情報を、各前記各構成員等について確認し得るように、前記第１確認欄及び前記第２確認欄に予め設けたそれぞれの前記複数の窓が配置される。
【００２２】
本発明に係る個人番号カード用の冊子型のマイナンバー登録票は、国民の氏名が表面のカード氏名記載位置に、マイナンバーが裏面のマイナンバー記載位置に、それぞれ記載された個人番号カード（マイナンバーカード）を用いて、マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の冊子型のマイナンバー登録票（以下、「冊子型の第２マイナンバー登録票」ともいう。）であって、
前記冊子型の第２マイナンバー登録票は、同一形状の第１確認欄と個人情報欄とマイナンバーカードセット欄（以下、「カードセット欄」ともいう。）と第２確認欄と、を順に有する１又は複数の用紙からなり、
左右に隣接した前記個人情報欄と前記カードセット欄との境界線で前記冊子型の第２マイナンバー登録票の該個人情報欄を折返すと、前記第１確認欄が該カードセット欄に重なり合うと同時に、前記第２確認欄が該個人情報欄に重なり合う（以下、「重ね状態」という。）ように構成され、
前記個人情報欄には、前記組織Ｘの構成員に対応する固有の第１仮登録番号又はこれと紐づけられた第２仮登録番号、及び、前記データベースに登録された前記構成員等のデータ氏名を含む個人情報が予め表記されており、前記個人情報欄に隣接する前記カードセット欄には、前記第２仮登録番号又は前記第１仮登録番号及びデータ氏名が予め表記されていると共に、構成員等のマイナンバーカードをセットするためのセット手段が、該個人情報欄の個人情報に左右対応して設けられており、
前記第１確認欄には、前記重ね状態で、前記マイナンバーカードセット欄に表記された前記第２仮登録番号又は前記第１仮登録番号及びデータ氏名の位置に、第２仮登録番号確認窓又は前記第１仮登録番号確認窓及びデータ氏名確認窓が、
前記セット手段により該マイナンバーカードセット欄にセットされたマイナンバーカードの表面のカード氏名記載位置に対応する位置に、カード氏名確認窓が、それぞれ一致するように設けられ、
前記第２確認欄には、前記セット手段により該マイナンバーカードセット欄にセットされたマイナンバーカード裏側のマイナンバー記載位置に対応する位置に、マイナンバー確認窓が、および、前記重ね状態で、前記個人情報欄に表記された前記第１仮登録番号又は前記第２仮登録番号の位置に、第１仮登録番号確認窓又は前記第２仮登録番号確認窓が、
それぞれ一致するように配置されている
【００２３】
上記個人番号カード用の冊子型のマイナンバー登録票において、前記第２確認欄に、第２仮登録番号が予め表記されてもよい。
【００２４】
本発明に係る個人番号カード用の単独型のマイナンバー登録票は、国民の氏名が表面のカード氏名記載位置に、マイナンバーが裏面のマイナンバー記載位置に、それぞれ記載された個人番号カード（マイナンバーカード）を用いて、マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の単独型のマイナンバー登録票（以下、「単独型の第２マイナンバー登録票」ともいう。）であって、
前記単独型の第２マイナンバー登録票は、１枚のセット用紙により単独で構成され、該セット用紙の表面が、左右に延びる上部折返し線により上端帯部とその下方部とに画されると共に、該下方部には、個人情報欄と１又は複数の秘匿番号確認窓が設けられたカードセット欄とが表面の左右に表示され、該セット用紙の表面を第１確認欄と、該セット用紙の裏面を第２確認欄とする構成であり、
前記セット用紙の表面に表示された上部折返し線を境界にして前記上端帯部を裏面側に折り返し、該セット用紙を表面にして第１重ね状態を得、前記上部折返し線を境界にして前記上端帯部を裏面側に折り返し、該セット用紙を裏面にして第２重ね状態を得ることができ、
前記セット用紙の前記カードセット欄の前記上端帯部には、前記組織Ｘの構成員に対応する固有の第１仮登録番号が上下逆にして表記されており、前記セット用紙の前記折返し線の下方部には、前記第１仮登録番号と紐づけられた第２仮登録番号が表記されていると共に、
該下方部における前記個人情報欄には、前記データベースに登録された前記構成員等のデータ氏名を含む個人情報が予め表記されており、該下方部における前記カードセット欄には、該個人情報欄の構成員等の個人情報に左右対応して、該構成員等の個人番号カードの表面を露出させてセットするためのセット手段が設けられており、
前記カードセット欄に前記個人番号カードの表面が露出するようにセットして、
前記第１重ね状態において、前記セット用紙の表面（前記第１確認欄）の表記及び前記個人番号カードの表面の記載から、
Ｂ．（前記第２仮登録番号、前記個人番号カードの表面に記載されたカード氏名、前記個人情報欄に予め表記されたデータ氏名）の情報を、
前記第２重ね状態において、前記折り返した上端帯部の表記及び前記確認用紙に予め設けた１又は複数のマイナンバー確認窓から、
Ａ．（前記第１仮登録番号、前記個人番号カードの裏面に記載されたマイナンバー）
の情報を、前記各構成員等について確認し得るように前記セット用紙に前記１又は複数のマイナンバー確認窓が配置されている。
【００２５】
本発明に係る個人番号カード用の用紙対型のマイナンバー登録票は、上記のセット用紙において、前記個人情報欄に表記された前記構成員等のデータ氏名以外の個人情報を秘匿化し得る、該セット用紙を用いた個人番号カード用の用紙対型のマイナンバー登録票（以下、「用紙対型の第２マイナンバー登録票」ともいう。）であって、
前記用紙対型の第２マイナンバー登録票は、前記カードセット欄に１又は複数のマイナンバー確認窓が設けられ、裏面を第２確認欄とする前記セット用紙と、複数の窓が設けられ、表面を第１確認欄とする確認用紙と、の２枚１組の用紙対であり、
前記セット用紙の表面に表示された上部折返し線を境界にして前記上端帯部を裏面側に折ったセット用紙を表面にして、前記確認用紙の前記第１確認欄が表面となるように重ね合わせて第１重ね状態を得、前記上部折返し線を境界にして前記上端帯部を裏面側に折ったセット用紙を裏面にして第２重ね状態を得ることができ、
前記カードセット欄に前記個人番号カードの表面が露出するようにセットして、
前記第１重ね状態において、前記確認用紙の表面の第１確認欄に設けた複数の窓から、
Ｂ．（前記第２仮登録番号、前記個人番号カードの表面に記載されたカード氏名、前記個人情報欄に予め表記されたデータ氏名）の情報を、
前記第２重ね状態において、前記折り返した上端帯部の表記及び前記セット用紙に予め設けた１又は複数のマイナンバー確認窓から、
Ａ．（前記第１仮登録番号、前記個人番号カードの裏面に記載されたマイナンバー）
の情報を、前記各構成員等について確認し得るように前記セット用紙の前記１又は複数のマイナンバー確認窓及び前記確認用紙の前記複数の窓が配置される。
【００２６】
本発明に係る個人番号カードの裏面をセットする用紙対ずらし型のマイナンバー登録票（用紙対型の第２マイナンバー登録票は、国民の氏名及びマイナンバーが、裏面のカード氏名記載位置及びマイナンバー記載位置に、それぞれ記載された個人番号カード（マイナンバーカード）を用いて、マイナンバー管理者を有する組織Ｘが、構成員等の個人情報を管理するデータベースに、該構成員等のマイナンバーを該構成員等の個人情報と紐づけて確実に登録し、該マイナンバーに関する機密を保持しながら第三者に該登録の確実性をチェックさせ得る個人番号カード用の用紙対型のマイナンバー登録票（以下、「用紙対ずらし型の第２マイナンバー登録票」ともいう。）であって、
前記用紙対ずらし型の第２マイナンバー登録票は、個人情報欄とカードセット欄とが表面の左右に表示されたセット用紙と、確認欄が表面に表示される、複数の窓が配置された確認用紙と、の２枚１組の用紙対であり、
前記カードセット欄に前記個人番号カードの裏面が前記セット用紙の表面に露出するようにセットして、（１）前記セット用紙の表面に前記確認用紙の確認欄が表面となるように重ね合わせて第１重ね状態を得、（２）前記セット用紙の表面に前記確認用紙の確認欄を、前記第１重ね状態から該セット用紙に対して上方又は下方にずらせて第２重ね状態を得るように構成され、
前記セット用紙の前記個人情報欄には、前記組織Ｘの構成員に対応する固有の第１仮登録番号が表記されていると共に、前記データベースに登録された前記構成員等のデータ氏名を含む個人情報が予め表記されており、
前記セット用紙の前記カードセット欄には、前記第１仮登録番号と紐づけられた第２仮登録番号第が表記されていると共に、前記個人情報欄の構成員等の個人情報に左右対応して、該構成員等のマイナンバーカードの裏面をセットするためのセット手段が設けられており、
前記第１重ね状態及び前記第２重ね状態において、前記確認欄に予め設けた前記複数の窓から、
Ｂ．（前記第１仮登録番号、前記個人番号カードの裏面に記載されたカード氏名、前記個人情報欄に予め表記されたデータ氏名）
Ａ．（前記第２仮登録番号、前記個人番号カードの裏面に記載されたマイナンバー）
の何れか一方ずつのみの情報を、前記各構成員等について確認し得るように前記確認欄に予め設けたそれぞれの前記複数の窓が配置される。
【００２７】
本発明に係るマイナンバー登録票は、少なくとも、氏名を含む個人情報が記載されている身分証明書を利用する上記マイナンバー登録票であって、前記個人情報欄に、前記構成員等の身分証明書をセットするためのセット手段が設けられており、該セット手段を用いて、該構成員等の身分証明書を該個人情報欄にセットし、該身分証明書に記載された該構成員の氏名をデータ氏名として、前記第１確認欄に予め設けた前記複数の窓から、該データ氏名を確認し得る。
【００２８】
本発明に係る秘匿番号登録・確認方法は、秘匿番号を組織Ｘのデータベースに登録しようとする構成員等の氏名が表面のカード氏名記載位置に、秘匿番号が表面の秘匿番号記載位置に、それぞれ記載された上記秘匿番号記載カードを用いて、秘匿番号管理者を有する組織Ｘが、該組織Ｘの構成員等の氏名を含む個人情報を管理するデータベースに、該構成員等の秘匿番号を該構成員等の個人情報と紐づけて確実に登録し、該秘匿番号に関する機密を保持しながら第三者に該登録の確実性をチェックさせ得る秘匿番号登録・確認方法であって、
（ステップ１）前記秘匿番号管理者が、
少なくとも、前記データベースに登録された前記構成員等のデータ氏名を含む個人情報が予め表記された個人情報欄、
少なくとも、該個人情報欄の構成員等の個人情報に左右対応して、該構成員等の秘匿番号記載カードをセットするためのセット手段が設けられたカードセット欄、
および、それぞれ１又は複数の窓を設けた第１確認欄と第２確認欄、
を有する冊子型、用紙対型又は単独型の秘匿番号登録票を準備するステップと、
（ステップ２）前記組織Ｘの構成員等が、該組織Ｘから受け取った前記秘匿番号登録票の前記個人情報欄に表記された個人情報に対応させて、前記カードセット欄に、該構成員等それぞれの前記秘匿番号記載カードを、前記セット手段を用いてセットするステップと、
（ステップ３）前記第１確認欄及び前記第２確認欄に設けた前記１又は複数の窓を用いて、
Ａ．（前記第２仮登録番号又は前記第１仮登録番号、前記秘匿番号記載カードに記載された秘匿番号）
Ｂ．（前記第１仮登録番号又は前記第２仮登録番号、前記秘匿番号記載カードに記載されたカード氏名、前記カードセット欄又は前記個人情報欄に予め表記されたデータ氏名）
の２つの情報の組を、それぞれ前記各構成員等について確認し得るように、該第１確認欄を前記カードセット欄及び／又は前記個人情報欄と重なり合わせる第１重ね状態と、該第２確認欄を前記個人情報欄及び／又は該カードセット欄と重なり合わせる第２重ね状態とを形成するステップと、
（ステップ４）前記第１重ね状態及び前記第２重ね状態で、前記第１確認欄及び前記第２確認欄を複写して、それぞれ第１チェック票及び第２チェック票を作成するステップと、
（ステップ５）前記組織Ｘの構成員等が、前記第１チェック票と前記第２チェック票とを、
該組織Ｘに提出するステップと、を含む。
【００２９】
本発明に係る秘匿番号登録・確認方法は、さらに、
（ステップ６）前記第１チェック票を前記構成員等から回収した前記組織Ｘの管理者が、該第１チェック票を第三者に引き渡すステップと、
（ステップ７）前記第三者に、前記１又は複数の窓を介して前記第１チェック票に複写された秘匿番号を、同じく該第１チェック票に複写された前記第２仮登録番号又は前記第１仮登録番号に対応させて、前記データベースに入力・登録させるステップと、
を含んでもよい。
【００３０】
本発明に係る秘匿番号登録・確認方法は、さらに、
（ステップ８）前記第２チェック票を前記構成員等から回収した前記組織Ｘの管理者が、該第２チェック票を第三者に引き渡すステップと、
（ステップ９）前記第三者に、前記１又は複数の窓を介して、前記第１仮登録番号又は前記第２仮登録番号と共に前記第２チェック票に複写された、前記データベースに記憶された前記データ氏名が、同じく該第２チェック票に前記秘匿番号記載カードから複写されたカード氏名に一致するかを確認させるステップと、を含んでもよい。
【００３１】
本発明に係る秘匿番号登録・確認方法は、前記秘匿番号は、重複しないユニークな１２桁の個人番号である、日本政府が国民各個人に付与するマイナンバーであり、前記秘匿番号記載カードは、マイナンバー通知カード（通知カード）、又は、個人番号カード（マイナンバーカード）であってもよい。
【発明の効果】
【００３２】
本発明に係るマイナンバー登録票、秘匿番号登録票は、マイナンバー管理者を有する任意の組織が、その構成員等（構成員およびその扶養家族）に、当該組織が管理するデータベースに記憶させた当該構成員等の個人情報に基づいて作成して、これを対応する構成員等に配布する。当該構成員等に通知カード、マイナンバーカード、秘匿番号記載カード等を自らセットさせて「セット済みマイナンバー登録票」、「セット済み秘匿番号登録票」を完成させるので、当該組織（マイナンバー管理者等）は少ない労力で構成員等全員の通知カード、秘匿番号記載カード等がセットされたマイナンバー登録票、秘匿番号登録票等の複写を得る
【００３３】
このように、通知カード、マイナンバーカード、秘匿番号記載カード等をセットし、「セット済みマイナンバー登録票」、「セット済み秘匿番号登録票」等の情報を複写して第１チェック票及び第２チェック票を作成するのは各構成員等自身であり、これを組織（マイナンバー管理者）に提出する前に、各構成員等自身が完成した通知カード、マイナンバーカード、秘匿番号記載カード等の個人情報欄と、これらのカードをセットするカードセット欄とを対照することにより、正しい位置に通知カードがセットされて複写されているかを確認することができる。
【００３４】
さらに、「セット済みマイナンバー登録票」、「セット済み秘匿番号登録票」等を作成した各構成員等は、これを複写して第１チェック票及び第２チェック票を作成する前にも、マイナンバー登録票の第１確認欄と第２確認欄を折り返し、又は重ねて第１重ね状態と第２重ね状態とを作り、
Ａ．（第２仮登録番号、秘匿番号記載カード等に記載された秘匿番号等）
Ｂ．（第１仮登録番号、秘匿番号記載カード等に記載されたカード氏名、個人情報欄に予め表記されたデータ氏名）
等の情報を、上記各構成員等について確認し得るように前記確認欄に、それぞれ確認することができる。
【００３５】
また、マイナンバー登録票、秘匿番号登録票等を構成員等から回収した組織Ｘの管理者はマイナンバー登録票や秘匿番号登録票等の個人情報欄とカードセット欄とを対照させて、カードセット欄に通知カード、マイナンバーカード、秘匿番号記載カード等から複写されたｐ人分の構成員等の個人情報が、個人情報欄に予め表記されたｐ人分の個人情報と一致するか確認することができる。
【００３６】
組織Ｘの構成員等は、マイナンバー登録票、秘匿番号登録票等の第１確認欄をカードセット欄等に折り返し、あるいはこれに重ね（第１重ね状態）、この第１重ね状態の第１確認欄を複写して第１チェック票を作成する。また、組織Ｘの管理者は、データベースから各構成員に対応した第１仮登録番号又はこれと紐づけられた第２仮登録番号の一方のみを表示した入力画面ページを作成する。組織Ｘの管理者は、第１仮登録番号又は第２仮登録番号が一致する第１チェック票と入力画面ページとを対にして、例えば組織Ｘの外部の第三者に提供することにより、個人情報漏洩を防止しつつデータベースにマイナンバーを入力・登録させることができる。
【００３７】
さらに、組織Ｘの構成員等は、マイナンバー登録票、秘匿番号登録票等の第２確認欄をカードセット欄に折り返し、又は重ねて（第２重ね状態）、この第２重ね状態の第２確認欄を複写して第２チェック票を作成する。同時に、組織Ｘの管理者は、データベースに記憶された構成員に対応する固有の第２仮登録番号又は第１仮登録番号の一方のみと、これと紐づいた構成員およびその扶養家族について記憶された氏名とを、当該データベースから対にして出力し、確認画面ページを作成する。組織Ｘの管理者は、第２仮登録番号又は第１仮登録番号が一致する第２チェック票と確認画面ページとを対にして、例えば組織Ｘの外部の第三者に提供することにより、個人情報漏洩を防止しつつデータベースとマイナンバー登録票、秘匿番号登録票等間の個人情報一致を第三者に確認させることができる。
【００３８】
上述のようなマイナンバー登録票、秘匿番号登録票等は、冊子型、単独型、用紙対型のような様々な形態に変形して実用化することができる。秘匿番号登録票等は、マイナンバーを含む様々な秘匿番号（クレジットカード番号やキャッシュカードなど）に応用して秘匿番号登録票を作成し、一般的な秘匿番号が記載された秘匿番号記載カードから、個人情報漏洩を防止しつつ、秘匿番号と個人情報とを紐づけてデータベースにマイナンバーを入力・登録し、あるいはこれらを登録したデータベースから秘匿番号と個人情報とを紐づけて本人確認を行うことができる。
【図面の簡単な説明】
【００３９】
【図１】本発明に係る冊子型の第１マイナンバー登録票の（ａ）第１頁、（ｂ）第２頁及び第３頁、（ｃ）第４頁の概略図。
【図２】本発明に係る冊子型の第１マイナンバー登録票の第１チェック票の概略図。
【図３】本発明に係る冊子型の第１マイナンバー登録票の第２チェック票の概略図。
【図４】本発明の実施例１に係る冊子型の第１マイナンバー登録票の第１頁の概略図。
【図５】本発明の実施例１に係る冊子型の第１マイナンバー登録票の第２頁の概略図。
【図６】本発明の実施例１に係る冊子型の第１マイナンバー登録票の第３頁の概略図。
【図７】本発明の実施例１に係る冊子型の第１マイナンバー登録票の第４頁の概略図。
【図８】（ａ）本発明の実施例１に係る冊子型の第１マイナンバー登録票冊子の概略図、（ｂ）本発明の実施例１に係る冊子型の第２マイナンバー登録票冊子の概略図。
【図９】通知カードをセット前の、本発明の実施例１に係る冊子型の第１マイナンバー登録票の第２頁の概略図。
【図１０】本発明の実施例２に係る第１チェック票の概略図。
【図１１】本発明の実施例３に係る第２チェック票の概略図。
【図１２】通知カードの概略図。
【図１３】本発明に係る冊子型の第２マイナンバー登録票の（ａ）第１頁、（ｂ）第２頁及び第３頁、（ｃ）第４頁の概略図。
【図１４】本発明に係る冊子型の第２マイナンバー登録票の第１チェック票の概略図。
【図１５】本発明に係る冊子型の第２マイナンバー登録票の第２チェック票の概略図。
【図１６】本発明の実施例に係る冊子型の第２マイナンバー登録票の裏面（第１、４頁）の概略図。
【図１７】本発明の実施例に係る冊子型の第２マイナンバー登録票の表面（第２、３頁）の概略図。
【図１８】本発明の実施例４に係る第１チェック票の概略図。
【図１９】本発明の実施例４に係る第２チェック票の概略図。
【図２０】マイナンバーカードの表面及び裏面概略図。
【図２１】本発明に係る（ａ）カード氏名と秘匿番号が共に表面に記載された秘匿番号記載カード、（ｂ）カード氏名が表面に、秘匿番号が裏面に記載された秘匿番号記載カード、（ｃ）カード氏名と秘匿番号が共に裏面に記載された秘匿番号記載カード、の表面及び裏面概略図。
【図２２】本発明に係る秘匿番号登録票の（ａ）第１頁、（ｂ）第２頁及び第３頁、（ｃ）第４頁の概略図。
【図２３】本発明に係る用紙対型の第１マイナンバー登録票の（ａ）セット用紙、（ｂ）確認用紙の表面である第１確認欄、（ｃ）確認用紙の裏面である第２確認欄。
【図２４】本発明の実施例に係る窓口用の第２マイナンバー登録票の（ａ）確認用紙の表面である第１確認欄、（ｂ）個人情報欄とこれに隣接するカードセット欄、（ｃ）確認用紙の裏面である第２確認欄。
【図２５（ａ）】本発明の実施例に係る単独型の第２マイナンバー登録票であって、マイナンバーカードをセットしたセット用紙の表面（第１確認欄）。
【図２５（ｂ）】本発明の実施例に係る単独型の第２マイナンバー登録票であって、マイナンバーカードをセットしたセット用紙の裏面（第２確認欄）。
【図２６（ａ）】本発明の実施例に係る用紙対ずらし型の第２マイナンバー登録票のマイナンバーカードの裏面をセット用紙の表面にセットしたセット用紙の表面。
【図２６（ｂ）】本発明の実施例に係る用紙対ずらし型の第２マイナンバー登録票のセット用紙の表面に確認用紙の表面をセットした第１重ね状態（第１確認欄）。
【図２６（ｃ）】本発明の実施例に係る用紙対ずらし型の第２マイナンバー登録票のセット用紙の表面に、確認用紙の表面を第１重ね状態から上方にずらせてセットした第２重ね状態（第２確認欄）。
【発明を実施するための形態】
【００４０】
以下、図面を参照しながら本発明に係るマイナンバー登録票及びこれを用いたチェック票、およびこれらを用いたマイナンバー登録・確認方法の実施形態について説明する。
なお、以下各図面を通して同一の構成要素には同一の符号を使用するものとする。
【００４１】
以下に説明する本発明に係るマイナンバー登録票には、大きく分類して２種類の実施形態がある。１つは、国が国民に配布する所謂マイナンバー通知カード（以下、「通知カード」ともいう。）に対応した通知カード用のマイナンバー登録票（以下、「第１マイナンバー登録票」ともいう。）であり、この第１マイナンバー登録票から以下に説明する第１チェック票と第２チェック票とを作成して、マイナンバー登録を行う。２つ目は、上記通知カードと交換に国から得られる所謂マイナンバーカード（個人番号カード）に対応する個人番号カード用のマイナンバー登録票（以下、「第２マイナンバー登録票」ともいう。）であり、この第２マイナンバー登録票から同様に第１チェック票と第２チェック票とを作成して、マイナンバー登録を行う。
【００４２】
この第１マイナンバー登録票と第２マイナンバー登録票は、従業員およびその扶養家族や講師、アルバイトなどの構成員及び／又はその構成員の扶養家族、あるいは単に登録を希望する者（以下、「構成員等」ともいい、構成員を含めて合計ｐ人構成とする。）のマイナンバー（個人番号）を登録する必要がある任意の組織（以下、「組織Ｘ」ともいう。）又はその管理者が、それぞれ通知カードと個人番号カード（マイナンバーカード）を基にして、その管理するデータベースにマイナンバーを入力・登録させるのに用いることができる。例えば、組織Ｘ（又はその管理者）が、その組織Ｘの構成員等の氏名を含む、生年月日、続柄等の個人情報を管理するデータベースに、その個人情報に対応させて、例えば委託した第三者にマイナンバーを入力・登録させ、登録の正確性を別の第三者に委託して確認ことができる。
【００４３】
以下、第１章で第１マイナンバー登録票（通知カード用のマイナンバー登録票）について、第２章で第２マイナンバー登録票（個人番号カード用のマイナンバー登録票）について、それぞれいくつかの実施形態、実施例を用いて説明する。
１．第１マイナンバー登録票（通知カード用のマイナンバー登録票）
（１−１）通知カード用の冊子型のマイナンバー登録票（冊子型の第１マイナンバー登録票）
【００４４】
図１（ａ）、（ｂ）、（ｃ）に示す、本発明に係る冊子型の第１マイナンバー登録票１（１（ｐ１）〜１（ｐ４））は、図１（ｂ）が例えばＡ５版の第２頁にＡ５版の半分の大きさの第３頁を加えた大きさの用紙であり、図１（ａ）は第２頁裏面の第１頁を、図１（ｃ）は第３頁裏面の第４頁を表している。
【００４５】
図１の本発明に係る冊子型の第１マイナンバー登録票１は、図１２のような、国民の氏名（カード氏名２６（ｎａｍｅ））とマイナンバー２８（Ｍｙｎｏ．）が、それぞれ共に表面のカード氏名記載位置１０６とマイナンバー記載位置１０８とに記載された通知カード１００（以下、「通知カード１００」ともいう。）を用いて、マイナンバー管理者を有する任意の上記組織Ｘが、当該組織Ｘの上記構成員等の氏名（データ氏名２２Ｐｎ）を含む生年月日、続柄等の個人情報（以下、単に「個人情報」ともいう。）を管理するデータベースに、当該構成員等のマイナンバー（Ｍｙｎｏ．１〜Ｍｙｎｏ．ｐ）を、当該構成員等の個人情報と紐づけて確実に登録し、当該マイナンバー２８（Ｍｙｎｏ．）に関する機密を保持しながら第三者に当該登録の確実性をチェックさせ得る登録票１である。ここでｐは正の整数であり、図１（ａ）、（ｂ）、（ｃ）では簡単のため、ｐ＝１としている。すなわち構成員等は組織Ｘに直接所属する構成員のみで、その扶養家族はいない場合である。
【００４６】
冊子型の第１マイナンバー登録票１は、同一形状の第１確認欄（図１（ａ）、第１頁右欄１０Ｒ）と個人情報欄（図１（ｂ）、第２頁左欄２０Ｌ）と通知カードセット欄（図１（ｂ）、第２頁右欄２０Ｒ）と第２確認欄（図１（ｃ）、第４頁４０Ｌ）と、を有する１又は複数の用紙からなる。上述のように、図１の例では、冊子型の第１マイナンバー登録票１は、Ａ５版の一枚と半分の大きさの１枚の用紙である。また、図１（ｂ）は、図９に示すような通知カードセット欄に、通知カード１００をセットした状態（即ち、上記「セット済み第１マイナンバー登録票」）を表している。
【００４７】
また、図１（ｂ）で、同一用紙（第２頁）の左右に隣接した個人情報欄２０Ｌと通知カードセット欄２０Ｒとの境界線２０Ｍ（以下、「第１境界線２０Ｍ」という。）で冊子型の第１マイナンバー登録票１の個人情報欄２０Ｌを折返すと（図８（ａ）参照）、第１確認欄１０Ｒが通知カードセット欄２０Ｒに重なり合い、以下、この重なり合い状態を「第１重ね状態」という。同様に図１（ｂ）において、通知カードセット欄２０Ｒの右端の境界線２３Ｍ（以下、「第２境界線２３Ｍ」という。）で冊子型の第１マイナンバー登録票１を折返すと、第２確認欄４０Ｌが通知カードセット欄２０Ｒに重なり合い、以下、この重なり合い状態を「第２重ね状態」という。
【００４８】
このように構成された冊子型の第１マイナンバー登録票１の上記個人情報欄２０Ｌには、図１（ｂ）に示すように、組織Ｘのデータベースに登録された構成員等のデータ氏名２２Ｐｎを含む個人情報２４ＰＤが予め表記されている。なお、本明細書において「表記」とは、何らかの形で文字、図形等が表されていることをいい、印刷やフリー・ハンドなど、その方法は限定されない。
【００４９】
また、個人情報欄２０Ｌに隣接する上記通知カードセット欄２０Ｒには、組織Ｘの構成員に対応する固有の第１仮登録番号３及びデータ氏名２２Ｐｎと、第１仮登録番号３とユニークに紐づけられた第２仮登録番号５と、が予め表記されていると共に、構成員等の通知カード１００をセットするためのセット手段５２が、左欄の個人情報欄２０Ｌの個人情報２４ＰＤに対応して設けられている。
【００５０】
なお、第１仮登録番号３は、必ずしも秘匿されるべき番号とは限らず、第２仮登録番号５と共に、その番号自体は外部に知られても、対応する個人情報の秘匿に影響しない非秘匿番号ないしは第２仮登録番号であってよい。すなわち、組織Ｘの構成員のデータ氏名２２Ｐｎと、第１仮登録番号３と、第２仮登録番号５とはユニークに関連付けられて組織Ｘのデータベースに登録されているが、第１仮登録番号３と第２仮登録番号５の呼称は便宜的なものであり、組織Ｘは、この両者に対応するシリアルナンバー（数字やアルファベット等の組み合わせ）を適宜入れ替えることができる。
【００５１】
次に、図１（ａ）に示す第１確認欄１０Ｒには、上記第１重ね状態で、通知カードセット欄２０Ｒに表記された第２仮登録番号５の位置に、第２仮登録番号確認窓１５Ｗが、セット手段５２により通知カードセット欄２０Ｒにセットされた通知カード１００のマイナンバー記載位置１０８に対応する位置に、マイナンバー確認窓１８Ｗが、それぞれ設けられている。
【００５２】
また、図１（ｃ）に示す第２確認欄４０Ｌには、上記第２重ね状態で、通知カードセット欄２０Ｒに表記された第１仮登録番号３及びデータ氏名２２Ｐｎの位置に、第１仮登録番号確認窓４３Ｗ及びデータ氏名確認窓４２Ｗｎが、それぞれ設けられている。さらに、第２確認欄４０Ｌには、セット手段５２により通知カードセット欄２０Ｒにセットされた通知カード１００の表面のカード氏名記載位置１０６に対応する位置に、カード氏名確認窓４６Ｗｎが設けられている。
【００５３】
［第１チェック票］
本発明に係る第１チェック票７０（図２参照）は、上記第１境界線２０Ｍ（１０Ｍ）で冊子型の第１マイナンバー登録票１の個人情報欄２０Ｌを折返し（図８（ａ）参照）、第１確認欄１０Ｒを通知カードセット欄２０Ｒに重ねて第１重ね状態を得、当該第１確認欄１０Ｒを複写して作成する。第１チェック票７０は、第１確認欄１０Ｒに設けた上記第２仮登録番号確認窓１５Ｗから、通知カードセット欄２０Ｒに表記された第１仮登録番号３と紐づけられた上記第２仮登録番号５を、また、第１確認欄１０Ｒに設けた上記マイナンバー確認窓１８Ｗから、通知カードセット欄２０Ｒにセットされた通知カード１００のマイナンバー記載位置１０８に記載された上記マイナンバーを、それぞれ確認することができる。
【００５４】
すなわち、冊子型の第１マイナンバー登録票１の第１重ね状態の第１確認欄１０Ｒ（第１頁）を複写して作成した第１チェック票７０からは、組織Ｘのデータベース上で構成員にユニークに対応付けられた第１仮登録番号３と紐づけられた第２仮登録番号５と、構成員等に国家によって対応付けられたマイナンバー２８のみを確認することができる。第２仮登録番号５は、組織Ｘの管理者がデータベースに、構成員等の秘密個人情報として、構成員等の固有の第１仮登録番号３と紐づけて登録している適当な第２仮登録番号５であり、一方、マイナンバー２８は国家が秘密個人情報として構成員等に付与するものであるため、組織Ｘの管理者と構成員等以外の第三者が第１チェック票７０を見ても、マイナンバー２８からその構成員等を特定することはできない。
【００５５】
したがって、組織Ｘの管理者は、例えば組織Ｘの外部の第三者に第１チェック票７０のみを引き渡して、構成員等の個人情報を守りつつ、第２仮登録番号５と対にしてマイナンバー２８の組織Ｘのデータベースへの入力を、第三者に依頼することができる。
【００５６】
［第２チェック票］
また、本発明に係る第２チェック票８０（図３参照）は、上記通知カードセット欄２０Ｒの右端の第２境界線２３Ｍで冊子型の第１マイナンバー登録票１を折返し、第２確認欄４０Ｌを通知カードセット欄２０Ｒに重ねて第２重ね状態を得、この第２重ね状態で、当該第２確認欄４０Ｌを複写して作成することができる。
【００５７】
第２チェック票８０においては、第２確認欄４０Ｌに設けた上記第１仮登録番号確認窓４３Ｗ及びデータ氏名確認窓４２Ｗｎから、通知カードセット欄２０Ｒに表記された第１仮登録番号３及びデータ氏名２２Ｐｎを確認することができる。さらに、第２確認欄４０Ｌに設けたカード氏名確認窓４６Ｗｎから、通知カードセット欄２０Ｒにセットされた通知カード１００の表面のカード氏名記載位置１０６に記載されたカード氏名２６（ｎａｍｅ）を確認することができる。
【００５８】
すなわち、第２チェック票８０（図３参照）からは、組織Ｘのデータベース上で構成員にユニークに対応付けられた第１仮登録番号３及び構成員等のデータ氏名２２Ｐｎと、構成員等に国家によってマイナンバー２８（Ｍｙｎｏ．）に対応付けられたカード氏名２６（ｎａｍｅ）との一致を確認することができる。
【００５９】
したがって、組織Ｘの管理者は、例えば組織Ｘの外部の第三者に第２チェック票８０を引き渡し、個人情報漏洩を防止しつつ、組織Ｘが構成員等を特定して配布した冊子型の第１マイナンバー登録票１に、間違いなく当該構成員等が自身の通知カード１００をセットしたか否かを上記第三者に確認させることができる。
【００６０】
以上、本実施形態においては、第１チェック票７０から、
Ａ．（第２仮登録番号５、マイナンバー２８）
の組を、第２チェック票８０から
Ｂ．（第１仮登録番号３、データ氏名２２Ｐｎ、カード氏名２６（ｎａｍｅ））
の組を、それぞれ確認できるようにしたが、上述のように、第２仮登録番号５と第１仮登録番号３を入れ替えてもよい。本実施形態の冊子型の第１マイナンバー登録票１の構成では、第三者は構成員の氏名（データ氏名２２Ｐｎ又はカード氏名２６）から構成員の第１仮登録番号３を特定できる一方で、第２仮登録番号５は構成員の氏名からは特定できず、第２仮登録番号５を外部から秘匿することができる。しかし、構成員の第１仮登録番号３を秘匿したいのであれば、冊子型の第１マイナンバー登録票１において、第２仮登録番号５と第１仮登録番号３の配置を入れ替えればよい。あるいは第２仮登録番号５（ＡＢＣＤＥ（１／１））と第１仮登録番号３（１２３４５（１／１））の呼称をそのままにして、秘匿したいシリアルナンバー（１２３４５（１／１））を他方のシリアルナンバー（ＡＢＣＤＥ（１／１））と入れ替えてもよい。
【００６１】
また、上記１及び２のような情報の組を得られる第１チェック票７０及び第２チェック票８０を作成できるのであれば、冊子型の第１マイナンバー登録票１の構成は特に限定されない。例えば、冊子型の第１マイナンバー登録票１は、第１境界線２０Ｍ（１０Ｍ）及び第２境界線２３Ｍで、それぞれ切り離された３枚の用紙のセットとして使用してもよい。このように用いても、第１確認欄１０Ｒ及び第２確認欄４０Ｌを通知カードセット欄２０Ｒに重ね合わせて第１重ね状態及び第２重ね状態を得ることができ、第１チェック票７０及び第２チェック票８０を作成することができる。
【００６２】
以上及び以下の実施形態において、マイナンバー登録票、第１チェック票、第２チェック票は、例えば次のように使用することができる。すなわち、マイナンバー管理者を有する組織Ｘは、当該組織Ｘの構成員等に、通知カード（又はマイナンバーカード）をセットするためのマイナンバー登録票（第１又は第２マイナンバー登録票）を配布し、構成員等は配布されたマイナンバー登録票に通知カード（又はマイナンバーカード）をセットしたセット済みマイナンバー登録票を複写することにより、第１チェック票７０と第２チェック票８０を作成し、組織Ｘの管理者に提出する。マイナンバー登録票を構成員等から回収した当該管理者は、第１チェック票７０と第２チェック票８０とを、それぞれ異なる第三者に引き渡して、データベースに入力させ、登録の正確性をチェックさせる。このように異なる第三者にそれぞれ第１チェック票７０と第２チェック票８０を引き渡せば、それぞれの第三者は、構成員等の氏名（カード氏名及びデータ氏名）とマイナンバー２８（Ｍｙｎｏ．）を一致させることができないので、構成員等の個人情報漏洩を防止しつつ、正確に構成員等のマイナンバーをデータベースに入力・登録することができる。なお、以下の実施形態においても、第１チェック票７０と第２チェック票８０とは共通に用いられる。
（１−２）マイナンバー登録・確認方法
【００６３】
そこで、次に、上記（１−１）節の実施形態を用いて、冊子型の第１マイナンバー登録票１等の書類（冊子型の第１マイナンバー登録票１、第１チェック票７０、第２チェック票８０）の作成方法、および、組織Ｘの管理するデータベースへのマイナンバー入力・登録方法、当該入力・登録したマイナンバー登録の正確性を確認する方法（マイナンバー登録・確認方法）について説明する。なお、本（１−２）節で説明するマイナンバー登録票、第１、第２チェック票等の書類作成方法、及び、マイナンバー登録・確認方法等は、以下の実施形態においても共通に用いられる。
【００６４】
本発明に係るマイナンバー登録・確認方法は、国民のカード氏名２６（ｎａｍｅ）とマイナンバー２８（Ｍｙｎｏ．）が、それぞれカード氏名記載位置１０６とマイナンバー記載位置１０８とに記載された通知カード１００を用いて、マイナンバー管理者を有する組織Ｘ（又は組織Ｘ以外の第三者）が、構成員等の個人情報２４ＰＤを管理するデータベースに、構成員等のマイナンバー２８（Ｍｙｎｏ．）を当該構成員等の個人情報２４ＰＤと紐づけて確実に登録し、マイナンバー２８（Ｍｙｎｏ．）に関する機密を保持しながら組織Ｘ以外の第三者に当該登録の確実性をチェックさせ得るマイナンバー登録・確認方法である。
【００６５】
（ステップ１）マイナンバー管理者が、上記冊子型の第１マイナンバー登録票１を準備するステップと、
（ステップ２）組織Ｘの構成員等が、マイナンバー管理者から受け取った冊子型の第１マイナンバー登録票１の、上記個人情報欄２０Ｌに表記された個人情報２４ＰＤに対応させて、上記通知カードセット欄２０Ｒに、セット手段５２を用いて当該構成員等それぞれの通知カード１００を各々所定の位置にセットするステップと、
（ステップ３）組織Ｘの構成員等が、通知カード１００をセットした冊子型の第１マイナンバー登録票１（セット済み第１マイナンバー登録票１）の上記第１境界線２０Ｍで、冊子型の第１マイナンバー登録票１の個人情報欄２０Ｌを折返し、第１確認欄１０Ｒを通知カードセット欄２０Ｒに重ねた第１重ね状態で第１確認欄１０Ｒを複写して、上記第１チェック票７０を作成するステップと、
（ステップ４）組織Ｘの構成員等が、上記通知カード１００をセットした冊子型の第１マイナンバー登録票１（セット済み第１マイナンバー登録票１）の上記第２境界線２３Ｍで冊子型の第１マイナンバー登録票１を折返し、第２確認欄４０Ｌを通知カードセット欄２０Ｒに重ねた第２重ね状態で、第２確認欄４０Ｌを複写して上記第２チェック票８０を作成するステップと、
（ステップ５）組織Ｘの構成員等が、第１チェック票７０と第２チェック票８０とを、組織Ｘの管理者に提出するステップと、
を含む。
【００６６】
そして、本発明に係るマイナンバー登録・確認方法は、
（ステップ６）第１チェック票７０を上記構成員等から回収した組織Ｘの管理者が、当該第１チェック票７０を第三者に引き渡すステップと、
（ステップ７）上記第三者に、上記第１チェック票７０に複写されたマイナンバー２８（Ｍｙｎｏ．）を、所定の第２仮登録番号５に対応させて、上記データベースに入力・登録させるステップと、
を含む。
【００６７】
さらに、本発明に係るマイナンバー登録・確認方法は、
（ステップ８）上記第２チェック票８０を上記構成員等から回収した組織Ｘの管理者が、当該第２チェック票８０を第三者に引き渡すステップと、
（ステップ９）上記第三者に、第２チェック票８０の上記第１仮登録番号確認窓４３Ｗ及び上記データ氏名確認窓４２Ｗｎに複写された、上記データベースに予め記憶されている上記第１仮登録番号３及びデータ氏名２２Ｐｎが、上記カード氏名確認窓４６Ｗｎに上記通知カード１００から複写されたカード氏名２６（ｎａｍｅ）に一致するかを確認させるステップと、
を含む。
【００６８】
なお、構成員等の氏名（カード氏名２６（ｎａｍｅ）、データ氏名２２Ｐｎ）とマイナンバー２８（Ｍｙｎｏ．）を一致させることができないように、ステップ６、７に記載の第三者と、ステップ８、９に記載の第三者とを違えるのが原則である。例えば、ステップ６、７をＡ社に依頼し、ステップ８、９をＡ社と無関係のＢ社に依頼することにより、構成員等のマイナンバーが特定されることを防止する。
【００６９】
以下に、本発明に係る冊子型の第１マイナンバー登録票１、第１チェック票７０、第２チェック票８０、およびこれらを用いたマイナンバー登録・確認方法について、実施例を用いて更に詳細に説明する。
【実施例１】
【００７０】
［冊子型の第１マイナンバー登録票］
本実施例１に係る冊子型の第１マイナンバー登録票１は、上記組織Ｘが上記構成員等のマイナンバー２８（Ｍｙｎｏ．）を管理する台帳を構成し得る、上記第１仮登録番号３がそれぞれ付与された、例えば１枚のＡ３用紙であり、図８（ａ）のように、この用紙を上記第２境界線２３Ｍで半分に折り返して左綴じにして、表紙から裏表紙に第１頁乃至第４頁を連続して付与した計４頁からなる冊子型の第１マイナンバー登録票冊子７（以下、単に「冊子７」という。）を構成することができる。
【００７１】
冊子７において、図９に示す第２頁の左右欄２０Ｌ、２０Ｒは、左右に対を成す、それぞれ個人情報欄２０Ｌ（左欄）と通知カードセット欄２０Ｒ（右欄）であり、通知カード１００と略同寸の方形スペースが各々ｎ個ずつ予め表記されている（２０ＰＬ（１）〜２０ＰＬ（ｎ）、２０ＰＲ（１）〜２０ＰＲ（ｎ）；以下、本実施例１及び図において、ｎ＝４）。
【００７２】
図５に示す第２頁の左右欄２０Ｌ、２０Ｒは、図９に示す第２頁の右欄２０Ｒの方形スペース２０ＰＲ（１）〜２０ＰＲ（ｎ＝４）に、方形スペースと同形の３枚の通知カード１００を、上からｐ番目までの方形スペース２０ＰＲ（１）〜２０ＰＲ（ｐ）にセットした後の状態を表している（セット済み第１マイナンバー登録票１）。ここで、ｐは１以上の整数であり、上記組織Ｘの構成員の扶養家族は（ｐ−１）人であるが、本実施例１においてはｐ＝３としている。
【００７３】
また、組織Ｘにはマイナンバー２８（Ｍｙｎｏ．）及び冊子型の第１マイナンバー登録票１等を、その個人情報の秘密を保持しながら管理する管理者が必要であるが、管理について責任を持つ責任者がいればよく、また、データベースは特に限定されず、例えば管理者が組織Ｘ内で使用するパーソナル・コンピュータであってもよい。
【００７４】
まず、冊子７の第２頁（冊子型の第１マイナンバー登録票１（ｐ２））について、図５（セット済み第１マイナンバー登録票１）、図９（冊子型の第１マイナンバー登録票１）を参照して説明する。
【００７５】
第２頁の左欄２０Ｌ（個人情報欄）には、各方形スペース２０ＰＬ（１）〜２０ＰＬ（ｎ）内に、上記のように合計ｐ人分（１≦ｐ≦ｎ；ｐは整数）の構成員等のデータ氏名２２Ｐｎ（１）〜２２Ｐｎ（ｐ）、生年月日、続柄を含む個人情報２４ＰＤ（１）〜２４ＰＤ（ｐ）（以下、単に「個人情報２４ＰＤ」ともいう。）が、当該左欄２０Ｌ（個人情報欄）の上から所定の順番で予め表記されている。上記のように、本実施例１では、ｐ＝３、ｎ＝４であるが、ｐはｎ以下のいずれの正の整数であってもよく、ｐ＞ｎの場合については後述する。
【００７６】
図９に示す、第２頁の左欄２０Ｌ（個人情報欄）および右欄２０Ｒ（通知カードセット欄）の作成は、組織Ｘ（又はその管理者）が、その管理するデータベースに登録した構成員等の個人情報２４ＰＤに基づいて行う。まず、組織Ｘの管理者は、組織Ｘの構成員各々に固有の第１仮登録番号３を付与し、構成員の個人情報２４ＰＤ（１）と対応させ、さらに第１仮登録番号３を当該構成員各々の扶養家族の個人情報２４ＰＤ（２）〜２４ＰＤ（ｐ）と紐づける。冊子型の第１マイナンバー登録票１の第２頁右欄２０Ｒ（通知カードセット欄）上方の第１の位置に第１仮登録番号３を表記し、対応する構成員等のデータ氏名２２Ｐｎ（１）〜２２Ｐｎ（ｐ）を含む個人情報２４ＰＤ（１）〜２４ＰＤ（ｐ）をデータベース上で特定する。そして、個人情報２４ＰＤ（１）〜２４ＰＤ（ｐ）を第２頁の左欄２０Ｌ（個人情報欄）の方形スペース２０ＰＬ（１）〜２０ＰＬ（ｐ）内に、構成員等のデータ氏名２２Ｐｎ（１）〜２２Ｐｎ（ｐ）を右欄２０Ｒ（通知カードセット欄）の方形スペース２０ＰＲ（１）〜２０ＰＲ（ｐ）の上方（第３の位置（１）〜（ｐ））に表記する。
【００７７】
例えば、図５のセット済み第１マイナンバー登録票１では、第１仮登録番号３はＮｏ．１２３４５（１／１）であり、データベース上でこの第１仮登録番号３に紐づけられた構成員のデータ氏名２２Ｐｎ（１）ないし個人情報２４ＰＤ（１）を検索する。構成員の扶養家族の個人情報２４ＰＤ（２）〜２４ＰＤ（ｐ）は、上記のようにデータベース上で構成員の個人情報２４ＰＤ（１）に紐づけられているので、第１仮登録番号３から構成員等全員の個人情報２４ＰＤ（１）〜２４ＰＤ（ｐ）をデータベース上で特定することができる。
【００７８】
なお、上述のように、本実施例１では、ｐ＝３、ｎ＝４であるが、ｐ＞ｎの場合は、第１仮登録番号３をＮｏ．１２３４５（１／２）、Ｎｏ．１２３４５（２／２）のように適宜設定して、構成員等に対応する台帳７のページ数を調整すればよい。
【００７９】
このようにして第２頁左右欄２０Ｌ、２０Ｒは、組織Ｘ（又はその管理者）により予め作成されるが、図５に示す第２頁の右欄２０Ｒ（通知カードセット欄）には、第２頁の左欄２０Ｌ（個人情報欄）の上からｍ番目（１≦ｍ≦ｐ；ｍは整数）の方形スペース２０ＰＬ（ｍ）に予め表記された上記構成員等の個人情報２４ＰＤ（ｍ）に対応した通知カード１００が、当該右欄２０Ｒ（通知カードセット欄）の上からｍ番目の方形スペース２０ＰＲ（ｍ）に、セット手段５２により当該構成員等によりセットされている。
【００８０】
また、第２頁の右欄２０Ｒ（通知カードセット欄）は、ｎ個の方形スペース２０ＰＲ（１）〜２０ＰＲ（ｎ）の外部に、上記第１の位置及び第２の位置と、上からｋ番目（１≦ｋ≦ｎ；ｋは整数）の方形スペース２０ＰＬ（ｋ）にそれぞれ対応したｎ個の上記第３の位置（ｋ）とを有し、
第１の位置に、上記第１仮登録番号３が、
第２の位置に、上記データベース内で第１仮登録番号３と紐づけられた第２仮登録番号５が、
第３の位置（ｋ）に、第２頁の左欄２０Ｌ（個人情報欄）の上からｋ番目の方形スペース２０ＰＬ（ｋ）内に表記された個人情報２４ＰＤ（ｋ）の中のデータ氏名２２Ｐｎ（ｋ）が、
それぞれ予め表記されている。
【００８１】
次に、冊子７の第１頁（冊子型の第１マイナンバー登録票１（ｐ１））について、図４を参照して説明する。
【００８２】
第１頁の右欄１０Ｒ（第１確認欄）には、第１頁を左欄１０Ｌと右欄１０Ｒの境界線（第１境界線１０Ｍ）で折り返すと、第２頁右欄２０Ｒ（通知カードセット欄）の方形スペース２０ＰＲ（１）〜２０ＰＲ（ｎ）に対応する位置に、方形スペース１０ＰＲ（１）〜１０ＰＲ（ｎ）が表記されている。
【００８３】
また、第１頁の右欄１０Ｒ（第１確認欄）には、第１頁を第１境界線１０Ｍで折り返して、第１頁の右欄１０Ｒ（第１確認欄）を上記第２頁の右欄２０Ｒ（通知カードセット欄）に重ねた第１重ね状態で、当該第２頁の右欄２０Ｒ（通知カードセット欄）の上記第２の位置に対応する位置に、第２仮登録番号確認窓１５Ｗが設けられている。
【００８４】
同様に、第１重ね状態で、第１頁の右欄１０Ｒ（第１確認欄）には、第２頁の右欄２０Ｒ（通知カードセット欄）のｎ個の方形スペース２０ＰＬ（１）〜２０ＰＬ（ｎ）にセットされるべき通知カード１００のマイナンバー記載位置１０８に対応する位置に、ｎ個のマイナンバー確認窓１８Ｗ（１）〜１８Ｗ（ｎ）が設けられている。
【００８５】
冊子７の第３頁（冊子型の第１マイナンバー登録票１（ｐ３））は、図６のように、頁番号「３」が表記されている以外は余白であるが、この第３頁の裏ページに当たる第４頁に設けた窓４３Ｗ、４２Ｗｎ、４６Ｗｎ等に対応する窓が開口されている。そこで、以下に、冊子７の第４頁（冊子型の第１マイナンバー登録票１（ｐ４））について、図７を参照して説明する。
【００８６】
図７に示すように、第４頁の右欄４０Ｒ（第２確認欄）には、冊子型の第１マイナンバー登録票１を第２頁と第３頁の境界線（第２境界線２３Ｍ）で折り返すと、第２頁右欄２０Ｒ（通知カードセット欄）の方形スペース２０ＰＲ（１）〜２０ＰＲ（ｎ）に対応する位置に、方形スペース４０ＰＲ（１）〜４０ＰＲ（ｎ）が予め表記されている。
【００８７】
以下、第４頁の機能の説明をするため、上述したような、第４頁を第２境界線２３Ｍで折り返して、当該第４頁の右欄４０Ｒ（第２確認欄）を第２頁の右欄２０Ｒ（通知カードセット欄）に重ねた第２重ね状態を作る。
【００８８】
この第２重ね状態を表す図１１を参照すると、第４頁の右欄４０Ｒ（第２確認欄）には、第２頁の右欄２０Ｒ（通知カードセット欄）の上記第１の位置に対応する位置に、第１仮登録番号確認窓４３Ｗが設けられている。また、同様に第２重ね状態で、第２頁右欄２０Ｒ（通知カードセット欄）の上記第３の位置（ｋ）（ｎ個の方形スペース２０ＰＲ（１）〜２０ＰＲ（ｎ）の右上部に表記されたデータ氏名２２Ｐｎ（１）〜２２Ｐｎ（ｎ）の位置（図５参照）に対応する位置に、ｎ個のデータ氏名確認窓４２Ｗｎ（ｋ）（４２Ｗｎ（１）〜４２Ｗｎ（ｎ））が設けられている。
【００８９】
さらに第２重ね状態で、第４頁の右欄４０Ｒ（第２確認欄）には、第２頁右欄２０Ｒ（通知カードセット欄）の上記ｎ個の方形スペース２０ＰＲ（１）〜２０ＰＲ（ｎ）にセットされるべき通知カード１００の表面のカード氏名記載位置１０６に対応する位置に、ｎ個のカード氏名確認窓４６Ｗｎ（１）〜４６Ｗｎ（ｎ）が設けられている。
【００９０】
なお、本実施例では、便宜上冊子型の第１マイナンバー登録票１を冊子７として扱ったが、境界線２３Ｍで切り離して、２枚の用紙のセットとして用いてもよい。２枚の用紙のセットとしても、冊子７と同様に上述した第１重ね状態と第２重ね状態を作ることができ、それぞれ、
Ａ．（第２仮登録番号５、通知カード１００表面に記載されたマイナンバー２８）
Ｂ．（第１仮登録番号３、通知カード１００表面に記載されたカード氏名２６、カードセット欄２０Ｒに予め表記されたデータ氏名２２Ｐｎ）
を、確認することができる。
【００９１】
以上、本実施例１に係る冊子型の第１マイナンバー登録票１の構成について説明したが、次に、冊子型の第１マイナンバー登録票１（図９参照）へ通知カード１００をセットする方法について説明する。
【００９２】
第２頁の右欄２０Ｒに予め表記されたｎ個の方形スペース２０ＰＲ（１）〜２０ＰＲ（ｎ）は、それぞれ通知カード１００をセットするためのセット手段５２を有する。図９では、セット手段５２の例として、通知カード１００の下の左右２隅を嵌合するための支持片を、通知カード１００と同一大きさの方形スペース２０ＰＲ（１）〜２０ＰＲ（ｎ）のそれぞれ下の左右２隅に設けている。
【００９３】
この支持片は、通知カード１００の上の左右２隅に設けてもよく、上下左右の４隅に設けてもよく、通知カード１００を嵌合して固定できれば、特に限定されない。あるいは、セット手段５２は、支持片の代わりに、上下左右の何れか２隅以上に設けた切込みであってもよく、この切込みに通知カード１００を嵌合してセットしてもよい。以下の実施形態のおいても、セット手段は共通に用いられる。
【００９４】
このような構成のセット用紙５０の第２頁右欄２０Ｒに、構成員等は、通知カード１００を、セット手段５２によりセットする。本実施例１では、方形スペース２０ＰＲ（１）〜２０ＰＲ（ｎ）のそれぞれ下の左右２隅に設けた支持片５２、５２に、通知カード１００の下の左右２隅を嵌合させてセットするが、上記のように、セット手段５２は方形スペース２０ＰＲに、通知カード１００をセットできれば特に限定されない。
【００９５】
続いて、冊子型の第１マイナンバー登録票１を配布された構成員等が、自己とその扶養家族の通知カード１００を、冊子型の第１マイナンバー登録票１（図９参照）の第２頁右欄２０Ｒ（通知カードセット欄）へセットする手順について説明する。
【００９６】
上記第２頁左欄２０Ｌ（個人情報欄）の上からｍ番目（１≦ｍ≦ｐ；ｍは整数）の方形スペース２０ＰＬ（ｍ）には、上述のように、上記データベースの登録に基づいた構成員等の個人情報２４ＰＤ（ｍ）が予め表記されている。そこで構成員等は、この個人情報２４ＰＤ（ｍ）（例えばデータ氏名２２Ｐｎ（ｍ））に対応した通知カード１００を、第２頁右欄２０Ｒ（通知カードセット欄）の上からｍ番目の方形スペース２０ＰＲ（ｍ）に、セット手段５２によりセットすればよい。すなわち、本冊子型の第１マイナンバー登録票１を組織Ｘ（又はその管理者）から配布された構成員等は、当該構成員等の人数分であるｐ個の通知カード１００を、左欄２０Ｌの方形スペース２０ＰＬ（ｍ）に表記された個人情報２４ＰＤ（ｍ）に対応させて、それぞれ第２頁右欄２０Ｒの方形スペース２０ＰＲ（ｍ）にセットする。
【００９７】
このようにしてｐ個のセットが完了した構成員等は、次の２つの確認（１）、（２）を行うのが好ましい。
【００９８】
（１）図５の第２頁左右欄２０Ｌ、２０Ｒを対照させて、第２頁右欄２０Ｒの方形スペース２０ＰＲ（ｍ）にセットした通知カード１００に記載の個人情報（例えばカード氏名記載位置１０６に記載されたカード氏名２６（ｎａｍｅ ｍ））が、対応する第２頁左欄２０Ｌ（個人情報欄）の方形スペース２０ＰＬ（ｍ）に表記された構成員等の個人情報２４ＰＤ（ｍ）（例えばデータ氏名２２Ｐｎ（ｍ））と一致するか確認する。
【００９９】
（２）この確認（１）を終えた構成員等は、次に冊子型の第１マイナンバー登録票１の第１頁を、左欄１０Ｌと右欄１０Ｒの境界線１０Ｍで折り返して、当該第１頁の右欄１０Ｒ（第１確認欄）を上記第２頁の右欄２０Ｒ（通知カードセット欄）に重ね、図１０の第１重ね状態を得る。そして、通知カード１００のセットが正確かを確認する。すなわち、第１重ね状態で、第１頁の右欄１０Ｒ上方に設けた第２仮登録番号確認窓１５Ｗから、第２頁の右欄２０Ｒの第２の位置に表記された第１仮登録番号３と紐づけられた上記第２仮登録番号５が正確に見えるか確認する。また、第１頁の右欄１０Ｒに設けた上からｍ番目のマイナンバー確認窓１８Ｗ（ｍ）から、第２頁の右欄２０Ｒの上からｍ番目の方形スペース２０ＰＲ（ｍ）にセットした通知カード１００の、マイナンバー記載位置１０８に記載されたマイナンバー２８（Ｍｙｎｏ．ｍ）が正確に見えるか確認する。
【０１００】
以上の確認（１）、（２）を終えた構成員等は、ｐ枚の通知カード１００をセットしたセット済み第１マイナンバー登録票１を複写して、以下に説明する第１チェック票７０、第２チェック票８０を作成し、これを組織Ｘ（又はその管理者）に提出する。
【０１０１】
上述のように、大量の構成員等を有する場合、組織Ｘは、構成員等の個人情報漏洩を防止しつつ、大量のマイナンバーを正確にデータベースに入力・登録しなければならない。また、回収した構成員等の第１チェック票７０、第２チェック票８０に正しく通知カード１００がセットされ、データベースに入力・登録した構成員等のマイナンバー２８（Ｍｙｎｏ．）が、確かに構成員等が国から付与されたマイナンバー２８（Ｍｙｎｏ．）と全て一致しているかを確認する必要がある。
【０１０２】
組織Ｘが管理する構成員等が大量である場合、組織Ｘの管理者が個人情報漏洩を防止しつつ、上記の確認作業を正確に短期間で行うには大変な労力と負担を要することになる。
【０１０３】
そこで、本発明においては、上述のように通知カード１００をセットしたセット済み第１マイナンバー登録票１を基にして、以下に説明する第１チェック票７０、第２チェック票８０を作成し、これらと対応してデータベースに管理する構成員等の個人情報から作成する入力登録画面、確認画面のページと共に、組織Ｘの外部の第三者（入力業者、確認業者）に引き渡し、個人情報漏洩を防止しつつデータベースにマイナンバー２８（Ｍｙｎｏ．）を入力・登録させ、その登録の正確さを確認させることとする。
【実施例２】
【０１０４】
［第１チェック票］
本実施例２では、上記実施例１で通知カード１００をセットしたセット済み第１マイナンバー登録票１を用いた第１チェック票７０について説明する。
【０１０５】
本発明に係る第１チェック票７０は、図４の冊子型の第１マイナンバー登録票１の第１頁を左欄１０Ｌと右欄１０Ｒの境界線１０Ｍで折り返して、第１頁の右欄１０Ｒ（第１確認欄）を第２頁の右欄２０Ｒ（通知カードセット欄）に重ねた第１重ね状態を得、この第１重ね状態の第１頁右欄１０Ｒ（第１確認欄）を複写して作成する（図１０右参照）。言い換えれば、図５の冊子型の第１マイナンバー登録票１の第２頁を、左欄２０Ｌ（個人情報欄）と右欄２０Ｒ（通知カードセット欄）の境界線２０Ｍで折り返して第１重ね状態を得、第１重ね状態の第１頁右欄１０Ｒ（第１確認欄）を複写して作成する。
【０１０６】
冊子型の第１マイナンバー登録票１の上記第１重ね状態では、図１０のように、第１頁の右欄１０Ｒ（第１確認欄）に設けた第２仮登録番号確認窓１５Ｗから、第２頁の右欄２０Ｒ（通知カードセット欄）の上記第２の位置に表記された、第１仮登録番号３と紐づけられた第２仮登録番号５を確認することができる。また、この第１重ね状態で、冊子型の第１マイナンバー登録票１の第１頁の右欄１０Ｒ（第１確認欄）に設けたマイナンバー確認窓１８Ｗ（１）〜１８Ｗ（ｎ）から、第２頁の右欄２０Ｒ（通知カードセット欄）の上からｐ個の方形スペース２０ＰＲ（１）〜２０ＰＲ（ｐ）に複写された通知カード１００のマイナンバー２８（Ｍｙｎｏ．１〜Ｍｙｎｏ．ｐ）を確認することができる。なお、本実施例２において、ｐ＝３である（図１０）。
【０１０７】
従って、冊子型の第１マイナンバー登録票１の第１重ね状態の第１頁を複写して作成した図１０の第１チェック票７０からは、組織Ｘのデータベース上で構成員等に付与された固有の第１仮登録番号３とユニークに紐づけられた第２仮登録番号５と、構成員とその扶養家族に国家によって対応付けられたマイナンバー２８（Ｍｙｎｏ．１〜Ｍｙｎｏ．ｐ）を確認することができる。
【０１０８】
組織Ｘの管理者から構成員等のマイナンバー２８をデータベースへ入力するように依頼を受けた第三者は、例えば、データベースに予め登録済みの（第１仮登録番号３と紐づけられた）第２仮登録番号５（＝ＡＢＣＤＥ（１／１））のみが表示された、図１０左に示すような表示画面に、第１チェック票７０に複写されたマイナンバー２８を入力する。すなわち、冊子型の第１マイナンバー登録票１を複写して得た、第２仮登録番号５がＡＢＣＤＥ（１／１）である第１チェック票７０のマイナンバー２８（Ｍｙｎｏ．１〜Ｍｙｎｏ．ｐ）を、第２仮登録番号５がＡＢＣＤＥ（１／１）である入力画面に、上から順番に入力すればよい。
【０１０９】
このようにして、組織Ｘ（またはその管理者）は、例えば組織Ｘの外部の第三者に依託して、個人情報漏洩を防止しつつ、組織Ｘが管理するデータベースに、構成員等のマイナンバー２８を入力・登録させることができる。
【実施例３】
【０１１０】
［第２チェック票］
本実施例３では、上記実施例１で通知カード１００をセットした冊子型の第１マイナンバー登録票１を用いた第２チェック票８０について説明する。
【０１１１】
本発明に係る第２チェック票８０は、図８（ａ）のように冊子型の第１マイナンバー登録票１を第２頁と第３頁の境界線２３Ｍで折り返して、第４頁の右欄４０Ｒを第２頁の右欄２０Ｒに重ね（第２重ね状態）、このセット手段５２の第４頁を複写して作成する（図１１右参照）。
【０１１２】
冊子型の第１マイナンバー登録票１の上記第２重ね状態では、図１１右に図示するように、第４頁の右欄４０Ｒ（第２確認欄）に設けた第１仮登録番号確認窓４３から、第２頁の右欄２０Ｒ（通知カードセット欄）の上記第１の位置に表記された第１仮登録番号３を確認できる。また、第４頁の右欄４０Ｒ（第２確認欄）に設けたカード氏名確認窓４６Ｗｎ（１）〜４６Ｗｎ（ｎ）から、第２頁の右欄２０Ｒ（通知カードセット欄）の方形スペース２０ＰＲ（１）〜２０ＰＲ（ｎ）に複写された、上からｐ個の通知カード１００の表面のカード氏名記載位置１０６に記載されたカード氏名２６（ｎａｍｅ１〜ｎａｍｅｐ）を、それぞれ確認できる。さらに、第４頁右欄４０Ｒ（第２確認欄）に表記した方形スペース４０ＰＲ（１）〜４０ＰＲ（ｎ）に対応するデータ氏名確認窓４２Ｗｎ（１）〜４２Ｗｎ（ｎ）からは、第２頁の右欄２０Ｒ（通知カードセット欄）の方形スペース２０ＰＲ（１）〜２０ＰＲ（ｎ）上方に予め表記された、上からｐ個のデータ氏名２２Ｐｎ（１）〜２２Ｐｎ（ｐ）をそれぞれ確認することができる。
【０１１３】
従って、セット済み第１マイナンバー登録票１の上記折り重ね状態の第４頁を複写して作成した第２チェック票８０（図１１右参照）からは、組織Ｘのデータベース上で構成員に付与された固有の第１仮登録番号３及び構成員等のデータ氏名２２Ｐｎ（１）〜２２Ｐｎ（ｐ）と、構成員とその扶養家族に国家によってマイナンバー２８（Ｍｙｎｏ．１〜Ｍｙｎｏ．ｐ）に対応付けられたカード氏名２６（ｎａｍｅ１〜ｎａｍｅｐ）を対照させることができる。これより、通知カード１００が正しく構成員等により冊子型の第１マイナンバー登録票１にセットされ、複写されて第２チェック票８０が作成されたかどうかを確認することができる。
【０１１４】
組織Ｘの管理者は、データベースから第１仮登録番号３及びこれに対応する構成員等のデータ氏名２２Ｐｎ（１）〜２２Ｐｎ（ｐ）のみを表示した、図１１左に示すような確認画面（第１仮登録番号３＝１２３４５（１／１））を提供してもよい。この確認画面データを、第１仮登録番号３が１２３４５（１／１）である第２チェック票８０と対にして、例えば組織Ｘの外部の第三者に引き渡し、個人情報漏洩を防止しつつ、データベースにおいて第１仮登録番号３と対応するデータ氏名２２Ｐｎ（１）〜２２Ｐｎ（ｐ）の登録の正確さを当該第三者に確認させることができる。
【０１１５】
以上、本実施形態においては、第１チェック票７０から、
Ａ．（第２仮登録番号５、マイナンバー２８）
の組を、第２チェック票８０から
Ｂ．（第１仮登録番号３、データ氏名２２Ｐｎ、カード氏名２６（ｎａｍｅ））
の組を、それぞれ確認できるようにしたが、上述のように、第２仮登録番号５と第１仮登録番号３を入れ替えてもよい。あるいは第２仮登録番号５（ＡＢＣＤＥ（１／１））と第１仮登録番号３（１２３４５（１／１））の呼称をそのままにして、秘匿したいシリアルナンバー（１２３４５（１／１））を他方のシリアルナンバー（ＡＢＣＤＥ（１／１））と入れ替えてもよい。
【０１１６】
以下の実施形態についても同様である。
（１−３）通知カード用の用紙対型のマイナンバー登録票（用紙対型の第１マイナンバー登録票）
【０１１７】
上述の冊子型の第１マイナンバー登録票は、図１（ａ）、（ｂ）、（ｃ）に示すように、１枚の用紙（Ａ５版の第２頁にＡ５版の半分の大きさの第３頁を加えた大きさの用紙）を適宜折り返すことによって重ね状態を得、この重ね状態を、第１確認欄側から見た第１重ね状態とし、第２確認欄側から見た第２重ね状態として、それぞれ複写することにより、第１チェック票と第２チェック票とを得た。すなわち、上述した実施形態の冊子型の第１マイナンバー登録票１は、１枚の用紙を適宜折り返すことによって第１、第２重ね状態を得る冊子型のマイナンバー登録票である（図１参照。）。以下、便宜のため、このような折返しにより第１、第２重ね状態を得、１枚の用紙で構成されたマイナンバー登録票を総称して「冊子型のマイナンバー登録票」ということとする。
【０１１８】
図２３（ａ）、（ｂ）、（ｃ）に示す本実施形態に係る通知カード用の用紙対型のマイナンバー登録票１’（以下、「用紙対型の第１マイナンバー登録票１’」ともいう。）は、上述した冊子型の第１マイナンバー登録票１（図１参照。）の第２頁（個人情報欄及び通知カードセット欄）をセット用紙２００（図２３（ａ））とし、これと独立した窓付きの確認用紙２１０（図２３（ｂ）、（ｃ））との２枚１組のセットを用いて第１重ね状態と第２重ね状態を形成し、これらを複写して第１チェック票と第２チェック票とを得る。なお、図２３（ｂ）と図２３（ｃ）とは、１枚の用紙である確認用紙２１０の表面（２１１）と裏面（２１２）の関係にある。
【０１１９】
図２３（ａ）のセット用紙２００（図２３（ａ））は、図１（ｂ）に示す冊子型の第１マイナンバー登録票１の第２頁（個人情報欄２０Ｌ及び通知カードセット欄２０Ｒ）とほぼ同様の構成であるが、第２仮登録番号５を第１境界線２０Ｍに関して第１仮登録番号３と対称の位置となるように、個人情報欄２０Ｌに表記した。ただし、セット用紙２００は、第１境界線２０Ｍに沿って折り返さずに用いるので、上述の冊子型の第１マイナンバー登録票１のように、第１境界線２０Ｍで折り曲がる必要はない。また、通知カードセット欄２０Ｒの方形スペース２０ＰＲ直上のデータ氏名２２Ｐｎは、本実施形態においては必須ではなく、表記されなくてもよい。
【０１２０】
確認用紙２１０は、図２３（ｂ）に示す表面を第１確認欄２１１とし、図２３（ｃ）に示す裏面を第２確認欄２１２として用いる。
【０１２１】
第１確認欄２１１を上にしてセット用紙２００（図２３（ａ））に重ねると第１重ね状態を得、第１仮登録番号確認窓１３Ｗから第１仮登録番号３を、マイナンバー確認窓１８Ｗからマイナンバー（Ｍｙ  Ｎｏ．）２８を確認することができる。この第１重ね状態では、その他の窓の４２Ｗｎ（データ氏名確認窓）と４６Ｗｎ（カード氏名確認窓）は、これらの窓からセット用紙２００（図２３（ａ））に記載された他の情報は確認できないように配置されている。
【０１２２】
第２確認欄２１２を上にしてセット用紙２００（図２３（ａ））に重ねると第２重ね状態を得、第２仮登録番号確認窓４５Ｗから第２仮登録番号５を、データ氏名確認窓４２Ｗｎとカード氏名確認窓４６Ｗｎとからは各々データ氏名２２Ｐｎとカード氏名２６を確認することができる。この第２重ね状態では、他の窓１８Ｗｎ（マイナンバー確認窓）からはセット用紙２００に記載された他の情報は確認できない。なお、４５Ｗ（第２仮登録番号確認窓）と１３Ｗ（第１仮登録番号確認窓）とは表裏関係にあり、物理的に同一の窓である。
【０１２３】
このように、セット用紙２００と確認用紙２１０のセットを用いて第１重ね状態と第２重ね状態を形成し、それぞれ複写することにより、本発明に係る用紙対型の第１マイナンバー登録票１’を用いても、上記冊子型の第１マイナンバー登録票１と同様に第１チェック票と第２チェック票とを得ることができる。そして、上記実施形態の冊子型の第１マイナンバー登録票１と同様に、第１チェック票７０から、
Ａ．（第１仮登録番号３、マイナンバー２８）
の組を、第２チェック票８０から
Ｂ．（第２仮登録番号５、データ氏名２２Ｐｎ、カード氏名２６（ｎａｍｅ））
の組を、それぞれ確認することができる。本実施形態の用紙対型の第１マイナンバー登録票１’においても、第２仮登録番号５と第１仮登録番号３を入れ替え等してもよい。
【０１２４】
また、実施例１の冊子型の第１マイナンバー登録票１と同様に、構成員等の数ｐを複数とすることも容易であり、用紙対型の第１マイナンバー登録票１’の各頁における方形スペース１０ＰＬ、１０ＰＲ、２０ＰＬ、２０ＰＲ、４０ＰＬ、４０ＰＲを、それぞれｐ個に拡張すればよい。
【０１２５】
以上のようにして完成した第１チェック票７０、第２チェック票８０を回収した組織Ｘ（又はその管理者）は、組織Ｘがその構成員等の氏名（冊子型の第１マイナンバー登録票１の２２Ｐｎ（１）〜２２Ｐｎ（ｐ））、生年月日、続柄を含む個人情報（冊子型の第１マイナンバー登録票１の２４ＰＤ（１）〜２４ＰＤ（ｐ））を管理するデータベースに、個人情報２４ＰＤ（１）〜２４ＰＤ（ｐ）に対応させて、委託した第三者にマイナンバー２８（Ｍｙｎｏ．１〜Ｍｙｎｏ．ｐ）を入力・登録させ、登録の正確性を別の第三者に委託して確認させることができる。
２．個人番号カード用のマイナンバー登録票（第２マイナンバー登録票）
【０１２６】
本発明に係る個人番号カード（マイナンバーカード）用のマイナンバー登録票（以下、「第２マイナンバー登録票」ともいう。）は、図２０に示す個人番号カード（マイナンバーカード）１０１を用いて、マイナンバー管理者を有する組織Ｘが、構成員等の個人情報を管理するデータベースに、当該構成員等のマイナンバーを当該構成員等の個人情報と紐づけて確実に登録し、当該マイナンバーに関する機密を保持しながら第三者に当該登録の確実性をチェックさせ得る第２マイナンバー登録票である。以下、冊子型、単独型、用紙対型、用紙対ずらし型の４タイプの個人番号カード用のマイナンバー登録票（第２マイナンバー登録票）について説明する。
【０１２７】
なお、図２０に示すように、個人番号カード（マイナンバーカード）１０１の表面には、カード氏名記載位置１０７に国民の氏名（カード氏名３６（ｎａｍｅ））が記載されている。一方、個人番号カード（マイナンバーカード）１０１の裏面には、マイナンバー記載位置１０９にマイナンバー２８（Ｍｙｎｏ．）が、カード氏名記載位置１０７’に国民の氏名（カード氏名３６’（ｎａｍｅ））がそれぞれ記載されている。
【０１２８】
また、上述したように、以下説明する冊子型、単独型、用紙対型、用紙対ずらし型のいずれのタイプの個人番号カード用のマイナンバー登録票（第２マイナンバー登録票）についても、第１チェック票、第２チェック票の作成方法、これらの使用方法は、上記実施形態、実施例と同様である。すなわち、典型的な第２マイナンバー登録票の利用法としては、マイナンバー管理者を有する組織Ｘは、当該組織Ｘの構成員等に、マイナンバーカードをセットするための第２マイナンバー登録票を配布し、構成員等は配布されたマイナンバー登録票に個人番号カード（マイナンバーカード）をセットしたセット済みマイナンバー登録票を複写することにより、第１チェック票７０と第２チェック票８０を作成し、組織Ｘの管理者に提出する。そして、例えば、マイナンバー登録票を構成員等から回収した当該管理者は、第１チェック票７０と第２チェック票８０とを、それぞれ異なる第三者に引き渡して、データベースに入力させ、登録の正確性をチェックさせる。このように異なる第三者にそれぞれ第１チェック票７０と第２チェック票８０を引き渡せば、それぞれの第三者は、構成員等の氏名（カード氏名及びデータ氏名）とマイナンバー２８（Ｍｙｎｏ．）を一致させることができないので、構成員等の個人情報漏洩を防止しつつ、正確に構成員等のマイナンバーをデータベースに入力・登録することができる。
（２−１）［個人番号カード用の冊子型のマイナンバー登録票（冊子型の第２マイナンバー登録票）］
【０１２９】
図１３に示すように、個人番号カード（マイナンバーカード）用の冊子型のマイナンバー登録票（以下、「冊子型の第２マイナンバー登録票」ともいう。）２は、同一形状（例えばＡ５サイズ）の第１確認欄１０と個人情報欄２０とマイナンバーカードセット欄（以下、単に「カードセット欄」ともいう。）３０と第２確認欄４０と、を順に有する、Ａ４サイズの用紙からなる。左右に隣接した個人情報欄２０とマイナンバーカードセット欄（カードセット欄）３０との境界線２３Ｍで冊子型の第２マイナンバー登録票２を折返すと、第１確認欄１０がマイナンバーカードセット欄３０に重なり合うと同時に、第２確認欄４０が個人情報欄２０に重なり合うように構成されている。このような重なり合い状態を、上述の実施形態及び実施例と同様に、以下、「重ね状態」といい、前者のように第１確認欄１０側から見た「重ね状態」を「第１重ね状態」と、後者のように第２確認欄４０側から見た「重ね状態」を「第２重ね状態」という。
【０１３０】
個人情報欄２０（ｐ２）には、上記組織Ｘの構成員に対応する固有の第１仮登録番号３と紐づけられた第２仮登録番号５及び上記データベースに登録された構成員等の個人情報２４ＰＤが予め表記されている。図１３（ｂ）のように、個人情報２４ＰＤはデータ氏名２２Ｐｎを含み、方形スペース２０Ｐ内に表記されており、第２仮登録番号５は方形スペース２０Ｐの欄外の上方に表記されている。
【０１３１】
また、個人情報欄２０（ｐ２）に隣接するマイナンバーカードセット欄３０（ｐ３）には、第１仮登録番号３及びデータ氏名２２Ｐｎが予め表記されていると共に、構成員等のマイナンバーカード１０１をセットするためのセット手段５２が、個人情報欄２０の個人情報に左右対応して設けられている。すなわち、図１３（ｂ）のように、個人情報欄２０の方形スペース２０Ｐと左右に対となる方形スペース３０Ｐにセット手段５２が設けられ、セット手段５２を用いてマイナンバーカード１０１をセットすることができ、方形スペース３０Ｐの欄外直上にデータ氏名２２Ｐｎが表記され、第１仮登録番号３がマイナンバーカードセット欄３０（ｐ３）の上方に表記されている。
【０１３２】
第１確認欄１０には、上記第１重ね状態で、第１仮登録番号確認窓１３Ｗ及びデータ氏名確認窓１２Ｗｎが、カードセット欄３０に表記された第１仮登録番号３及びデータ氏名２２Ｐｎの位置にそれぞれ一致するように設けられている。さらに第１確認欄１０には、カード氏名確認窓１６Ｗｎが、第１重ね状態で、カードセット欄３０にセットされたマイナンバーカード１０１の表面のカード氏名記載位置１０７に対応する位置に一致するように設けられている。なお、図１３（ａ）で、方形スペース１０Ｐは、第１重ね状態で方形スペース３０Ｐに重なり合うように表記されているが、必ずしも必要ではない。
【０１３３】
第２確認欄４０には、セット手段５２によりカードセット欄３０にセットされたマイナンバーカード１０１の裏側のマイナンバー記載位置１０９に対応する位置に、マイナンバー確認窓４８Ｗが、および、個人情報欄２０に表記された第２仮登録番号５の位置に、第２仮登録番号確認窓４５Ｗが、第２重ね状態でそれぞれ一致するように設けられている。なお、図１３（ｃ）で、方形スペース４０Ｐは、第２重ね状態で方形スペース２０Ｐに重なり合うように表記されているが、これも上記方形スペース１０Ｐと同様、必ずしも必要ではない。
【０１３４】
本発明に係るマイナンバーカード用の第１チェック票７０（図１４）は、上記第１重ね状態で、第１確認欄１０を複写して作成する。このため、第１チェック票７０は、以下のことをそれぞれ確認することができる。
【０１３５】
すなわち、冊子型の第２マイナンバー登録票２を上記境界線２３Ｍで折返し、第１確認欄１０をカードセット欄３０に重ねるので、図１４に示すように、第１確認欄１０に設けた第１仮登録番号確認窓１３Ｗから、マイナンバーカードセット欄３０に表記された第１仮登録番号３を確認することができる。また、データ氏名確認窓１２Ｗｎから、マイナンバーカードセット欄３０に表記されたデータ氏名２２Ｐｎを、さらに、カード氏名確認窓１６Ｗｎから、マイナンバーカードセット欄３０にセットされたマイナンバーカード１０１の表面のカード氏名記載位置１０７に記載されたカード氏名３６（ｎａｍｅ）を、それぞれ確認することができる。
【０１３６】
上記第１チェック票７０と同様に、本発明に係るマイナンバーカード用の第２チェック票８０（図１５）は、上記第２重ね状態で、第２確認欄４０を複写して作成する。このため、第２チェック票８０は、以下のことをそれぞれ確認することができる。
【０１３７】
すなわち、冊子型の第２マイナンバー登録票２を境界線２３Ｍで折返し、第２確認欄４０を個人情報欄２０に重ねるので、図１５に示すように、第２確認欄４０に設けた第２仮登録番号確認窓４５Ｗから、個人情報欄２０に表記された第２仮登録番号５を確認することができる。また、マイナンバー確認窓４８Ｗから、カードセット欄３０にセットされたマイナンバーカード１０１の裏側のマイナンバー記載位置１０９に記載されたマイナンバー２８（Ｍｙｎｏ．）を確認することができる。
【０１３８】
以上、本実施形態においては、第１チェック票７０から、
Ｂ．（第１仮登録番号３、データ氏名２２Ｐｎ、カード氏名３６（ｎａｍｅ））
の組を、第２チェック票８０から
Ａ．（第２仮登録番号５、マイナンバー２８）
の組を、それぞれ確認することができる。
【０１３９】
本実施形態においては、第２確認欄４０に予め第２仮登録番号５を表記しておいてもよい。この場合、第２仮登録番号確認窓４５Ｗは不要である。また、上述のように、個人情報欄２０の第２仮登録番号５とカードセット欄３０の第１仮登録番号３とを入れ替え、これに対応させて第２仮登録番号確認窓４５Ｗと第１仮登録番号確認窓１３Ｗを配置させてもよい。あるいは第２仮登録番号５（ＡＢＣＤＥ（１／１））と第１仮登録番号３（１２３４５（１／１））の呼称をそのままにして、秘匿したいシリアルナンバー（１２３４５（１／１））を他方のシリアルナンバー（ＡＢＣＤＥ（１／１））と入れ替えてもよい。
【０１４０】
以上のように、冊子型の第２マイナンバー登録票２の第１確認欄１０、第２確認欄４０を複写して作成したマイナンバーカード用の第１チェック票７０、第２チェック票８０を、上記実施例２、３で詳述したように、異なる第三者に引き渡すのが好適である。そして、組織Ｘ（またはその管理者）は、マイナンバーカード１０１を基にして、個人情報漏洩を防止しつつ、組織Ｘが管理するデータベースに、構成員等のマイナンバー２８を入力・登録させることができる。すなわち、上記それぞれの第三者は、構成員等の氏名（カード氏名３６（ｎａｍｅ）、データ氏名２２Ｐｎ）とマイナンバー２８（Ｍｙｎｏ．）を一致させることができないので、構成員等の個人情報漏洩を防止しつつ、正確に構成員等のマイナンバーをデータベースに入力・登録することができる。以下に説明する他の実施形態、実施例における個人番号カード用のマイナンバー登録票についても、同様に第１チェック票７０、第２チェック票８０を作成し、同様の効果を奏することができる。
【０１４１】
なお、構成員等がマイナンバーカード１０１を冊子型の第２マイナンバー登録票２にセットする方法や、セットが完了後の重ね状態の確認、更にマイナンバー登録・確認方法等は、上述した通り、通知カード１００を冊子型の第１マイナンバー登録票１にセットする場合と略同様であるので、割愛する。
【実施例４】
【０１４２】
［個人番号カード用の冊子型のマイナンバー登録票（冊子型の第２マイナンバー登録票）］
上述の冊子型の第２マイナンバー登録票（個人番号カード用の冊子型のマイナンバー登録票）２は、図１３に示したように、第１〜第４頁に表記した方形スペース１０Ｐ〜４０Ｐは各１個であり、構成員等が構成員１人の場合である。冊子型の第１マイナンバー登録票１について実施例１〜３で説明したように、構成員等が２以上のｐ（ｐは整数）人の場合についても冊子型の第２マイナンバー登録票２を用いてマイナンバー登録・確認を行うことができる。
【０１４３】
上記実施例１で説明した冊子型の第１マイナンバー登録票１と同様に、冊子型の第２マイナンバー登録票２も、組織Ｘが上記構成員等のマイナンバー２８（Ｍｙｎｏ．）を管理するマイナンバーカード用冊子（冊子型の第２マイナンバー登録票冊子）８を構成することができる。冊子型の第２マイナンバー登録票冊子（以下、「冊子」ともいう。）８は、図８（ｂ）に示すように、第１仮登録番号３がそれぞれ付与された、例えば１枚のＡ３用紙であり、この用紙を上記第２境界線２３Ｍで半分に折り返して左綴じにして、表紙から裏表紙に第１頁乃至第４頁を連続して付与した計４頁からなる。すなわち、上記のように、第１確認欄１０と個人情報欄２０とマイナンバーカードセット欄３０と第２確認欄４０とが、それぞれ第１頁〜第４頁を順に構成する。
【０１４４】
図１３に示す上記冊子型の第２マイナンバー登録票２と同様に、本実施例４の冊子型の第２マイナンバー登録票２（冊子８）も、左右に隣接した個人情報欄２０とマイナンバーカードセット欄３０との境界線２３Ｍで冊子型の第２マイナンバー登録票２を折返すと、第１確認欄１０がマイナンバーカードセット欄３０に重なり合う（第１重ね状態）と同時に、第２確認欄４０が個人情報欄２０に重なり合う（第２重ね状態）。
【０１４５】
以下、便宜のため、冊子８を１枚のＡ４用紙として説明し、その裏面の第４頁（左欄）と第１頁（右欄）を図１６に、表面の第２頁（左欄）と第３頁（右欄）を図１７に示す。本実施例４に係る冊子型の第２マイナンバー登録票２の構成は、図１３に示した上記冊子型の第２マイナンバー登録票２の第１〜第４頁に表記した方形スペース１０Ｐ〜４０Ｐを、それぞれ１個から４個にした以外は全く同様であるので、詳細の説明は省略する。
【０１４６】
図１７の第３頁には、構成員等をｐ＝３人として、表記された４つの方形スペース３０Ｐ（１）〜３０Ｐ（４）の内、上から３つの方形スペース３０Ｐ（１）〜３０Ｐ（３）に、セット手段５２を用いてマイナンバーカード１０１をセットしている。
【０１４７】
境界線２３Ｍで冊子８（冊子型の第２マイナンバー登録票２）を折り返すと、図１８の第１チェック票７０（第１重ね状態）と、図１９の第２チェック票８０（第２重ね状態）を得る。
【０１４８】
なお、本実施例では、便宜上冊子型の第２マイナンバー登録票２を冊子８として扱ったが、境界線２３Ｍで切り離して、２枚の用紙のセットとして用いてもよい。
【０１４９】
このように、マイナンバーカード１０１をセットした冊子型の第２マイナンバー登録票２（冊子８）を用いても、構成員等は第１チェック票７０、第２チェック票８０を作成することができる。この第１チェック票７０と第２チェック票８０を構成員等から回収した組織Ｘ（又はその管理者）は、組織Ｘがその構成員等の氏名（冊子型の第２マイナンバー登録票２の２２Ｐｎ（１）〜２２Ｐｎ（ｐ））、生年月日、続柄を含む個人情報（冊子型の第２マイナンバー登録票２の２４ＰＤ（１）〜２４ＰＤ（ｐ））を管理するデータベースに、個人情報２４ＰＤ（１）〜２４ＰＤ（ｐ）に対応させて、委託した第三者にマイナンバー２８（Ｍｙｎｏ．１〜Ｍｙｎｏ．ｐ）を入力・登録させ、登録の正確性を別の第三者に委託して確認させることができる。
（２−２）［個人番号カード用の単独型のマイナンバー登録票（単独型の第２マイナンバー登録票）］
【０１５０】
上述の（２−１）節及び実施例４に係る冊子型の第２マイナンバー登録票（個人番号カード用の冊子型のマイナンバー登録票）２は、上記第２境界線２３Ｍ等で折り返して用いる冊子型であった、本節では、単独型のマイナンバー登録票（以下、「単独型の第２マイナンバー登録票」ともいう。）２について説明する。
【０１５１】
本実施形態に係る個人番号カード用の単独型のマイナンバー登録票（単独型の第２マイナンバー登録票）２も、上記（２−１）節と同様、国民の氏名が表面のカード氏名記載位置１０７に、マイナンバー２８が裏面のマイナンバー記載位置１０９に、それぞれ記載された個人番号カード（マイナンバーカード）１０１を用いて、マイナンバー管理者を有する組織Ｘが、構成員等の個人情報を管理するデータベースに、当該構成員等のマイナンバー２８を当該構成員等の個人情報と紐づけて確実に登録し、マイナンバー２８に関する機密を保持しながら第三者に該登録の確実性をチェックさせ得る個人番号カード用のマイナンバー登録票２である。
【０１５２】
図２５（ａ）に示す単独型の第２マイナンバー登録票２は、左右に延びる上部折返し線１０Ｕにより上端帯部２０Ｕとその下方部２０Ｄとに画されると共に、下方部２０Ｄには、個人情報欄２０Ｌと、１又は複数のマイナンバー確認窓４８Ｗ（図２５（ｂ）参照）が設けられたカードセット欄２０Ｒとが表面の左右に表示された、１枚のセット用紙３００により構成される。セット用紙３００の表面を第１確認欄３１１として、裏面を第２確認欄３１２として用いる。
【０１５３】
すなわち、本実施形態の単独型の第２マイナンバー登録票２は、セット用紙３００の表面に表示された上部折返し線１０Ｕを境界にして、上端帯部２０Ｕを裏面側に折り返し、折り返したセット用紙３００を表面にして第１重ね状態を得る（第１確認欄３１１）。同様に、上部折返し線１０Ｕを境界にして上端帯部２０Ｕを裏面側に折り、そのセット用紙３００を裏面にして第２重ね状態を得ることができる（第２確認欄３１２）。
【０１５４】
セット用紙３００のカードセット欄２０Ｒ上方の上端帯部２０Ｕには、組織Ｘの構成員に対応する固有の第１仮登録番号３が上下逆にして表記されている。また、セット用紙３００の折返し線１０Ｕの下方部２０Ｄ（カードセット欄２０Ｒ）には、第１仮登録番号３と紐づけられた第２仮登録番号５が表記されている。
【０１５５】
さらに、セット用紙３００において、下方部２０Ｄにおける個人情報欄２０Ｌには、データベースに登録された構成員等のデータ氏名２２Ｐｎを含む個人情報が予め表記されており、下方部２０Ｄのカードセット欄２０Ｒには、個人情報欄２０Ｌの構成員等の個人情報に左右対応して、当該構成員等の個人番号カード１０１の表面を露出させてセットするためのセット手段５２が設けられている。
【０１５６】
このような本実施形態の単独型の第２マイナンバー登録票２において、カードセット欄２０Ｒに個人番号カード１０１の表面が露出するようにセットすると、上記第１重ね状態及び上記第２重ね状態を得ることができる。セット用紙３００のカードセット欄２０Ｒに設けられたマイナンバー確認窓４８Ｗ（図２５（ｂ）参照）は、第２確認欄３１２から以下のＡ中の（個人番号カード１０１の裏面に記載されたマイナンバー２８）が確認できるように配置される。
【０１５７】
すなわち、本実施形態の単独型の第２マイナンバー登録票２は、上記第１重ね状態において、第１確認欄３１１の表記及び個人番号カード１０１の表面の記載から、
Ｂ．（第２仮登録番号５、個人番号カードの表面に記載されたカード氏名３６（ｎａｍｅ）、個人情報欄に予め表記されたデータ氏名２２Ｐｎ）の情報を、
上記第２重ね状態において、第２確認欄３１２の表記（第１仮登録番号３）及びセット用紙３００に予め設けた上記１又は複数のマイナンバー確認窓４８Ｗから、
Ａ．（第１仮登録番号３、個人番号カード１０１の裏面に記載されたマイナンバー２８）
の情報を、各構成員等について確認し得るように、セット用紙３００に上記１又は複数のマイナンバー確認窓４８Ｗが配置されている。
（２−３）［個人番号カード用の用紙対型のマイナンバー登録票（用紙対型の第２マイナンバー登録票）］
【０１５８】
本実施形態に係る個人番号カード用の用紙対型の第２マイナンバー登録票２’は、上記のセット用紙３００において、個人情報欄２０Ｌに表記された構成員等のデータ氏名２２Ｐｎ以外の個人情報を秘匿化し得る、セット用紙３００を用いた個人番号カード１０１用の用紙対型のマイナンバー登録票（以下、「用紙対型の第２マイナンバー登録票」ともいう。）２’である。
【０１５９】
この用紙対型の第２マイナンバー登録票２’は、カードセット欄２０Ｒに１又は複数のマイナンバー確認窓４８Ｗが設けられ、裏面を第２確認欄３１２とする（２−２）節と同様のセット用紙３００と、複数の窓が設けられ、表面を第１確認欄３１１とする確認用紙３１０（図示せず）との２枚１組の用紙対で構成される。
【０１６０】
用紙対型の第２マイナンバー登録票２’は、このような用紙対を重ね合わせて２つの重ね状態を得る。すなわち、セット用紙３００の表面に表示された上部折返し線１０Ｕを境界にして上端帯部２０Ｕを裏面側に折ったセット用紙３００を表面にして、確認用紙３１０の第１確認欄３１１が表面となるように重ね合わせて第１重ね状態を得ることができる。また、上部折返し線１０Ｕを境界にして上端帯部２０Ｕを裏面側に折ったセット用紙３００を裏面にして第２重ね状態を得ることができる。
【０１６１】
そして、セット用紙３００に予め設けた上記１又は複数のマイナンバー確認窓４８Ｗ及び確認用紙３１０に予め設けた上記複数の窓は、カードセット欄２０Ｒに個人番号カード１０１を、その表面が露出するようにセットした状態で、それぞれ以下のように配置されている。
【０１６２】
すなわち、上記第１重ね状態において、第１確認欄３１１（確認用紙３１０）に設けた複数の窓から、
Ｂ．（第２仮登録番号５、個人番号カードの表面に記載されたカード氏名３６（ｎａｍｅ）、個人情報欄に予め表記されたデータ氏名２２Ｐｎ）の情報を、
上記第２重ね状態において、第２確認欄３１２（セット用紙３００）の表記及びセット用紙３００に予め設けた上記１又は複数のマイナンバー確認窓４８Ｗから、
Ａ．（第１仮登録番号３、個人番号カード１０１の裏面に記載されたマイナンバー２８）
の情報を、各構成員等について確認し得るように、マイナンバー確認窓４８Ｗ及び確認用紙３１０に予め設けた上記複数の窓が配置されている。
（２−４）［個人番号カードの裏面をセットする用紙対ずらし型のマイナンバー登録票（用紙対ずらし型の第２マイナンバー登録票）］
【０１６３】
（２−３）節で説明した用紙対型の第２マイナンバー登録票２’は、セット用紙３００の上端帯部２０Ｕを裏面側に折り返すタイプの、（２−２）節の単独型の第２マイナンバー登録票２を用いるものであったが、本（２−４）節では、これとは異なるタイプの個人番号カード用１０１の用紙対型のマイナンバー登録票（用紙対ずらし型の第２マイナンバー登録票）２’について説明する。本実施形態の用紙対ずらし型の第２マイナンバー登録票２’は、図２６（ａ）のように、個人番号カード（マイナンバーカード）１０１の裏面が露出するようにセットすることを特徴とする。
【０１６４】
この用紙対ずらし型の第２マイナンバー登録票２’は、（２−３）節の用紙対型の第２マイナンバー登録票２’と同様、国民の氏名（カード氏名３６’（ｎａｍｅ））及びマイナンバー２８が、裏面のカード氏名記載位置１０７’及びマイナンバー記載位置１０９に、それぞれ記載された個人番号カード（マイナンバーカード）１０１（図２０参照）を用いて、マイナンバー管理者を有する組織Ｘが、構成員等の個人情報を管理するデータベースに、当該構成員等のマイナンバー２８を当該構成員等の個人情報と紐づけて確実に登録し、マイナンバー２８に関する機密を保持しながら第三者に該登録の確実性をチェックさせ得る登録票である。
【０１６５】
本実施形態の用紙対ずらし型の第２マイナンバー登録票２’は、個人情報欄２０Ｌとカードセット欄２０Ｒとが表面の左右に表示されたセット用紙３００と（図２６（ａ）参照）、確認欄３１３が表面に表示される、複数の窓が配置された確認用紙３１０と（図２６（ｂ）参照）の２枚１組の用紙対で構成される。
【０１６６】
カードセット欄２０Ｒに個人番号カード１０１の裏面がセット用紙３００の表面に露出するようにセットして、
（１）セット用紙３００の表面に確認用紙３１０の確認欄３１３が表面となるように重ね合わせて第１重ね状態（図２6（ｂ））を得、
（２）セット用紙３００の表面に確認用紙３１０の確認欄３１３を、第１重ね状態からセット用紙３００に対して上方又は下方にずらせて第２重ね状態（図２6（ｃ））を得るように構成される。なお、図２6（ｃ）の第２重ね状態は、図２6（ｂ）の第１重ね状態から、確認欄３１３をセット用紙３００に対して上方にずらせた例であり、確認用紙３１０の確認欄３１３の縦サイズをセット用紙３００より短く描いている。
【０１６７】
このような本実施形態の用紙対ずらし型の第２マイナンバー登録票２’において、セット用紙３００の個人情報欄２０Ｌには、組織Ｘの構成員に対応する固有の第１仮登録番号３が表記されていると共に、データベースに登録された構成員等のデータ氏名２２Ｐｎを含む個人情報が予め表記されている。また、セット用紙３００のカードセット欄２０Ｒには、第１仮登録番号３と紐づけられた第２仮登録番号５が表記されていると共に、個人情報欄２０Ｌの構成員等の個人情報に左右対応して、当該構成員等の個人番号カード（マイナンバーカード）１０１の裏面をセットするためのセット手段５２が設けられている。なお、上述のように、第１仮登録番号３と第２仮登録番号５とは入れ替えても本発明の効果に影響を与えない。
【０１６８】
そして、上記第１重ね状態及び上記第２重ね状態において、確認用紙３１０の確認欄３１３に予め設けた複数の窓から、
Ｂ．（第１仮登録番号３、個人番号カード１０１の裏面に記載されたカード氏名３６’（ｎａｍｅ）、個人情報欄２０Ｌに予め表記されたデータ氏名２２Ｐｎ）
Ａ．（第２仮登録番号５、個人番号カード１０１の裏面に記載されたマイナンバー２８）
の何れか一方ずつのみの情報を、各構成員等について確認し得るように、確認欄３１３に予め設けたそれぞれの上記複数の窓（１２Ｗｎ、１３Ｗ、１５Ｗ、１６Ｗ（１８Ｗ）、１８Ｗ（１６Ｗ））が配置されている。
【０１６９】
（２−５）［身分証明書を利用のマイナンバー登録票］
なお、（２−２）〜（２−４）節において、個人番号カード用の単独型、用紙対型のマイナンバー登録票２、２’を図２５（ａ）、図２６（ａ）に示したが、これらの図においては、氏名を含む個人情報が記載されている身分証明書（免許証）１２０を利用したセット用紙３００等を表示した。このような、少なくとも氏名を含む個人情報が記載されている身分証明書１２０は、その他の上述した各種のマイナンバー登録票１、２等でも利用することができる。各種のマイナンバー登録票１、２等の個人情報欄２０Ｌに、構成員等の身分証明書１２０をセットするためのセット手段５２を設け、これを用いて、当該構成員等の身分証明書１２０を個人情報欄２０Ｌにセットし、身分証明書１２０に記載された当該構成員の氏名をデータ氏名２２Ｐｎとして、第１確認欄３１１に予め設けた複数の窓からデータ氏名２２Ｐｎを確認し得るようにこれらの複数の窓を配置し、マイナンバー登録票を構成すればよい。
３．秘匿番号登録票（冊子型、単独型、および用紙対型の秘匿番号登録票）
【０１７０】
上記１章、２章では、本発明に係るマイナンバー登録票（冊子型、用紙対型の第１、第２マイナンバー登録票、単独型の第２マイナンバー登録票）およびその使用方法等について説明したが、本発明は上述の実施形態、実施例に限定されるものではない。例えば、上記のように、構成員等の氏名と第１仮登録番号を一の組とし、マイナンバーと第２仮登録番号を他の組としてもよいが、氏名と第２仮登録番号を一の組とし、マイナンバーと第１仮登録番号を他の組として、マイナンバー登録票を構成してもよい。また、マイナンバー登録票は、冊子として用いて、これを境界線で折り返して重ね状態（第１重ね状態、第２重ね状態）を作成してもよいし、境界線で切り離した用紙対として用いて、当該重ね状態を作成してもよい。
【０１７１】
また、上記した本発明に係るマイナンバー登録票は、個人情報と切り離して秘匿するべき番号を、国が国民に付与する所謂マイナンバーとしたが、本発明は秘匿するべき番号はマイナンバーに限定される必要はない。本発明においては、ある組織Ｘが、何らかの個人情報をその関連データベースに登録している関係者を構成員等として、その構成員等のデータベースへの登録番号（以下、「秘匿番号」という。）とその個人情報が第三者に関連付けられないように、組織Ｘが当該秘匿番号をそのデータベースに登録・確認することも可能である。
【０１７２】
ここで、「秘匿番号」とは、数字やアルファベット等の文字・記号等の組み合わせのシリアルナンバーであり、上記組織Ｘに登録する構成員等が、その個人情報（氏名、住所、電話番号、生年月日等）を特定される恐れがあるため、他人に知られたくない番号である。例えば、クレジットカード番号やキャッシュカードなどに記載されたシリアルナンバー等であり得るが、単なる上記データベースへの登録番号や電話番号でもあり得る。
【０１７３】
また、上述のマイナンバー登録票においては、「構成員等」とは、上記１章、２章では、マイナンバーを登録する必要がある組織Ｘの従業員およびその扶養家族や講師、アルバイトなどの構成員及び／又はその構成員の扶養家族、あるいは単に登録を希望する者、としたが、本３章で「秘匿番号」を登録する「構成員等」はこれらに限定されず、以下、秘匿番号に関して「構成員等」とは、組織Ｘに関連して、そのデータベースに、自己及び／又はその関係者の上記秘匿番号と個人情報を登録しようとする者、をいうものとする。
【０１７４】
組織Ｘは、上記マイナンバー登録票と同様の構成の冊子型、用紙対型、単独型の秘匿番号登録票（以下、総称して「秘匿番号登録票」ともいう。）、チェック票（第１及び／又は第２チェック票）を作成して、予めデータベースに登録してある個人情報と秘匿番号とが第三者に関連付けられないように、当該組織Ｘ関連データベースに秘匿番号を登録・確認することができる。秘匿番号を記載した秘匿番号記載カードは、上記クレジットカード番号やキャッシュカードなどの他、詐欺にあう可能性が高い老人の電話番号などを表記したカードなどであってもよい。
【０１７５】
このような秘匿番号を保護するための秘匿番号登録票は、秘匿番号を組織Ｘのデータベースに登録しようとする構成員等の氏名が表面又は裏面のカード氏名記載位置に、秘匿番号が表面又は裏面の秘匿番号記載位置に、それぞれ記載された上記秘匿番号記載カードを用いて、秘匿番号管理者を有する組織Ｘが、当該組織Ｘの構成員等の氏名を含む個人情報を管理するデータベースに、当該構成員等の秘匿番号を当該構成員等の個人情報と紐づけて確実に登録し、秘匿番号に関する機密を保持しながら第三者に当該登録の確実性をチェックさせ得る秘匿番号登録票である。
【０１７６】
したがって、上記１章、２章の実施形態や実施例１〜４で説明したマイナンバー登録票（冊子型、用紙対型、単独型の第１、第２マイナンバー登録票等）やチェック票（第１チェック票、第２チェック票）の構成や使用方法等が、「マイナンバー」の語を「秘匿番号」に置き換えることにより、そのまま本発明の秘匿番号登録票、第１チェック票、第２チェック票に用いることができる。そのため、以下の説明においては、秘匿番号登録票の使用方法、及び、第１チェック票、第２チェック票の構成や使用方法等については基本的に省略する。
（３−１）カード氏名と秘匿番号が共に表面に記載された秘匿番号記載カード用の用紙対型の秘匿番号登録票
【０１７７】
本（３−１）節において、図２１（ａ）に示すように、秘匿番号記載カード１０２にはカード氏名５２６と秘匿番号５２８が共に表面に記載されている。
（３−１−１）冊子型の秘匿番号登録票
【０１７８】
まず、本実施形態に係る冊子型の秘匿番号登録票５０１について以下に説明する。図は省略するが、カード氏名５２６、秘匿番号５２８等、上記マイナンバー登録票１、２等に用いる同一又は同類の名称の符号に対して、５００を足した符号を用いて、以下、図１を参照して説明する。
【０１７９】
［秘匿番号と氏名が共に表面に記載された冊子型の秘匿番号登録票］
本発明の秘匿番号登録票５０１は、複数の窓が配置された第１確認欄５１０Ｒと個人情報欄５２０Ｌと秘匿番号記載カードセット欄（以下、「カードセット欄」ともいう。）５２０Ｒと複数の窓が配置された第２確認欄５４０Ｌと、を順に有する１又は複数の用紙からなる。カードセット欄５２０Ｒの左端５２０Ｍ又は右端５２３Ｍで折り返すことにより、第１確認欄５１０Ｒがカードセット欄５２０Ｒと重なり合う第１重ね状態、および、第２確認欄５４０Ｌが個人情報欄５２０Ｌ及び／又はカードセット欄５２０Ｒと重なり合う第２重ね状態を得るように構成される。
【０１８０】
個人情報欄５２０Ｌには、少なくとも、上記データベースに登録された上記構成員等のデータ氏名５２２Ｐｎを含む個人情報５２４ＰＤが予め表記されており、個人情報欄５２０Ｌに隣接するカードセット欄５２０Ｒには、少なくとも、個人情報欄５２０Ｌに表記された構成員等の個人情報５２４ＰＤに対応して、当該構成員等の秘匿番号記載カード１０２をセットするためのセット手段５５２が設けられている。このカードセット欄５２０Ｒには、図１（ｂ）のように、構成員等のデータ氏名５２２Ｐｎが、秘匿番号記載カード１０２をセットする欄外に予め表記されていてもよい。
【０１８１】
また、カードセット欄５２０Ｒ又は個人情報欄５２０Ｌには、上記組織Ｘの構成員に対応する固有の第１仮登録番号３および当該第１仮登録番号３と紐づけられた第２仮登録番号５が、予め表記されている。
【０１８２】
カードセット欄５２０Ｒに秘匿番号記載カード１０２をセットして、カードセット欄５２０Ｒの左端５２０Ｍ又は右端５２３Ｍで折り返し、上記第１重ね状態及び上記第２重ね状態を形成することができる。
【０１８３】
本発明に係る秘匿番号登録票５０１は、この第１重ね状態及び第２重ね状態において、第１確認欄５１０Ｒ及び第２確認欄５４０Ｌに予め設けたそれぞれの上記複数の窓から、
Ａ．（第２仮登録番号５又は第１仮登録番号３、秘匿番号記載カード１０２に記載された秘匿番号５２８）
Ｂ．（第１仮登録番号３又は第２仮登録番号５、秘匿番号記載カード１０２に記載されたカード氏名５２６、カードセット欄５２０Ｒ又は個人情報欄５２０Ｌに予め表記されたデータ氏名５２２Ｐｎ）
の何れか一方ずつのみの情報を、上記各構成員等について確認し得るように、第１確認欄５１０Ｒ及び第２確認欄５４０Ｌに予め設けたそれぞれの前記複数の窓が配置される。
（３−１−２）用紙対型の秘匿番号登録票
【０１８４】
次に、本実施形態に係る用紙対型の秘匿番号登録票５０１について、以下説明する。
【０１８５】
［秘匿番号と氏名が共に表面に記載された用紙対型の秘匿番号登録票］
本発明の用紙対型の秘匿番号登録票５０１は、個人情報欄５２０Ｌとカードセット欄５２０Ｒとが並んで表示されるセット用紙５００と、第１確認欄５１１と第２確認欄５１２とが表裏に表示される確認用紙５１０と、の２枚１組の用紙対である（各符号に５００を加えて図２３参照）。セット用紙５００は、個人情報欄５２０Ｌとカードセット欄５２０Ｒとが表面に左右に並んで表示されるのが好ましく、また、確認用紙５１０の第１確認欄５１１と第２確認欄５１２とは、表面のみに表示される構成でもよい。
【０１８６】
本発明の用紙対型の秘匿番号登録票５０１は、セット用紙５００の表面に、確認用紙５１０の第１確認欄５１１が表面となるように重ね合わせて第１重ね状態を得ることができる。また、セット用紙５００の表面に、確認用紙５１０の第２確認欄５１２が表面となるように重ね合わせて第２重ね状態を得るように構成される。
【０１８７】
上記セット用紙５００の個人情報欄５２０Ｌには、少なくとも、上記データベースに登録された上記構成員等のデータ氏名５２２Ｐｎを含む個人情報が予め表記されている。また、セット用紙５００のカードセット欄５２０Ｒには、少なくとも、個人情報欄５２０Ｌの構成員等の個人情報に左右対応して、当該構成員等の秘匿番号記載カード１０２をセットするためのセット手段５５２が設けられている。このカードセット欄５２０Ｒには、秘匿番号記載カード１０２をセットする欄外に、各構成員等のデータ氏名５２２Ｐｎが予め表記されていてもよい。
【０１８８】
また、上記組織Ｘの構成員に対応する固有の第１仮登録番号３および当該第１仮登録番号３と紐づけられた第２仮登録番号５が、セット用紙５００のカードセット欄５２０Ｒ又は個人情報欄５２０Ｌに予め表記されている。
【０１８９】
本発明に係る用紙対型の秘匿番号登録票５０１は、カードセット欄５２０Ｒに秘匿番号記載カード１０２をセットして、上記第１重ね状態及び上記第２重ね状態において、第１確認欄５１１及び第２確認欄５１２に予め設けたそれぞれの複数の窓から、
Ａ．（第２仮登録番号５又は第１仮登録番号３、秘匿番号記載カード１０２に記載された秘匿番号５２８）
Ｂ．（第１仮登録番号３又は第２仮登録番号５、秘匿番号記載カード１０２に記載されたカード氏名５２６、カードセット欄５２０Ｒ又は個人情報欄５２０Ｌに予め表記されたデータ氏名５２２Ｐｎ）
の何れか一方ずつのみの情報の組を、それぞれ上記各構成員等について確認することができるように第１確認欄５１１及び第２確認欄５１２に予め設けたそれぞれの前記複数の窓が配置される。
【０１９０】
なお、上述の実施形態においては、個人情報欄には、少なくとも、データベースに登録された構成員等のデータ氏名を含む個人情報が予め表記されていたが、そのように表記する代わりに、氏名を含む個人情報が記載されている身分証明書を利用してもよい。すなわち、予めデータベースに登録された構成員等の氏名を含む個人情報が記載されている身分証明書を、個人情報欄にセットするためのセット手段５５２を、当該個人情報欄に設ければよい。ここで、身分証明書としては、自動車等の免許証やパスポートなどが挙げられる。
【０１９１】
このセット手段を用いて、構成員等の身分証明書を個人情報欄にセットし、当該身分証明書に記載された構成員の氏名をデータ氏名５２２Ｐｎとして、第１確認欄５１１又は第２確認欄５１２に予め設けたそれぞれの上記複数の窓から当該データ氏名５２２Ｐｎを確認し得るようにして、秘匿番号登録票５０１を構成すれば、１章、２章等、上述の実施形態と同様の効果を得ることができる。
【０１９２】
［第１チェック票］
上記実施形態で説明した第１チェック票７０は、第１確認欄５１１に予め設けた複数の窓から、上記の
Ａ．（第２仮登録番号５又は第１仮登録番号３、秘匿番号記載カード１０２に記載された秘匿番号５２８）
Ｂ．（第１仮登録番号３又は第２仮登録番号５、秘匿番号記載カード１０２に記載されたカード氏名５２６、カードセット欄５２０Ｒ又は個人情報欄５２０Ｌに予め表記されたデータ氏名５２２Ｐｎ）
の何れか一方の情報の組を確認できる上記第１重ね状態で、第１確認欄５１１を複写して作成することができる。
【０１９３】
［第２チェック票］
また、第２チェック票８０は、同様に、上記第１確認欄５１１の複数の窓から確認できる上記Ａ又は上記Ｂの何れか一方の情報の組とは他方の情報の組を確認できる上記の第２重ね状態で、第２確認欄５１２を複写して作成することができる。
【０１９４】
［秘匿番号記載カード１０２→マイナンバー通知カード、マイナンバーカード］
上述のように、秘匿番号記載カード１０２は、秘匿番号５２８が重複しないユニークな１２桁の個人番号のマイナンバー２８である、マイナンバー通知カード（通知カード）１００であってもよい。
（３−２）カード氏名が表面に、秘匿番号が裏面に記載された秘匿番号記載カード用の秘匿番号登録票
【０１９５】
本（３−２）節においては、図２１（ｂ）に示すように、秘匿番号記載カード１０２には、カード氏名５２６が表面に、秘匿番号５２８が裏面に記載されている。
（３−２−１）単独型の秘匿番号登録票
【０１９６】
［氏名が表面に、秘匿番号が裏面に記載された秘匿番号記載カード用の単独型の秘匿番号登録票］
【０１９７】
本実施形態に係る単独型の秘匿番号登録票５０１は、上述のような記載の秘匿番号記載カード１０２を用いて、秘匿番号管理者を有する組織Ｘが、当該組織Ｘの構成員等の氏名を含む個人情報を管理するデータベースに、当該構成員等の秘匿番号５２８を当該構成員等の個人情報と紐づけて確実に登録し、秘匿番号５２８に関する機密を保持しながら第三者に該登録の確実性をチェックさせ得る、裏面に秘匿番号５２８が記載された秘匿番号記載カード１０２用の単独型の秘匿番号登録票５０１である。
【０１９８】
本実施形態の単独型の秘匿番号登録票５０１は、１枚のセット用紙５００により単独で構成され、図２５（ａ）を参考に参照して（各符号に５００を加えて）、セット用紙５００の表面は、左右に延びる上部折返し線５１０Ｕにより上端帯部５２０Ｕとその下方部５２０Ｄとに画される。その下方部５２０Ｄには、個人情報欄５２０Ｌと１又は複数の秘匿番号確認窓５４８Ｗ（図２５（ｂ）参照）が設けられたカードセット欄５２０Ｒとが表面の左右に表示され、セット用紙５００は、その表面をそのまま直に第１確認欄５１１と、裏面をそのまま直に第２確認欄５１２とする構成である。
【０１９９】
このような構成の単独型の秘匿番号登録票５０１は、セット用紙５００の表面に表示された上部折返し線５１０Ｕを境界にして上端帯部５２０Ｕを裏面側に折り返し、セット用紙５００を表面（第１確認欄５１１）にして第１重ね状態を得、上部折返し線１０Ｕを境界にして上端帯部５２０Ｕを裏面側に折り返し、セット用紙５００を裏面（第２確認欄５１２）にして第２重ね状態を得ることができる。
【０２００】
セット用紙５００において、カードセット欄２０Ｒの上端帯部５２０Ｕには、組織Ｘの構成員に対応する固有の第１仮登録番号３が上下逆にして表記されており、折返し線の下方部５２０Ｄには、第１仮登録番号３と紐づけられた第２仮登録番号５が表記されている。また、下方部５２０Ｄにおける個人情報欄５２０Ｌには、データベースに登録された上記構成員等のデータ氏名５２２Ｐｎを含む個人情報が予め表記されており、下方部５２０Ｄにおけるカードセット欄５２０Ｒには、個人情報欄５２０Ｌの構成員等の個人情報に左右対応して、当該構成員等の秘匿番号記載カード１０２の表面を露出させてセットするためのセット手段５５２が設けられている。
【０２０１】
カードセット欄５２０Ｒの表面に秘匿番号記載カード１０２の表面が露出するようにセットすると、上記第１重ね状態において、セット用紙５００の表面（第１確認欄５１１）の表記から、
Ｂ．（第２仮登録番号５、秘匿番号記載カード１０２の表面に記載されたカード氏名５２６、個人情報欄５２０Ｌに予め表記されたデータ氏名５２２Ｐｎ）の情報を、
上記第２重ね状態において、折り返した上端帯部５２０Ｕの表記及びセット用紙５００に予め設けた上記１又は複数の秘匿番号確認窓５４８Ｗから、
Ａ．（第１仮登録番号３、秘匿番号記載カード１０２の裏面に記載された秘匿番号５２８）
の情報を、各構成員等について確認し得るように、セット用紙５００に上記１又は複数の秘匿番号確認窓５４８Ｗが配置されている。
（３−２−２）用紙対型の秘匿番号登録票
【０２０２】
［氏名が表面に、秘匿番号が裏面に記載された秘匿番号記載カード用の用紙対型の秘匿番号登録票］
本実施形態に係る裏面に秘匿番号５２８が記載された秘匿番号記載カード１０２用の用紙対型の秘匿番号登録票５０１は、上記（３−２−１）節に記載のセット用紙５００における個人情報欄５２０Ｌに表記された上記構成員等のデータ氏名以外の個人情報を秘匿化し得る、セット用紙５００を用いた用紙対型の秘匿番号登録票５０１である。上述のように、個人情報欄５２０Ｌに免許証をセットする場合などに、顔写真や住所等を氏名と分離して秘匿化することができる。
【０２０３】
本実施形態の用紙対型の秘匿番号登録票５０１は、図２５（ａ）を参考に参照して（各符号に５００を加えて）、カードセット欄５２０Ｒに１又は複数の秘匿番号確認窓５４８Ｗが設けられ、例えば裏面を第２確認欄５１２とするセット用紙５００と、複数の窓が設けられ、表面を第１確認欄５１１とする確認用紙５１０との２枚１組の用紙対である。
【０２０４】
そして、セット用紙５００の表面に表示された上部折返し線５１０Ｕを境界にして上端帯部５２０Ｕを裏面側に折ったセット用紙５００を表面にして、確認用紙５１０表面の第１確認欄５１１が表面となるように重ね合わせて第１重ね状態を得ることができる。また、上部折返し線５１０Ｕを境界にして上端帯部５２０Ｕを裏面側に折ると、セット用紙５００を裏面にして第２重ね状態を得ることができる。
【０２０５】
このような構成の本実施形態の用紙対型の秘匿番号登録票５０１において、セット用紙５００の上記１又は複数の秘匿番号確認窓５４８Ｗ及び確認用紙５１０の上記複数の窓は、カードセット欄２０Ｒに秘匿番号記載カード１０２の表面が露出するようにセットして、以下のように配置される。すなわち、
上記第１重ね状態において、確認用紙５１０の表面の第１確認欄５１１に設けた上記１又は複数のカード氏名確認窓５１６Ｗ、データ氏名確認窓５１２Ｗｎ（例えば図２６（ｂ）を参照）から、
Ｂ．（第２仮登録番号５、秘匿番号記載カード１０２の表面に記載されたカード氏名５２６、個人情報欄に予め表記されたデータ氏名５２２Ｐｎ）の情報を、
上記第２重ね状態において、折り返した上端帯部５２０Ｕの表記及びセット用紙５００に予め設けた上記１又は複数の秘匿番号確認窓５４８Ｗ（例えば図２５（ｂ）を参照）から、
Ａ．（第１仮登録番号３、秘匿番号記載カード１０２の裏面に記載された秘匿番号５２８）
の情報を、各構成員等について確認し得るように配置される。
（３−３）カード氏名と秘匿番号が共に裏面に記載された秘匿番号記載カード用の秘匿番秘匿番号登録票
【０２０６】
本（３−３）節において、秘匿番号記載カード１０２には、図２１（ｃ）に示すように、表面にカード氏名５２６が、裏面に秘匿番号５２８とカード氏名５２６’が記載されている。
【０２０７】
［秘匿番号と氏名が共に裏面に記載された秘匿番号記載カード用の用紙対型の秘匿番号登録票（用紙対型の秘匿番号登録票）］
本実施形態に係る秘匿番号５２８とカード氏名５２６’が共に裏面に記載された秘匿番号記載カード１０２用の用紙対型の秘匿番号登録票５０１は、秘匿番号５２８を組織Ｘのデータベースに登録しようとする構成員等の氏名（カード氏名５２６’）が裏面のカード氏名記載位置に、秘匿番号５２８が裏面の秘匿番号記載位置に、それぞれ記載された秘匿番号記載カード１０２を用いて、秘匿番号管理者を有する組織Ｘが、当該組織Ｘの構成員等の氏名を含む個人情報を管理するデータベースに、当該構成員等の秘匿番号５２８を当該構成員等の個人情報と紐づけて確実に登録し、秘匿番号５２８に関する機密を保持しながら第三者に該登録の確実性をチェックさせ得る、用紙対型の秘匿番号登録票５０１である。
【０２０８】
本実施形態の用紙対型の秘匿番号登録票５０１は、図２６（ａ）〜（ｃ）を参考に参照して（各符号に５００を加えて）、個人情報欄５２０Ｌとカードセット欄５２０Ｒとが表面の左右に表示されたセット用紙５００と、確認欄５１３が表面に表示される、複数の窓が配置された確認用紙５１０との２枚１組の用紙対で構成される。
【０２０９】
そして、カードセット欄５２０Ｒに秘匿番号記載カード１０２の裏面がセット用紙５００の表面に露出するようにセットして、
（１）セット用紙５００の表面に確認用紙５１０の確認欄５１３が表面となるように重ね合わせて第１重ね状態を得、
（２）セット用紙５００の表面に、確認用紙５１０の確認欄５１３を、上記第１重ね状態から該セット用紙５００に対して上方又は下方にずらせて第２重ね状態を得ることができる。
【０２１０】
本実施形態の用紙対型の秘匿番号登録票５０１において、セット用紙５００の個人情報欄５２０Ｌには、組織Ｘの構成員に対応する固有の第１仮登録番号３が表記されていると共に、データベースに登録された構成員等のデータ氏名５２２Ｐｎを含む個人情報が予め表記されている。また、セット用紙５００のカードセット欄５２０Ｒには、第１仮登録番号３と紐づけられた第２仮登録番号５が表記されていると共に、個人情報欄５２０Ｌの構成員等の個人情報に左右対応して、当該構成員等の秘匿番号記載カード１０２の裏面をセットするためのセット手段５５２が設けられている。
【０２１１】
このような構成の本実施形態の用紙対型の秘匿番号登録票５０１において、確認欄５１３に予め設けたそれぞれの上記複数の窓は、以下のように配置される。すなわち、上記第１重ね状態及び上記第２重ね状態において、確認欄５１３に予め設けた上記複数の窓から、
Ｂ．（第１仮登録番号３又は第２仮登録番号５、秘匿番号記載カード１０２の裏面に記載されたカード氏名５２６’、個人情報欄５２０Ｌに予め表記されたデータ氏名５２２Ｐｎ）
Ａ．（第２仮登録番号５又は第１仮登録番号３、秘匿番号記載カード１０２の裏面に記載された秘匿番号５２８）
の何れか一方ずつのみの情報を、各前記各構成員等について確認し得るように配置される。
【０２１２】
本実施形態の用紙対型の秘匿番号登録票５０１は、秘匿番号記載カード１０２を個人番号カード（マイナンバーカード）１０１として用いることができる。この場合、秘匿番号５２８は、日本政府が国民各個人に付与する、重複しないユニークな１２桁の個人番号（マイナンバー）である。
【０２１３】
［身分証明書を利用の秘匿番号登録票］
以上、（３−１）節〜（３−３）節に説明した秘匿番号登録票５０１では、氏名を含む個人情報が記載されている身分証明書を利用することができる。個人情報欄に、構成員等の身分証明書をセットするためのセット手段５５２を設け、これを用いて、当該構成員等の身分証明書を個人情報欄にセットし、身分証明書に記載された構成員の氏名をデータ氏名として、上記第１確認欄５１１、上記第２確認欄５１２又は確認欄５１３に予め設けたそれぞれの前記複数の窓から、当該データ氏名を確認することができる。
【０２１４】
［秘匿番号記載カード１０２→マイナンバー通知カード、マイナンバーカード］
また、上述のように、秘匿番号記載カード１０２は、秘匿番号５２８が、重複しないユニークな１２桁の個人番号のマイナンバー２８である、個人情報カード（マイナンバーカード）１０１であってもよい。
（３−４）冊子型の秘匿番号登録票の実施例
【実施例５】
【０２１５】
以下、本実施例５では、実施例１で説明した通知カード１００（図１２）と同様、カード氏名５２６と秘匿番号５２８が同一面（表面）に記載された秘匿番号記載カード１０２（図２１（ａ）参照）を用いる場合の秘匿番号登録票５０１について、さらに詳細に説明する。従って、秘匿番号登録票５０１は図１に記載の冊子型の第１マイナンバー登録票１で「マイナンバー」の語を「秘匿番号」に置き換えて秘匿番号登録票５０１としてもよいが、本実施例５では、異なる構成の図２２（ａ）〜（ｃ）に示す秘匿番号登録票５０１を用いる。
【０２１６】
なお、カード氏名５２６と秘匿番号５２８が、表面と裏面に別々に記載された秘匿番号記載カード１０２（図２１（ｂ）参照）を用いる場合は、実施例４で説明したマイナンバーカード１０１（図２０）用の冊子型の第２マイナンバー登録票２と同様の構成を採用すればよい。また、用紙対型の秘匿番号登録票５０１の実施例についても、図２３（ａ）、（ｂ）、（ｃ）に示す上記用紙対型の第１マイナンバー登録票１’と同様の構成を採用すればよいので、説明は省略する。
【０２１７】
図１に記載の冊子型の第１マイナンバー登録票１と、図２２に示す本実施例５に係る秘匿番号登録票５０１との相違は、表裏関係にある冊子型の第１マイナンバー登録票１の第３頁、第４頁の用紙の大きさを、第１、第２頁と同じ大きさとしたことである。また、冊子型の第１マイナンバー登録票１（図１）の第１仮登録番号３を第２頁左欄に移して第１仮登録番号３とし、これに対応して冊子型の第１マイナンバー登録票１（図１）の３０Ｌ（第３頁）に設けた第１仮登録番号確認窓４３Ｗを第３頁右欄５３０Ｒに移している。その他、符号を５００加えた以外は、窓や欄や表記等の形状、機能、使用方法等は略同一である。
【０２１８】
図２２に記載の秘匿番号登録票５０１は、第１確認欄５１０Ｒと個人情報欄５２０Ｌと秘匿番号記載カードセット欄（以下、「カードセット欄」ともいう。）５２０Ｒと第２確認欄５４０Ｌ及び５４０Ｒ（以下、「５４０ＬＲ」などと記載する。）と、を順に有する１又は複数の用紙からなる。
【０２１９】
秘匿番号登録票５０１は、カードセット欄５２０Ｒの左端５２０Ｍ又は右端５２３Ｍで折り返すことにより、第１確認欄５１０Ｒがカードセット欄５２０Ｒと重なり合う第１重ね状態、および、第２確認欄５４０ＬＲが個人情報欄５２０Ｌ及び／又はカードセット欄５２０Ｒと重なり合う第２重ね状態を得るように構成される。図２２に示す秘匿番号登録票５０１の構成では、第２重ね状態は、第２確認欄５４０ＬＲが個人情報欄５２０Ｌ及びカードセット欄５２０Ｒと重なり合う。
【０２２０】
個人情報欄５２０Ｌには、冊子型の第１マイナンバー登録票１（図１）と同様に、少なくとも、上記データベースに登録された上記構成員等のデータ氏名５２２Ｐｎを含む個人情報５２４ＰＤが予め表記されている。また、個人情報欄５２０Ｌに隣接するカードセット欄５２０Ｒには、個人情報欄５２０Ｌの構成員等の個人情報に左右対応して、当該構成員等の秘匿番号記載カード１０２をセットするためのセット手段５５２が設けられると共に、セット手段５５２の外側部に当該個人情報に対応するデータ氏名５２２Ｐｎが予め表記されている。さらに、個人情報欄５２０Ｌには、上記組織Ｘの構成員に対応する固有の第１仮登録番号３が予め表記されており、当該第１仮登録番号３と紐づけられた第２仮登録番号５がカードセット欄５２０Ｒ又は上記個人情報欄５２０Ｌに予め表記されている。
【０２２１】
このような秘匿番号登録票５０１のカードセット欄５２０Ｒに秘匿番号記載カード１０２をセットして、カードセット欄５２０Ｒの左端５２０Ｍ又は右端５２３Ｍで折り返すと、上述の第１重ね状態および第２重ね状態を形成することができる。
【０２２２】
そして、第１重ね状態において、第１確認欄５１０Ｒに予め設けた複数の窓、第２仮登録番号確認窓５１５Ｗ，秘匿番号確認窓５１８Ｗから、
Ａ．（カードセット欄５２０Ｒに予め表記された第２仮登録番号５、秘匿番号記載カード１０２に記載された秘匿番号５２８）を、
また、第２重ね状態において、第２確認欄５４０ＬＲに予め設けた複数の窓、第１仮登録番号確認窓５４３Ｗ、データ氏名確認窓５４２Ｗｎ、カード氏名確認窓５４６Ｗｎから、
Ｂ．（個人情報欄５２０Ｌに予め表記された構成員等の第１仮登録番号３、個人情報欄５２０Ｌに予め表記されたデータ氏名５２２Ｐｎ、秘匿番号記載カード１０２に記載されたカード氏名５２６）を、それぞれ確認することができる。
【０２２３】
このように、秘匿番号登録票５０１を基にして第１重ね状態及び第２重ね状態を形成し、上述の第１チェック票及び第２チェック票を複写することができる。したがって、本発明の秘匿番号登録票５０１から、上記１及び２の情報の組を、それぞれ上記各構成員等について確認することができる。
（３−５）秘匿番号登録・確認方法
【０２２４】
以上説明したような冊子型又は用紙対型の秘匿番号登録票５０１を用いた、本発明に係る秘匿番号登録・確認方法を、以下に説明する。
【０２２５】
本発明に係る秘匿番号登録・確認方法は、秘匿番号５２８を組織Ｘのデータベースに登録しようとする構成員等の氏名が表面のカード氏名記載位置に、秘匿番号５２８が表面の秘匿番号記載位置に、それぞれ記載された上記秘匿番号記載カード１０２を用いて、秘匿番号管理者を有する組織Ｘが、当該組織Ｘの構成員等の氏名を含む個人情報を管理するデータベースに、当該構成員等の秘匿番号５２８を該構成員等の個人情報と紐づけて確実に登録し、当該秘匿番号５２８に関する機密を保持しながら第三者に該登録の確実性をチェックさせ得る秘匿番号登録・確認方法であり、以下のようなステップを含む。
【０２２６】
（ステップ１）上記組織Ｘ（又は秘匿番号管理者）が、
（ａ）少なくとも、前記データベースに登録された前記構成員等のデータ氏名を含む個人情報が予め表記された個人情報欄、
（ｂ）少なくとも、該個人情報欄の構成員等の個人情報に左右対応して、該構成員等の秘匿番号記載カード１０２をセットするためのセット手段５５２が設けられたカードセット欄、
（ｃ）１又は複数の窓を設けた第１確認欄５１０Ｒ
（ｄ）１又は複数の窓を設けた第２確認欄５４０Ｌ（又は５４０ＬＲ）、
を有する秘匿番号登録票５０１又は用紙対型の秘匿番号登録票５０１を準備するステップ
（ステップ２）組織Ｘの構成員等が、当該組織Ｘ（又は秘匿番号管理者）から受け取った前記秘匿番号登録票５０１の、上記（ａ）個人情報欄に表記された個人情報に対応させて、上記（ｂ）カードセット欄に、当該構成員等それぞれの上記秘匿番号記載カード１０２を、上記セット手段５５２を用いて、各々所定の位置にセットするステップ
（ステップ３）上記（ｃ）第１確認欄５１０Ｒ及び上記（ｄ）第２確認欄５４０Ｌ（又は５４０ＬＲ）に予め設けた上記１又は複数の窓を用いて、
Ａ．（第２仮登録番号５又は第１仮登録番号３、秘匿番号記載カード１０２に記載された秘匿番号５２８）
Ｂ．（第１仮登録番号３又は第２仮登録番号５、秘匿番号記載カード１０２に記載されたカード氏名５２６、（ｂ）カードセット欄又は（ａ）個人情報欄に予め表記されたデータ氏名５２２Ｐｎ）
の２つの情報の組を、それぞれ前記各構成員等について確認し得るように、（ｃ）第１確認欄５１０Ｒを、（ｂ）カードセット欄及び／又は（ａ）個人情報欄と重なり合わせる第１重ね状態と、（ｄ）第２確認欄５４０Ｌ（又は５４０ＬＲ）を（ａ）個人情報欄及び／又は（ｂ）カードセット欄と重なり合わせる第２重ね状態とを形成するステップ
（ステップ４）上記第１重ね状態及び第２重ね状態で、（ｃ）第１確認欄５１０Ｒ及び（ｄ）第２確認欄５４０Ｌ（又は５４０ＬＲ）を複写して、それぞれ第１チェック票及び第２チェック票を作成するステップ
（ステップ５）組織Ｘの構成員等が、上記第１チェック票と上記第２チェック票とを、
当該組織Ｘ（管理者）に提出するステップ。
【０２２７】
本発明に係る秘匿番号登録・確認方法は、さらに、
（ステップ６）上記第１チェック票を上記構成員等から回収した上記組織Ｘ（管理者）が、当該第１チェック票を第三者に引き渡すステップと、
（ステップ７）前記第三者に、前記１又は複数の窓を介して前記第１チェック票に複写された秘匿番号５２８を、同じく該第１チェック票に複写された前記第２仮登録番号５又は前記第１仮登録番号３に対応させて、前記データベースに入力・登録させるステップと、
を含み得る。
【０２２８】
本発明に係る秘匿番号登録・確認方法は、さらに、
（ステップ８）上記第２チェック票を上記構成員等から回収した上記組織Ｘの管理者が、該第２チェック票を第三者に引き渡すステップと、
（ステップ９）前記第三者に、前記１又は複数の窓を介して、前記第１仮登録番号３又は前記第２仮登録番号５と共に前記第２チェック票に複写された、前記データベースに記憶された前記データ氏名が、同じく該第２チェック票に前記秘匿番号記載カード１０２から複写されたカード氏名５２６に一致するかを確認させるステップと、
を含み得る。
【０２２９】
以上、本発明に係る秘匿番号登録票５０１、用紙対型の秘匿番号登録票５０１、秘匿番号登録・確認方法について説明したが、本発明は上述の実施形態、実施例に限定されるものではない。用途に応じて種々の秘匿番号記載カード１０２を作成することができ、作成した秘匿番号記載カード１０２に対応させて、様々な構成の秘匿番号登録票５０１、用紙対型の秘匿番号登録票５０１を形成することができる。これらの秘匿番号登録票５０１、用紙対型の秘匿番号登録票５０１は、
Ａ．（上記第２仮登録番号５又は上記第１仮登録番号３、上記秘匿番号記載カード１０２に記載された秘匿番号５２８）
Ｂ．（上記第１仮登録番号３又は上記第２仮登録番号５、上記秘匿番号記載カード１０２に記載されたカード氏名５２６、上記カードセット欄又は上記個人情報欄に予め表記されたデータ氏名５２２Ｐｎ）
の２つの情報の組を、それぞれ上記各構成員等について確認することができれば、その構成は限定されない。このような構成とすれば、組織の管理者以外の者が秘匿番号登録票５０１、用紙対型の秘匿番号登録票５０１から個人の秘匿番号５２８を特定することができない。したがって、明細書中では、組織Ｘの管理するデータベースに、構成員等の個人情報に対応させて、例えば委託した第三者にマイナンバー（秘匿番号５２８）を入力・登録させ、登録の正確性を別の第三者に委託して確認させたが、本発明はこのような実施形態に限定されず、任意の第三者が同時に秘匿番号５２８を登録・確認しても、個人の秘匿番号５２８が漏洩する危険はない。
【０２３０】
また、上述のように、秘匿番号５２８をマイナンバーとすれば、種々の構成のマイナンバー登録票、用紙対型マイナンバー登録票（冊子型の第１マイナンバー登録票、用紙対型の第１マイナンバー登録票、冊子型の第２マイナンバー登録票など）を容易に作成することができる。
（３−６）窓口用秘匿番号登録票・真正確認方法
【０２３１】
ここまで、主として一度に大量の構成員等の秘匿番号を、個人情報と秘匿番号間の特定がなされないように、組織のデータベースに簡易に登録するという観点から秘匿番号登録票・確認方法を提案し、説明してきた。
【０２３２】
しかし、例えば金融機関などの組織の窓口などを個人が訪れた際、その個人が自己の秘匿番号の登録を希望する状況があり得る。例えば、マイナンバーやクレジットカード番号などの秘匿番号を、その秘匿番号記載カード保持者が、個々にその金融機関などの組織のデータベースに登録する場合である。
【０２３３】
このように、個々の秘匿番号記載カード保持者が、金融機関などの組織の窓口でその秘匿番号記載カード１０２を提示し、当該秘匿番号の登録を行う場合、通常、対応するのは窓口係である。窓口係は当該組織の構成員であっても秘匿番号の管理者ではない場合が通常であり、管理者以外の構成員が秘匿番号をフルに見得る機会が生じるのは、当該組織の秘密管理上好ましくなく、その秘匿番号記載カード保持者に不安を与えることにもなる。
【０２３４】
本実施例６では、マイナンバーカード１０１（図２０）を例にとって、上述のような場面における不適切な状況を回避し得る窓口用秘匿番号登録票を提案する。
【実施例６】
【０２３５】
図２０のマイナンバーカードの概略図に示すように、マイナンバーやクレジットカード番号などの秘匿番号５２８は、ハイホンやスペースなどで、３桁や４桁などの数字毎にグループ分けされている場合が多い。例えば１２桁のマイナンバーは、図２０のように、４桁ずつの数字を３グループに分けて表示されている。
【０２３６】
本実施例６に係る窓口用秘匿番号登録票５０１は、このような秘匿番号５２８のグループ分けを利用した秘匿番号登録票５０１であり、その一例を、窓口用第２マイナンバー登録票２’として図２４に示す。
【０２３７】
図２４（ａ）〜（ｃ）に示す窓口用第２マイナンバー登録票２’は、同一形状（例えばＡ５サイズ）の第１確認欄１０と個人情報欄２０とマイナンバーカードセット欄（以下、単に「カードセット欄」ともいう。）３０と第２確認欄４０と、を順に有する、Ａ４サイズの用紙からなる。
【０２３８】
上記第２マイナンバー登録票２（図１３（ｂ））と異なり、個人情報欄２０（ｐ２）の方形スペース２０Ｐには、セット手段５２が設けられ、マイナンバーカード１０１をセットすることができる。マイナンバーだけでなく個人情報も未登録なので、図１３（ｂ）のように個人情報２４ＰＤは表記されておらず、方形スペース２０Ｐ内には、マイナンバー確認窓１８Ｗ（上）、１８Ｗ（下）が図２４（ｂ）、（ａ）のように設けられている。第２仮登録番号５は、図１３（ｂ）と同様に、方形スペース２０Ｐの欄外の上方に表記されている。
【０２３９】
また、個人情報欄２０（ｐ２）に隣接するカードセット欄３０（ｐ３）には、第１仮登録番号３が予め表記されていると共に、マイナンバーカード１０１をセットするためのセット手段５２が設けられており、図２４（ｂ）のように、個人情報欄２０の方形スペース２０Ｐと左右に対となる方形スペース３０Ｐにマイナンバーカード１０１をセットすることができる。そして、方形スペース３０Ｐ内には、マイナンバー確認窓１８Ｗ（中）が図２４（ｃ）のように設けられている。
【０２４０】
窓口用第２マイナンバー登録票２’に表記された上記第２仮登録番号５と第１仮登録番号３とは、組織のデータベースに予め紐づけられて記憶されている。
【０２４１】
左右に隣接した個人情報欄２０とカードセット欄３０との境界線２３Ｍで、窓口用第２マイナンバー登録票２’をｐ２とｐ３とが重なり合うように折返すと、上記冊子型の第２マイナンバー登録票２（図１３）と同様、「重ね状態」を得ることができる。本実施例６では、個人情報欄２０にマイナンバーカード１０１をセットし、第１確認欄１０側から見た重ね状態を「第１重ね状態」といい、カードセット欄３０にマイナンバーカード１０１をセットして第２確認欄４０側から見た重ね状態を、「第２重ね状態」という。
【０２４２】
第１確認欄１０では、上記第１重ね状態で、第１仮登録番号確認窓１３Ｗとマイナンバー確認窓１８Ｗ（上）、１８Ｗ（下）から、第１仮登録番号３とマイナンバーの上下４桁を各々確認することができる。また、第２確認欄４０では、上記第２重ね状態で、第２仮登録番号確認窓４５Ｗとマイナンバー確認窓１８Ｗ（中）から、第２仮登録番号５とマイナンバーの中４桁を各々確認することができる。
【０２４３】
さらに、境界線２３Ｍで、窓口用第２マイナンバー登録票２’をｐ２とｐ３とが重なり合わないように反対方向に折返し、これを個人情報欄２０側から見た「第３重ね状態」を作ると、マイナンバー以外の個人情報と第２仮登録番号５を確認することができる。一方裏側のカードセット欄３０側からは、マイナンバーは１桁も確認することができない。
【０２４４】
すなわち、上記第１重ね状態、第２重ね状態、第３重ね状態から、それぞれ次の６１〜Ａ３の情報を別々に得ることができる。
Ａ１．（第１仮登録番号３、マイナンバーの上下４桁）
Ａ２．（第２仮登録番号５、マイナンバーの中４桁）
Ａ３．（個人情報、第２仮登録番号５）
【０２４５】
上述のようにマイナンバーカード１０１には、表面に本人の氏名と写真が、裏面にマイナンバーが表示されているので、本人からマイナンバーカード１０１を受け取った窓口係は、マイナンバーを見ることなく個人情報欄２０にマイナンバーカード１０１をセットし、マイナンバーカード１０１の表面のみの情報（顔写真等）から本人確認を行うことができる。
【０２４６】
個人情報欄２０の方形スペース２０Ｐにセットしたマイナンバー（秘匿番号）登録票の裏面（第１確認欄１０）をスキャンして送信（又はＦＡＸなど）した後、マイナンバーカード１０１をカードセット欄３０の方形スペース３０Ｐにセットし直し、その裏面（第２確認欄４０）も管理者にスキャンして送信する。さらに第３重ね状態の個人情報欄２０をスキャンして管理者に送信する。
【０２４７】
このような一連の動作により、窓口係は、マイナンバーを見ることなく、上記Ａ１〜Ａ３の情報を管理者に送信することができる。
【０２４８】
一方、上記Ａ１〜Ａ３の情報を得た管理者は、予め紐づいた第１仮登録番号３と第２仮登録番号５からマイナンバーを再現し、更に第２仮登録番号５を介して個人情報を得て、データベースに個人情報とマイナンバーを登録することができる。
【０２４９】
これらの一連の動作を本人の面前で行うことにより、窓口係がマイナンバーを見ることなく、マイナンバーと個人情報を管理者にＦＡＸしたことを本人が確認でき、安全を確認することができる。マイナンバーの送信は２度に分けて、それぞれマイナンバーの一部ずつを異なる番号（第１仮登録番号３、第２仮登録番号５）に紐づけて送信したに過ぎないので、フルのマイナンバーが個人情報に結びついて記録に残ることはなく、マイナンバーの秘密性を高度に保持することができる。マイナンバーカード１０１の個人情報欄２０及びカードセット欄３０へのセットや送信などの一連の動作を、本人が行えるようにすれば、更に本人は安心である。
【０２５０】
あるいは、他の例として、次のような手順で個人情報とマイナンバーをデータベースに登録してもよい。
（１）窓口係は、第３重ね状態の個人情報欄２０に表記されたＡ３．（個人情報、第２仮登録番号５）を、直接窓口で組織のコンピュータに入力する。または個人情報欄２０をスキャン後、上記３の情報をデータベースに登録する。
（２）窓口係又は本人は、第１重ね状態の第１確認欄１０をスキャンしてオペレーター１に送信後、オペレーター１が第１確認欄１０に表記されたＡ１．（第１仮登録番号３、マイナンバーの上下４桁）を、コンピュータに入力する。
（３）窓口係又は本人は、第２重ね状態の第２確認欄４０をスキャンしてオペレーター１とは別のオペレーター２に送信後、オペレーター２が第２確認欄４０に表記されたＡ２．（第２仮登録番号５、マイナンバーの中４桁）を、コンピュータに入力する。
（４）組織のコンピュータは、上記Ａ１、Ａ２の情報からマイナンバーを再現し、データベースに（個人情報、マイナンバー、第１仮登録番号３、第２仮登録番号５）を登録する。
【０２５１】
以上のような手順により、窓口係、オペレーター１、オペレーター２はもとより、当該組織の秘密保持責任者である管理人にも個人情報とマイナンバーを結び付けられることなく、窓口で個人情報とマイナンバーの登録を行うことができる。
【実施例７】
【０２５２】
上記実施例６のような秘匿番号５２８が、例えば金融機関などの組織のデータベースに既に登録されている場合でも、その秘匿番号記載カード保持者がその窓口などを訪れた際、窓口係等に秘匿番号記載カード１０２の提示を求められる場合がある。例えば、その窓口係が、当該秘匿番号記載カード保持者の本人確認をする際に、当人からその秘匿番号記載カード１０２を窓口で受け取り、ＦＡＸや社内回線などを用いて、上記データベース又はその管理者等に当該秘匿番号５２８の真正を確認するような場面である。このような場面でも、その窓口係は当該組織の構成員であっても秘匿番号５２８の管理者ではない場合もあり、管理者以外の構成員である窓口係が秘匿番号５２８をフルに見得る機会が生じ、秘密管理上好ましくない。
【０２５３】
このような場面でも、上記実施例６の窓口用第２マイナンバー登録票２’を用いて、窓口係にマイナンバーを見られることなく、窓口で秘匿番号記載カード１０２の真正確認を行うことができる。ただし、本実施例７の窓口用第２マイナンバー登録票２’においては、予め同登録票２’に表記されている第１仮登録番号３と第２仮登録番号５は、既登録のマイナンバー（秘匿番号）とデータベース中で紐づいた第１仮登録番号３と第２仮登録番号５ではなく、互いに紐づいてはいるが双方でたらめなランダムナンバー３’、 ５’を用いればよい。
【０２５４】
すなわち、窓口で秘匿番号記載カード１０２の真正確認を行うには、窓口係は上記実施例６の窓口用第２マイナンバー登録票２’を用いて、上記Ａ１〜Ａ３の情報（第１重ね状態、第２重ね状態、第３重ね状態）と同様の情報をそれぞれ持つ第１確認欄１０、第２確認欄４０、個人情報欄２０をスキャンして、管理者あるいはオペレータ等に送信するだけでよい。本実施例７で、上記Ａ１〜Ａ３の情報（第１重ね状態、第２重ね状態、第３重ね状態）に対応する情報は、次のＡ１’〜Ａ３’の情報である。なお、本実施例７においても、第１重ね状態、第２重ね状態、第３重ね状態の定義は実施例６と同様である。
Ａ１’．（ランダムナンバー３’、マイナンバーの上下４桁）
Ａ２’．（ランダムナンバー５’、マイナンバーの中４桁）
Ａ３’．（個人情報、ランダムナンバー５’）
【０２５５】
まず、窓口係は、本人（秘匿番号記載カード保持者）に窓口用第２マイナンバー登録票２’を渡し、本人が個人情報欄２０にマイナンバーカード１０１をセットした同登録票２’を受け取り、マイナンバーを見ることなく、個人情報欄２０にセットしたマイナンバーカード１０１の表面のみの情報（顔写真等）から（あるいは第３重ね状態から）本人確認を行うことができる。
【０２５６】
次に窓口係は、同登録票２’の境界線２３Ｍでこれをｐ２とｐ３とが重なり合わないように折返して第３重ね状態を作り、個人情報欄２０をスキャンして管理者に送信する。さらに窓口係は、今度は同登録票２’の境界線２３Ｍでこれをｐ２とｐ３とが重なり合うように折返して第１重ね状態を作り、個人情報欄２０を表にした裏面の第１確認欄１０をスキャンして管理者に送信する。
【０２５７】
最後にマイナンバーカード１０１をカードセット欄３０の方形スペース３０Ｐにセットし直して第２重ね状態を作り、その裏面である第２確認欄４０をスキャンして管理者に送信する。なお、個人情報欄２０とカードセット欄３０へのマイナンバーカード１０１のセットは、秘匿番号記載カード１０２（マイナンバーカード）保持者である本人が行うのが好ましい。
【０２５８】
このような一連の動作により、窓口係は、マイナンバーを見ることなく、上記Ａ１’〜Ａ３ ’の情報を管理者に送信することができ、Ａ１’〜Ａ３ ’の情報を得た管理者は、予め紐づいたランダムナンバー３’、ランダムナンバー５’からマイナンバーを再現し、更にランダムナンバー５’を介して個人情報を得て、データベースから個人情報とマイナンバー（秘匿番号）の一致又は不一致から、秘匿番号記載カード１０２（マイナンバーカード）の真正を確認することができる。
【０２５９】
あるいは、他の例として、窓口係は窓口において、次のような手順で秘匿番号記載カード１０２（マイナンバーカード）の真正確認を行ってもよい。
（１）窓口係は、第３重ね状態の個人情報欄２０に表記されたＡ３’．（個人情報、ランダムナンバー５’）を、窓口で、参照用にコピーする。
（２）窓口係又は本人は、第１重ね状態の第１確認欄１０をスキャンしてオペレーター１に送信後、オペレーター１が第１確認欄１０に表記されたＡ１’．（ランダムナンバー３’、マイナンバーの上下４桁）を、コンピュータに入力する。
（３）窓口係又は本人は、第２重ね状態の第２確認欄４０をスキャンしてオペレーター１とは別のオペレーター２に送信後、オペレーター２が第２確認欄４０に表記されたＡ２’．（ランダムナンバー５’、マイナンバーの中４桁）を、コンピュータに入力する。
（４）組織のコンピュータは、上記Ａ１’、Ａ２’の情報からマイナンバーを再現し、データベースに照合して、当該マイナンバーに対応する個人情報を抽出して、（当該個人情報、ランダムナンバー５’）を窓口係に送信する。
（５）窓口係は、コンピュータから受信した（個人情報、ランダムナンバー５’）から、秘匿番号記載カード１０２（マイナンバーカード）の真正確認を行う。
【０２６０】
上記手順によれば、窓口係、オペレーター１、オペレーター２はもとより、当該組織の秘密保持責任者である管理人にも個人情報とマイナンバーを結び付けられることなく、窓口で秘匿番号記載カード１０２（マイナンバーカード）の真正確認を行うことができる。
【０２６１】
その他、本発明は、その主旨を逸脱しない範囲で当業者の知識に基づき種々の改良、修正、変更を加えた態様で実施できるものである。
【産業上の利用可能性】
【０２６２】
本発明に係るマイナンバー登録票およびその使用方法は、構成員等を有する組織が、その構成員等のマイナンバーなどの個人情報をデータベースに入力・登録し、その入力・登録の確認を、個人情報漏洩を防止しつつ、第三者に依頼する際に利用することができる。
【符号の説明】
【０２６３】
１：（冊子型の）第１マイナンバー登録票（通知カード用の冊子型のマイナンバー登録票）
１’：用紙対型の第１マイナンバー登録票（通知カード用の用紙対型のマイナンバー登録票）
１（ｐ１）〜１（ｐ４）：マイナンバー登録票冊子の第１頁〜第４頁
２：（冊子型の）第２マイナンバー登録票（個人番号カード用の冊子型のマイナンバー登録票）
２’：用紙対型の第２マイナンバー登録票（個人番号カード用の用紙対型のマイナンバー登録票）
３：第１仮登録番号
５：第２仮登録番号
３’、５’：ランダムナンバー
７：（通知カード用）冊子（マイナンバー登録票冊子）
８：（マイナンバーカード用）冊子（マイナンバー登録票冊子）
１０：第１確認欄
２０：個人情報欄
４０：第２確認欄
１０Ｍ、２０Ｍ：第１境界線（通知カード用冊子）
１０Ｕ：上部折返し線
１２Ｗｎ、４２Ｗｎ、５４２Ｗｎ：データ氏名確認窓
１３Ｗ、４３Ｗ、５４３Ｗ：第１仮登録番号確認窓
１５Ｗ、４５Ｗ、５１５Ｗ：第２仮登録番号確認窓
１６Ｗｎ、４６Ｗｎ、５４６Ｗｎ：カード氏名確認窓
１８Ｗ、４８Ｗ：マイナンバー確認窓
５１８Ｗ、５４８Ｗ：秘匿番号確認窓
１０Ｌ、５１０Ｌ：冊子の第１頁の左欄
１０Ｒ、５１０Ｒ：冊子の第１頁の右欄
２０Ｌ、５２０Ｌ：冊子の第２頁の左欄（個人情報欄）
２０Ｒ、５２０Ｒ：冊子の第２頁の右欄（通知カードセット欄）
２０Ｕ，５２０Ｕ：上端帯部
２０Ｄ，５２０Ｄ：下方部
４０Ｌ、５４０Ｌ：冊子の第４頁の左欄（第２確認欄）
４０Ｒ、５４０Ｒ：冊子の第４頁の右欄（第２確認欄）
１０ＰＲ（ｋ）、２０ＰＲ（ｋ）、４０ＰＲ（ｋ）：通知カード用冊子の第１頁、第２頁、第４頁の右欄に表記された上からｋ番目の方形スペース
１０Ｐ、２０Ｐ、３０Ｐ、４０Ｐ、５１０Ｐ、５２０Ｐ、５３０Ｐ、５４０Ｐ：冊子等に表記された方形スペース
２０ＰＬ（ｋ）：通知カード用冊子の第２頁の左欄に表記された上からｋ番目の方形スペース
２２Ｐｎ：データ氏名（予めデータベースに登録され、マイナンバー登録票に表記された構成員等の氏名）
２３Ｍ：冊子の第２頁と第３頁との境界線（第２境界線）
２４ＰＤ：個人情報（マイナンバー登録票に表記された構成員等の氏名、生年月日、続柄を含む）
２６：カード氏名（ｎａｍｅ；マイナンバー通知カード等の表面のカード氏名記載位置に記載された氏名)
３６：カード氏名（ｎａｍｅ；マイナンバーカード表面のカード氏名記載位置に記載された氏名）
３６’：カード氏名（ｎａｍｅ；マイナンバーカード裏面のカード氏名記載位置に記載された氏名）
５２６、５２６’：カード氏名（ｎａｍｅ；秘匿番号記載カード等の表面のカード氏名記載位置に記載された氏名)
２８：マイナンバー（Ｍｙ  Ｎｏ．）
５２８：秘匿番号
３０：マイナンバーカードセット欄（マイナンバーカード用冊子のｐ３）
５２、５５２：セット手段
７０：第１チェック票
８０：第２チェック票
１００： 通知カード
１０１： 個人番号カード（マイナンバーカード）
１０２：秘匿番号記載カード
１０６：カード氏名記載位置（通知カード表面）
１０７：カード氏名記載位置（マイナンバーカード表面）
１０７’：カード氏名記載位置（マイナンバーカード裏面）
５０７：カード氏名記載位置（秘匿番号カード表面）
５０７’：カード氏名記載位置（秘匿番号カード裏面）
１０８：マイナンバー記載位置（通知カード表面）
１０９：マイナンバー記載位置（マイナンバーカード裏面）
５０９：秘匿番号記載位置（秘匿番号カード表面）
５０９’：秘匿番号記載位置（秘匿番号カード裏面）
２００、３００、５００：セット用紙
２１０、３１０、５１０：確認用紙
２１１、３１１、５１１：第１確認欄
２１２、３１２、５１２：第２確認欄
３１３、５１３：確認欄
５０１：秘匿番号登録票
【図１】
2017121799.tif 000003
【図２】
2017121799.tif 000004
【図３】
2017121799.tif 000005
【図４】
2017121799.tif 000006
【図５】
2017121799.tif 000007
【図６】
2017121799.tif 000008
【図７】
2017121799.tif 000009
【図８】
2017121799.tif 000010
【図９】
2017121799.tif 000011
【図１０】
2017121799.tif 000012
【図１１】
2017121799.tif 000013
【図１２】
2017121799.tif 000014
【図１３】
2017121799.tif 000015
【図１４】
2017121799.tif 000016
【図１５】
2017121799.tif 000017
【図１６】
2017121799.tif 000018
【図１７】
2017121799.tif 000019
【図１８】
2017121799.tif 000020
【図１９】
2017121799.tif 000021
【図２０】
2017121799.tif 000022
【図２１】
2017121799.tif 000023
【図２２】
2017121799.tif 000024
【図２３】
2017121799.tif 000025
【図２４】
2017121799.tif 000026
【図２５（ａ）】
2017121799.tif 000027
【図２５（ｂ）】
2017121799.tif 000028
【図２６（ａ）】
2017121799.tif 000029
【図２６（ｂ）】
2017121799.tif 000030
【図２６（ｃ）】
2017121799.tif 000031